(57)【要約】  本発明の実施形態は、アップリンクサブキャリア間隔指示方法、基地局および端末を提供する。基地局は、指示情報が、基地局によってサポートされる第１アップリンクサブキャリア間隔を指示するために使用されると決定し、指示情報に従って端末と通信する。通信中、基地局は、基地局によってサポートされる第１アップリンクサブキャリア間隔を端末に指示し、これにより、端末は次に、第１アップリンクサブキャリア間隔に基づいて、端末によってサポートされる第２アップリンクサブキャリア間隔を決定する。または、基地局は、端末によって送信された、第２アップリンクサブキャリア間隔を保持する情報を受信し、言い換えれば、端末から指示を受信し、これにより、端末によってサポートされる、または、アップリンク信号を送信するために端末によって使用されることになっている第２アップリンクサブキャリア間隔を認識し、これにより、端末は後続のアップリンク信号送信プロセスにおいて、適切なアップリンクサブキャリア間隔を使用して、アップリンク信号を送信し、基地局は、端末によって送信されたアップリンク信号を正しく復調できる。
2019504574.tif 000002
【特許請求の範囲】
【請求項１】
基地局が、第１アップリンクサブキャリア間隔を指示するために使用される指示情報を決定する段階であって、前記第１アップリンクサブキャリア間隔は、前記基地局によってサポートされるアップリンクサブキャリア間隔である、段階と、
前記基地局が前記指示情報に従って、端末と通信する段階と
を備える、アップリンクサブキャリア間隔を指示する方法。
【請求項２】
基地局が指示情報を決定する前記段階は、
前記基地局が物理ランダムアクセスプリアンブル配列を少なくとも２つのグループに分類する段階であって、各グループは１種類のアップリンクサブキャリア間隔に対応し、前記指示情報は、前記少なくとも２つのグループにおける第１グループに対応する物理ランダムアクセスプリアンブル配列のグループ情報を含み、前記第１グループは、前記第１アップリンクサブキャリア間隔に対応するグループである、段階、または、
前記基地局が、物理ランダムアクセスプリアンブル配列を少なくとも３つのグループに分類する段階であって、各グループは、１種類のアップリンクサブキャリア間隔およびアップリンク伝送モードの組み合わせに対応し、前記指示情報は、前記少なくとも３つのグループにおける第１グループに対応する物理ランダムアクセスプリアンブル配列のグループ情報を含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、段階
を含む、請求項１に記載の方法。
【請求項３】
基地局が指示情報を決定する前記段階は、
前記基地局が、ＰＲＡＣＨ信号フォーマットに基づいて、異なるフォーマットのＰＲＡＣＨ信号を少なくとも２つのグループに分類する段階であって、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、各グループは１種類のアップリンクサブキャリア間隔に対応し、前記指示情報は、前記少なくとも２つのグループにおける第１グループに対応するＰＲＡＣＨ信号フォーマットを含み、前記第１グループは、前記第１アップリンクサブキャリア間隔に対応するグループである、段階、または、
前記基地局がＰＲＡＣＨ信号フォーマットに基づいて、異なるフォーマットのＰＲＡＣＨ信号を少なくとも３つのグループに分類する段階であって、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、各グループは、１種類のアップリンクサブキャリア間隔およびアップリンク伝送モードの組み合わせに対応し、前記指示情報は、前記少なくとも３つのグループにおける第１グループに対応するＰＲＡＣＨ信号フォーマットを含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、段階
を含む、請求項１に記載の方法。
【請求項４】
基地局が指示情報を決定する前記段階は、
前記基地局がＰＲＡＣＨチャネルリソースプールを少なくとも２つのリソースプールに分類する段階であって、各リソースプールは１種類のアップリンクサブキャリア間隔に対応し、前記指示情報は前記少なくとも２つのリソースプールにおける第１リソースプールの構成情報を含み、前記第１リソースプールは前記第１アップリンクサブキャリア間隔に対応するリソースプールである、段階、または、
前記基地局がＰＲＡＣＨチャネルリソースプールを少なくとも３つのリソースプールに分類する段階であって、各リソースプールは１種類のアップリンクサブキャリア間隔およびアップリンク伝送モードの組み合わせに対応し、前記指示情報は、前記少なくとも３つのリソースプールにおける第１リソースプールの構成情報を含み、前記第１リソースプールは、前記第１アップリンクサブキャリア間隔およびアップリンク伝送モードの組み合わせに対応するリソースプールであり、前記アップリンク伝送モードはシングルトーン伝送またはマルチトーン伝送を含む、段階
を含む、請求項１に記載の方法。
【請求項５】
基地局が指示情報を決定する前記段階は、
前記基地局が、動作モードとアップリンクサブキャリア間隔との間の対応関係を構成する段階であって、前記指示情報は、前記第１アップリンクサブキャリア間隔に対応する動作モードを含む、段階、または、
前記基地局が、動作モードと組み合わせ方式との間の対応関係を構成する段階であって、前記組み合わせ方式はアップリンクサブキャリア間隔およびアップリンク伝送モードの組み合わせであり、前記アップリンク伝送モードはシングルトーン伝送またはマルチトーン伝送を含み、前記指示情報は、前記第１アップリンクサブキャリア間隔およびアップリンク伝送モードの組み合わせに対応する動作モードを含む、段階
を含む、請求項１に記載の方法。
【請求項６】
前記基地局が前記指示情報に従って、端末と通信する前記段階は、前記基地局が前記指示情報を前記端末へ送信する段階を含む、請求項２から５のいずれか一項に記載の方法。
【請求項７】
前記基地局が、前記指示情報に従って、端末と通信する前記段階は、
前記基地局が、前記指示情報に従って、前記基地局が少なくとも１つの第１アップリンクサブキャリア間隔をサポートすると決定する段階と、
前記基地局が、前記端末によって送信された、第２アップリンクサブキャリア間隔を保持する、伝送スケジューリングメッセージを受信する段階であって、前記第２アップリンクサブキャリア間隔は、前記端末によってサポートされるアップリンクサブキャリア間隔であり、前記少なくとも１つの第１アップリンクサブキャリア間隔の１つである、段階と
を含む、請求項１に記載の方法。
【請求項８】
前記基地局が、前記指示情報に従って、端末と通信する前記段階は、
前記基地局が、前記指示情報に従って、前記基地局が少なくとも１つの第１アップリンクサブキャリア間隔をサポートすると決定する段階と、
前記基地局が、前記端末によって送信された、第２アップリンクサブキャリア間隔を保持する、端末カテゴリメッセージを受信する段階であって、前記第２アップリンクサブキャリア間隔は、前記端末によってサポートされるアップリンクサブキャリア間隔であり、前記少なくとも１つの第１アップリンクサブキャリア間隔の１つである、段階と
を含む、請求項１に記載の方法。
【請求項９】
前記基地局が、前記指示情報に従って、端末と通信する前記段階は、
前記基地局が、前記指示情報に従って、前記基地局が少なくとも１つの第１アップリンクサブキャリア間隔をサポートすると決定する段階と、
前記基地局が、第２アップリンクサブキャリア間隔を決定する段階であって、前記第２アップリンクサブキャリア間隔は、前記端末によってサポートされるアップリンクサブキャリア間隔であり、前記少なくとも１つの第１アップリンクサブキャリア間隔のうちの１つである、段階と、
前記基地局が、前記第２アップリンクサブキャリア間隔を保持する無線リソース制御ＲＲＣメッセージを前記端末へ送信する段階と
を含む、請求項１に記載の方法。
【請求項１０】
基地局が指示情報を決定する前記段階は、前記基地局が、デフォルト構成に基づいて、前記指示情報を決定する段階であって、前記デフォルト構成は、同期信号を少なくとも２つのグループに分類し、前記同期信号は、主同期信号および／または副同期信号を含み、各グループは１種類のアップリンクサブキャリア間隔に対応し、前記指示情報は、前記少なくとも２つのグループにおける第１グループに対応する同期信号を含み、前記第１グループは、前記第１アップリンクサブキャリア間隔に対応するグループである、段階を含む、または、
基地局が指示情報を決定する前記段階は、前記基地局が、デフォルト構成に基づいて、前記指示情報を決定する段階であって、前記デフォルト構成は、同期信号を少なくとも３つのグループに分類し、前記同期信号は、主同期信号および／または副同期信号を含み、各グループは１種類のアップリンクサブキャリア間隔およびアップリンク伝送モードの組み合わせに対応し、前記指示情報は、前記少なくとも３つのグループにおける第１グループに対応する同期信号を含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、段階を含み、
前記基地局が、前記指示情報に従って、端末と通信する前記段階は、前記基地局が、前記指示情報に従って、前記第１グループに対応する前記同期信号を前記端末へ送信する段階を含む、
請求項１に記載の方法。
【請求項１１】
基地局が指示情報を決定する前記段階は、前記基地局が、デフォルト構成に基づいて前記指示情報を決定する段階であって、前記デフォルト構成は、２つの連続する同期信号の間の時間間隔長に基づいて２つの連続する同期信号の間の異なる時間間隔を少なくとも２つのグループに分類し、前記同期信号は主同期信号および／または副同期信号を含み、各グループは１つの時間間隔長に対応し、前記指示情報は、前記少なくとも２つのグループにおける第１グループに対応する時間間隔を有する同期信号を含み、前記第１グループは、前記第１アップリンクサブキャリア間隔に対応するグループである、段階を含む、または、
基地局が指示情報を決定する前記段階は、前記基地局が、デフォルト構成に基づいて前記指示情報を決定する段階であって、前記デフォルト構成は、２つの連続する同期信号の間の時間間隔長に基づいて、２つの連続する同期信号の間の異なる時間間隔を少なくとも３つのグループに分類し、前記同期信号は、主同期信号および／または副同期信号を含み、各グループは、１種類のアップリンクサブキャリア間隔およびアップリンク伝送モードの組み合わせに対応し、前記指示情報は、前記少なくとも３つのグループにおける第１グループに対応する時間間隔を有する同期信号を含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、段階を含み、
前記基地局が、前記指示情報に従って、端末と通信する前記段階は、前記基地局が、前記指示情報に従って、前記第１グループに対応する前記同期信号を前記端末へ送信する段階を含む、
請求項１に記載の方法。
【請求項１２】
端末が基地局と通信する段階であって、前記通信では、前記基地局が指示情報に従って前記端末と通信し、前記指示情報は、第１アップリンクサブキャリア間隔を指示するために使用され、前記第１アップリンクサブキャリア間隔は、前記基地局によってサポートされるアップリンクサブキャリア間隔である、段階と、
前記端末が、前記通信に基づいて処理を実行する段階と
を備える、アップリンクサブキャリア間隔を指示する方法。
【請求項１３】
端末が基地局と通信する前記段階は、
前記端末が、前記基地局によって送信された前記指示情報を受信する段階であって、
前記指示情報は、前記基地局が物理ランダムアクセスプリアンブル配列を少なくとも２つのグループに分類するときの、第１グループに対応する物理ランダムアクセスプリアンブル配列のグループ情報を含み、前記第１グループは、前記少なくとも２つのグループの各々が１種類のアップリンクサブキャリア間隔に対応するときの、前記第１アップリンクサブキャリア間隔に対応するグループである、または、
前記指示情報は、前記基地局が物理ランダムアクセスプリアンブル配列を少なくとも３つのグループに分類するときの、第１グループに対応する物理ランダムアクセスプリアンブル配列のグループ情報を含み、前記第１グループは、前記少なくとも３つのグループの各々が、１種類のアップリンクサブキャリア間隔およびアップリンク伝送モードの組み合わせに対応するときの、前記第１アップリンクサブキャリア間隔およびアップリンク伝送モードの組み合わせに対応するグループであり、前記アップリンク伝送モードはシングルトーン伝送またはマルチトーン伝送を含む、
段階を含む、請求項１２に記載の方法。
【請求項１４】
端末が基地局と通信する前記段階は、
前記端末が、前記基地局によって送信された前記指示情報を受信する段階であって、
前記指示情報は、前記基地局がＰＲＡＣＨ信号フォーマットに基づいて、異なるフォーマットのＰＲＡＣＨ信号を少なくとも２つのグループに分類するときの、第１グループに対応するＰＲＡＣＨ信号フォーマットを含み、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、前記第１グループは、前記少なくとも２つのグループの各々が１種類のアップリンクサブキャリア間隔に対応するときの、前記第１アップリンクサブキャリア間隔に対応するグループである、または、
前記指示情報は、前記基地局がＰＲＡＣＨ信号フォーマットに基づいて、異なるフォーマットのＰＲＡＣＨ信号を少なくとも３つのグループに分類するときの、第１グループに対応するＰＲＡＣＨ信号フォーマットを含み、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、前記第１グループは、前記少なくとも３つのグループの各々が、１種類のアップリンクサブキャリア間隔およびアップリンク伝送モードの組み合わせに対応するときの、前記第１アップリンクサブキャリア間隔およびアップリンク伝送モードの組み合わせに対応するグループであり、前記アップリンク伝送モードはシングルトーン伝送またはマルチトーン伝送を含む、
段階を含む、請求項１２に記載の方法。
【請求項１５】
端末が基地局と通信する前記段階は、
前記端末が、前記基地局によって送信された前記指示情報を受信する段階であって、
前記指示情報は、前記基地局がＰＲＡＣＨチャネルリソースプールを少なくとも２つのリソースプールに分類するときの、第１リソースプールの構成情報を含み、前記第１リソースプールは、前記少なくとも２つのリソースプールの各々が１種類のアップリンクサブキャリア間隔に対応するときの、前記第１アップリンクサブキャリア間隔に対応するリソースプールである、または、
前記指示情報は、前記基地局がＰＲＡＣＨチャネルリソースプールを少なくとも３つのリソースプールに分類するときの、第１リソースプールの構成情報を含み、前記第１リソースプールは、前記少なくとも３つのリソースプールの各々が、１種類のアップリンクサブキャリア間隔およびアップリンク伝送モードの組み合わせに対応するときの、前記第１アップリンクサブキャリア間隔およびアップリンク伝送モードの組み合わせに対応するリソースプールであり、前記アップリンク伝送モードはシングルトーン伝送またはマルチトーン伝送を含む、
段階を含む、請求項１２に記載の方法。
【請求項１６】
端末が基地局と通信する前記段階は、
前記端末が、前記基地局によって送信された前記指示情報を受信する段階であって、
前記指示情報は、前記基地局が動作モードとアップリンクサブキャリア間隔との間の対応関係を構成するときの、前記第１アップリンクサブキャリア間隔に対応する動作モードを含む、または、
前記指示情報は、前記基地局が動作モードとアップリンクサブキャリア間隔およびアップリンク伝送モードの組み合わせ方式との間の対応関係を構成するときの、前記第１アップリンクサブキャリア間隔およびアップリンク伝送モードの組み合わせに対応する動作モードを含む、
段階を含む、請求項１２に記載の方法。
【請求項１７】
前記端末が前記通信に基づいて処理を実行する前記段階は、
前記端末が前記指示情報に従って、前記基地局によってサポートされる前記第１アップリンクサブキャリア間隔を決定する段階と、
前記端末が前記指示情報に従って、前記第１アップリンクサブキャリア間隔が、前記端末によってサポートされる少なくとも１つの第２アップリンクサブキャリア間隔に含まれるかどうかを決定し、含まれる場合、アップリンク信号を前記基地局へ送信する、または、含まれない場合、セルを再検索する、段階と
を含む、請求項１３から１６のいずれか一項に記載の方法。
【請求項１８】
前記端末が前記通信に基づいて処理を実行する前記段階は、
前記基地局が前記指示情報に従って、少なくとも１つの第１アップリンクサブキャリア間隔があると決定したとき、前記端末が伝送スケジューリングメッセージを前記基地局へ送信する段階であって、前記伝送スケジューリングメッセージは第２アップリンクサブキャリア間隔を保持し、前記第２アップリンクサブキャリア間隔は、前記端末によってサポートされるアップリンクサブキャリア間隔であり、前記少なくとも１つの第１アップリンクサブキャリア間隔のうちの１つである、段階
を含む、請求項１２に記載の方法。
【請求項１９】
前記端末が、前記通信に基づいて、処理を実行する前記段階は、
前記基地局が前記指示情報に従って、少なくとも１つの第１アップリンクサブキャリア間隔があると決定したとき、前記端末が端末カテゴリメッセージを前記基地局へ送信する段階であって、前記端末カテゴリメッセージは第２アップリンクサブキャリア間隔を保持し、前記第２アップリンクサブキャリア間隔は、前記端末によってサポートされるアップリンクサブキャリア間隔であり、前記少なくとも１つの第１アップリンクサブキャリア間隔のうちの１つである、段階
を含む、請求項１２に記載の方法。
【請求項２０】
前記端末が前記通信に基づいて処理を実行する前記段階は、
前記基地局が前記指示情報に従って、少なくとも１つの第１アップリンクサブキャリア間隔があると決定したとき、前記端末が、無線リソース制御ＲＲＣメッセージを受信する段階であって、前記ＲＲＣメッセージは前記基地局によって送信され、第２アップリンクサブキャリア間隔を保持し、前記第２アップリンクサブキャリア間隔は、前記端末によってサポートされるアップリンクサブキャリア間隔である、段階
を含む、請求項１２に記載の方法。
【請求項２１】
端末が基地局と通信する前記段階は、
前記端末が、前記基地局によって前記指示情報に従って送信された同期信号を受信する段階であって、
前記指示情報は、前記基地局がデフォルト構成に基づいて同期信号を少なくとも２つのグループに分類し、各グループが１種類のアップリンクサブキャリア間隔に対応するときの、第１グループに対応する同期信号を含み、前記第１グループは、前記第１アップリンクサブキャリア間隔に対応するグループである、または、
前記指示情報は、前記基地局がデフォルト構成に基づいて同期信号を少なくとも３つのグループに分類し、各グループが１種類のアップリンクサブキャリア間隔およびアップリンク伝送モードの組み合わせに対応するときの、第１グループに対応する同期信号を含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、
段階を含む、請求項１２に記載の方法。
【請求項２２】
端末が基地局と通信する前記段階は、
前記端末が、前記基地局によって前記指示情報に従って送信された同期信号を受信する段階であって、
前記指示情報は、前記基地局が、２つの連続する同期信号の間の時間間隔長に基づいて、２つの連続する同期信号の間の異なる時間間隔を少なくとも２つのグループに分類し、各グループが１つの時間間隔長に対応するときの、第１グループに対応する同期信号を含み、前記第１グループは、前記第１アップリンクサブキャリア間隔に対応するグループである、または、
前記指示情報は、前記基地局が、２つの連続する同期信号の間の時間間隔長に基づいて、２つの連続する同期信号の間の異なる時間間隔を少なくとも３つのグループに分類し、各グループが１種類のアップリンクサブキャリア間隔およびアップリンク伝送モードの組み合わせに対応するときの、第１グループに対応する同期信号を含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、
段階を含む、請求項１２に記載の方法。
【請求項２３】
基地局であって、
第１アップリンクサブキャリア間隔を指示するために使用される指示情報を決定するように構成されているプロセッサであって、前記第１アップリンクサブキャリア間隔は、前記基地局によってサポートされるアップリンクサブキャリア間隔である、プロセッサと、
前記プロセッサによって決定された前記指示情報に従って、端末と通信するように構成されている送受信器と
を備える基地局。
【請求項２４】
前記プロセッサは、具体的には、物理ランダムアクセスプリアンブル配列を少なくとも２つのグループに分類するように構成され、各グループは、１種類のアップリンクサブキャリア間隔に対応し、前記指示情報は、前記少なくとも２つのグループにおける第１グループに対応する物理ランダムアクセスプリアンブル配列のグループ情報を含み、前記第１グループは、前記第１アップリンクサブキャリア間隔に対応するグループである、または、
前記プロセッサは、具体的には、物理ランダムアクセスプリアンブル配列を少なくとも３つのグループに分類するように構成され、各グループは、１種類のアップリンクサブキャリア間隔およびアップリンク伝送モードの組み合わせに対応し、前記指示情報は、前記少なくとも３つのグループにおける第１グループに対応する物理ランダムアクセスプリアンブル配列のグループ情報を含み、前記第１グループは、前記第１アップリンクサブキャリア間隔およびアップリンク伝送モードの組み合わせに対応するグループであり、前記アップリンク伝送モードは、シングルトーン伝送またはマルチトーン伝送を含む、
請求項２３に記載の基地局。
【請求項２５】
前記プロセッサは具体的には、ＰＲＡＣＨ信号フォーマットに基づいて、異なるフォーマットのＰＲＡＣＨ信号を少なくとも２つのグループに分類するように構成され、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、各グループは、１種類のアップリンクサブキャリア間隔に対応し、前記指示情報は、前記少なくとも２つのグループにおける第１グループに対応するＰＲＡＣＨ信号フォーマットを含み、前記第１グループは、前記第１アップリンクサブキャリア間隔に対応するグループである、または、
前記プロセッサは具体的には、ＰＲＡＣＨ信号フォーマットに基づいて、異なるフォーマットのＰＲＡＣＨ信号を少なくとも３つのグループに分類するように構成され、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、各グループは、１種類のアップリンクサブキャリア間隔およびアップリンク伝送モードの組み合わせに対応し、前記指示情報は、前記少なくとも３つのグループにおける第１グループに対応するＰＲＡＣＨ信号フォーマットを含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、
請求項２３に記載の基地局。
【請求項２６】
前記プロセッサは具体的には、ＰＲＡＣＨチャネルリソースプールを少なくとも２つのリソースプールに分類するように構成され、各リソースプールは、１種類のアップリンクサブキャリア間隔に対応し、前記指示情報は、前記少なくとも２つのリソースプールにおける第１リソースプールの構成情報を含み、前記第１リソースプールは、前記第１アップリンクサブキャリア間隔に対応するリソースプールである、または、
前記プロセッサは具体的には、ＰＲＡＣＨチャネルリソースプールを少なくとも３つのリソースプールに分類するように構成され、各リソースプールは、１種類のアップリンクサブキャリア間隔およびアップリンク伝送モードの組み合わせに対応し、前記指示情報は、前記少なくとも３つのリソースプールにおける第１リソースプールの構成情報を含み、前記第１リソースプールは、前記第１アップリンクサブキャリア間隔およびアップリンク伝送モードの組み合わせに対応するリソースプールであり、前記アップリンク伝送モードは、シングルトーン伝送またはマルチトーン伝送を含む、
請求項２３に記載の基地局。
【請求項２７】
前記プロセッサは具体的には、動作モードとアップリンクサブキャリア間隔との間の対応関係を構成するように構成され、前記指示情報は、前記第１アップリンクサブキャリア間隔に対応する動作モードを含む、または、
前記プロセッサは具体的には、動作モードと組み合わせ方式との間の対応関係を構成するように構成され、前記組み合わせ方式は、アップリンクサブキャリア間隔およびアップリンク伝送モードの組み合わせであり、前記アップリンク伝送モードはシングルトーン伝送またはマルチトーン伝送を含み、前記指示情報は、前記第１アップリンクサブキャリア間隔およびアップリンク伝送モードの組み合わせに対応する動作モードを含む、
請求項２３に記載の基地局。
【請求項２８】
前記送受信器は具体的には、前記指示情報を前記端末へ送信するように構成されている、請求項２４から２７のいずれか一項に記載の基地局。
【請求項２９】
前記送受信器は具体的には、前記プロセッサが前記指示情報に従って、前記基地局が少なくとも１つの第１アップリンクサブキャリア間隔をサポートすると決定したとき、前記端末によって送信された、第２アップリンクサブキャリア間隔を保持する伝送スケジューリングメッセージを受信するように構成され、前記第２アップリンクサブキャリア間隔は、前記端末によってサポートされるアップリンクサブキャリア間隔であり、前記少なくとも１つの第１アップリンクサブキャリア間隔のうちの１つである、請求項２３に記載の基地局。
【請求項３０】
前記送受信器は具体的には、前記プロセッサが前記指示情報に従って、前記基地局が少なくとも１つの第１アップリンクサブキャリア間隔をサポートすると決定したとき、前記端末によって送信された、第２アップリンクサブキャリア間隔を保持する端末カテゴリメッセージを受信するように構成され、前記第２アップリンクサブキャリア間隔は、前記端末によってサポートされるアップリンクサブキャリア間隔であり、前記少なくとも１つの第１アップリンクサブキャリア間隔のうちの１つである、請求項２３に記載の基地局。
【請求項３１】
前記送受信器は具体的には、前記プロセッサが、前記指示情報に従って、前記基地局が少なくとも１つの第１アップリンクサブキャリア間隔をサポートすると決定し、前記プロセッサが第２アップリンクサブキャリア間隔を決定したとき、前記第２アップリンクサブキャリア間隔を保持する無線リソース制御ＲＲＣメッセージを前記端末へ送信するように構成され、前記第２アップリンクサブキャリア間隔は、前記端末によってサポートされるアップリンクサブキャリア間隔であり、前記少なくとも１つの第１アップリンクサブキャリア間隔のうちの１つである、請求項２３に記載の基地局。
【請求項３２】
前記プロセッサは具体的には、デフォルト構成に基づいて、前記指示情報を決定するように構成され、前記デフォルト構成は、同期信号を少なくとも２つのグループに分類し、前記同期信号は、主同期信号および／または副同期信号を含み、各グループは、１種類のアップリンクサブキャリア間隔に対応し、前記指示情報は、前記少なくとも２つのグループにおける第１グループに対応する同期信号を含み、前記第１グループは前記第１アップリンクサブキャリア間隔に対応するグループである、または、
前記プロセッサは具体的には、デフォルト構成に基づいて、前記指示情報を決定するように構成され、前記デフォルト構成は、同期信号を少なくとも３つのグループに分類し、前記同期信号は、主同期信号および／または副同期信号を含み、各グループは、１種類のアップリンクサブキャリア間隔およびアップリンク伝送モードの組み合わせに対応し、前記指示情報は、前記少なくとも３つのグループにおける第１グループに対応する同期信号を含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含み、
前記送受信器は具体的には、前記指示情報に従って、前記第１グループに対応する前記同期信号を前記端末へ送信するように構成されている、
請求項２３に記載の基地局。
【請求項３３】
前記プロセッサは具体的には、デフォルト構成に基づいて、前記指示情報を決定するように構成され、前記デフォルト構成は、２つの連続する同期信号の間の時間間隔長に基づいて、２つの連続する同期信号の間の異なる時間間隔を少なくとも２つのグループに分類し、前記同期信号は主同期信号および／または副同期信号を含み、各グループは１つの時間間隔長に対応し、前記指示情報は、前記少なくとも２つのグループにおける第１グループに対応する時間間隔を有する同期信号を含み、前記第１グループは、前記第１アップリンクサブキャリア間隔に対応するグループである、または、
前記プロセッサは具体的には、デフォルト構成に基づいて、前記指示情報を決定するように構成され、前記デフォルト構成は、２つの連続する同期信号の間の時間間隔長に基づいて、２つの連続する同期信号の間の異なる時間間隔を少なくとも３つのグループに分類し、前記同期信号は、主同期信号および／または副同期信号を含み、各グループは、１種類のアップリンクサブキャリア間隔およびアップリンク伝送モードの組み合わせに対応し、前記指示情報は、前記少なくとも３つのグループにおける第１グループに対応する時間間隔を有する同期信号を含み、前記第１グループは、前記第１アップリンクサブキャリア間隔およびアップリンク伝送モードの組み合わせに対応するグループであり、前記アップリンク伝送モードは、シングルトーン伝送またはマルチトーン伝送を含み、
前記送受信器は具体的には、前記指示情報に従って、前記第１グループに対応する前記同期信号を前記端末へ送信するように構成されている、
請求項２３に記載の基地局。
【請求項３４】
端末であって、
基地局と通信するように構成されている送受信器であって、前記通信では、前記基地局が指示情報に従って前記端末と通信し、前記指示情報は、第１アップリンクサブキャリア間隔を指示するために使用され、前記第１アップリンクサブキャリア間隔は、前記基地局によってサポートされるアップリンクサブキャリア間隔である、送受信器と、
前記送受信器によって実行される前記通信に基づいて、処理を実行するように構成されているプロセッサと
を備える端末。
【請求項３５】
前記送受信器は具体的には、前記基地局によって送信された前記指示情報を受信するように構成され、
前記指示情報は、前記基地局が物理ランダムアクセスプリアンブル配列を少なくとも２つのグループに分類するときの、第１グループに対応する物理ランダムアクセスプリアンブル配列のグループ情報を含み、前記第１グループは、前記少なくとも２つのグループの各々が１種類のアップリンクサブキャリア間隔に対応するときの、前記第１アップリンクサブキャリア間隔に対応するグループである、または、
前記指示情報は、前記基地局が物理ランダムアクセスプリアンブル配列を少なくとも３つのグループに分類するときの、第１グループに対応する物理ランダムアクセスプリアンブル配列のグループ情報を含み、前記第１グループは、前記少なくとも３つのグループの各々が、１種類のアップリンクサブキャリア間隔およびアップリンク伝送モードの組み合わせに対応するときの、前記第１アップリンクサブキャリア間隔およびアップリンク伝送モードの組み合わせに対応するグループであり、前記アップリンク伝送モードはシングルトーン伝送またはマルチトーン伝送を含む、
請求項３４に記載の端末。
【請求項３６】
前記送受信器は具体的には、前記基地局によって送信された前記指示情報を受信するように構成され、
前記指示情報は、前記基地局がＰＲＡＣＨ信号フォーマットに基づいて、異なるフォーマットのＰＲＡＣＨ信号を少なくとも２つのグループに分類するときの、第１グループに対応するＰＲＡＣＨ信号フォーマットを含み、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、前記第１グループは、前記少なくとも２つのグループの各々が１種類のアップリンクサブキャリア間隔に対応するときの、前記第１アップリンクサブキャリア間隔に対応するグループである、または、
前記指示情報は、前記基地局がＰＲＡＣＨ信号フォーマットに基づいて、異なるフォーマットのＰＲＡＣＨ信号を少なくとも３つのグループに分類するときの、第１グループに対応するＰＲＡＣＨ信号フォーマットを含み、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、前記第１グループは、前記少なくとも３つのグループの各々が、１種類のアップリンクサブキャリア間隔およびアップリンク伝送モードの組み合わせに対応するときの、前記第１アップリンクサブキャリア間隔およびアップリンク伝送モードの組み合わせに対応するグループであり、前記アップリンク伝送モードはシングルトーン伝送またはマルチトーン伝送を含む、
請求項３４に記載の端末。
【請求項３７】
前記送受信器は具体的には、前記基地局によって送信された前記指示情報を受信するように構成され、
前記指示情報は、前記基地局がＰＲＡＣＨチャネルリソースプールを少なくとも２つのリソースプールに分類するときの、第１リソースプールの構成情報を含み、前記第１リソースプールは、前記少なくとも２つのリソースプールの各々が１種類のアップリンクサブキャリア間隔に対応するときの、前記第１アップリンクサブキャリア間隔に対応するリソースプールである、または、
前記指示情報は、前記基地局がＰＲＡＣＨチャネルリソースプールを少なくとも３つのリソースプールに分類するときの、第１リソースプールの構成情報を含み、前記第１リソースプールは、前記少なくとも３つのリソースプールの各々が、１種類のアップリンクサブキャリア間隔およびアップリンク伝送モードの組み合わせに対応するときの、前記第１アップリンクサブキャリア間隔およびアップリンク伝送モードの組み合わせに対応するリソースプールであり、前記アップリンク伝送モードはシングルトーン伝送またはマルチトーン伝送を含む、
請求項３４に記載の端末。
【請求項３８】
前記送受信器は具体的には、前記基地局によって送信された前記指示情報を受信するように構成され、
前記指示情報は、前記基地局が動作モードとアップリンクサブキャリア間隔との間の対応関係を構成するときの、前記第１アップリンクサブキャリア間隔に対応する動作モードを含む、または、
前記指示情報は、前記基地局が動作モードとアップリンクサブキャリア間隔およびアップリンク伝送モードの組み合わせ方式との間の対応関係を構成するときの、前記第１アップリンクサブキャリア間隔およびアップリンク伝送モードの組み合わせに対応する動作モードを含む、
請求項３４に記載の端末。
【請求項３９】
前記プロセッサは具体的には、前記指示情報に従って、前記基地局によってサポートされる前記第１アップリンクサブキャリア間隔を決定し、前記指示情報に従って、前記第１アップリンクサブキャリア間隔が、前記端末によってサポートされる少なくとも１つの第２アップリンクサブキャリア間隔に含まれるかどうかを決定し、含まれる場合、アップリンク信号を前記基地局へ送信し、または、含まれない場合、セルを再検索するように構成されている、請求項３５から３８のいずれか一項に記載の端末。
【請求項４０】
前記プロセッサは具体的には、前記基地局が前記指示情報に従って、少なくとも１つの第１アップリンクサブキャリア間隔があると決定したとき、命令を前記送受信器へ送信し、前記送受信器に前記基地局へ伝送スケジューリングメッセージを送信させるように構成され、前記伝送スケジューリングメッセージは第２アップリンクサブキャリア間隔を保持し、前記第２アップリンクサブキャリア間隔は、前記端末によってサポートされるアップリンクサブキャリア間隔であり、前記少なくとも１つの第１アップリンクサブキャリア間隔のうちの１つである、請求項３４に記載の端末。
【請求項４１】
前記プロセッサは具体的には、前記基地局が前記指示情報に従って、少なくとも１つの第１アップリンクサブキャリア間隔があると決定したとき、命令を前記送受信器へ送信し、前記送受信器に前記基地局へ端末カテゴリメッセージを送信させるように構成され、前記端末カテゴリメッセージは第２アップリンクサブキャリア間隔を保持し、前記第２アップリンクサブキャリア間隔は、前記端末によってサポートされるアップリンクサブキャリア間隔であり、前記少なくとも１つの第１アップリンクサブキャリア間隔のうちの１つである、請求項３４に記載の端末。
【請求項４２】
前記プロセッサは具体的には、前記基地局が前記指示情報に従って、少なくとも１つの第１アップリンクサブキャリア間隔があると決定したとき、命令を前記送受信器へ送信し、前記基地局によって送信された、第２アップリンクサブキャリア間隔を保持する無線リソース制御ＲＲＣメッセージを前記送受信器に受信させるように構成され、前記第２アップリンクサブキャリア間隔は、前記端末によってサポートされる、前記少なくとも１つの第１アップリンクサブキャリア間隔のうちの１つのアップリンクサブキャリア間隔である、請求項３４に記載の端末。
【請求項４３】
前記送受信器は具体的には、前記基地局によって前記指示情報に従って送信された同期信号を受信するように構成され、前記指示情報は、前記基地局がデフォルト構成に基づいて、同期信号を少なくとも２つのグループに分類し、各グループが１種類のアップリンクサブキャリア間隔に対応するときの、第１グループに対応する同期信号を含み、前記第１グループは、前記第１アップリンクサブキャリア間隔に対応するグループである、または、
前記指示情報は、前記基地局がデフォルト構成に基づいて、同期信号を少なくとも３つのグループに分類し、各グループが、１種類のアップリンクサブキャリア間隔およびアップリンク伝送モードの組み合わせに対応するときの、第１グループに対応する同期信号を含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、
請求項３４に記載の端末。
【請求項４４】
前記送受信器は具体的には、前記基地局によって前記指示情報に従って送信された同期信号を受信するように構成され、
前記指示情報は、前記基地局が、２つの連続する同期信号の間の時間間隔長に基づいて、２つの連続する同期信号の間の異なる時間間隔を少なくとも２つのグループに分類し、各グループが１つの時間間隔長に対応するときの、第１グループに対応する同期信号を含み、前記第１グループは、前記第１アップリンクサブキャリア間隔に対応するグループである、または、
前記指示情報は、前記基地局が、２つの連続する同期信号の間の時間間隔長に基づいて、２つの連続する同期信号の間の異なる時間間隔を少なくとも３つのグループに分類し、各グループが１種類のアップリンクサブキャリア間隔およびアップリンク伝送モードの組み合わせに対応するときの、第１グループに対応する同期信号を含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、
請求項３４に記載の端末。
【発明の詳細な説明】
【技術分野】
【０００１】
本発明の実施形態は、通信分野に関連し、特に、アップリンクサブキャリア間隔指示方法、基地局および端末に関連する。
【背景技術】
【０００２】
ナローバンドインターネットオブシングス（Ｎａｒｒｏｗｂａｎｄ  Ｉｎｔｅｒｎｅｔ  ｏｆ  Ｔｈｉｎｇｓ、ＮＢ‐ＩｏＴ）通信は、低データレート、低レイテンシ感度、低複雑性、多数の端末（Ｕｓｅｒ  Ｅｑｕｉｐｍｅｎｔ、ＵＥ）などを特徴とする。ＮＢ‐ＩｏＴにおいて、２つのアップリンク伝送モード、すなわち、シングルトーン伝送（ｓｉｎｇｌｅ‐ｔｏｎｅ  ｔｒａｎｓｍｉｓｓｉｏｎ）およびマルチトーン伝送（ｍｕｌｔｉ‐ｔｏｎｅ  ｔｒａｎｓｍｉｓｓｉｏｎ）が定義されている。シングルトーン伝送において、２種類のサブキャリア間隔、すなわち３．７５ｋＨｚおよび１５ｋＨｚが使用されている。マルチトーン伝送において、１５ｋＨｚサブキャリア間隔が使用される。
【０００３】
ロングタームエボリューション（Ｌｏｎｇ  Ｔｅｒｍ  Ｅｖｏｌｕｔｉｏｎ、ＬＴＥ）またはＬＴＥアドバンスト（ＬＴＥ‐Ａｄｖａｎｃｅｄ、ＬＴＥ‐Ａ）システムでは、１５ｋＨｚサブキャリア間隔が、シングルトーン伝送およびマルチトーン伝送の両方において使用される。言い換えると、ＬＴＥ／ＬＴＥ‐Ａは、１種類のアップリンクサブキャリア間隔のみをサポートする。
【０００４】
サブキャリア間隔は通信システムにおける基本パラメータである。ＬＴＥおよびＬＴＥ‐Ａにおいては、データ伝送について１種類のアップリンクサブキャリア間隔のみが定義されているので、ｅＮｏｄｅＢおよび端末は、それぞれのサポートされるアップリンクサブキャリア間隔を互いに指示する必要はない。しかしながら、ＮＢ‐ＩｏＴシステムにおいては、２種類のサブキャリア間隔がシングルトーン伝送について定義されているので、ＵＥによって使用されるアップリンクサブキャリア間隔が、基地局によってサポートされるサブキャリア間隔と一致しない場合、基地局は端末のアップリンク信号を正しく復調できない。
【発明の概要】
【０００５】
本発明の実施形態は、アップリンクサブキャリア間隔指示方法、基地局および端末を提供する。基地局および端末は、それぞれのサポートされるアップリンクサブキャリア間隔を互いに指示し、これにより、基地局は端末によって送信されたアップリンク信号を正しく復調できる。
【０００６】
第１態様によれば、本発明の実施形態は、基地局が、第１アップリンクサブキャリア間隔を指示するために使用される指示情報を決定する段階であって、第１アップリンクサブキャリア間隔は、基地局によってサポートされるアップリンクサブキャリア間隔である、段階と、基地局が指示情報に従って、端末と通信する段階とを備えるアップリンクサブキャリア間隔指示方法を提供する。
【０００７】
本発明のこの実施形態において提供されるアップリンクサブキャリア間隔指示方法によれば、基地局は、基地局によってサポートされる第１アップリンクサブキャリア間隔を指示するために使用される指示情報を決定し、指示情報に従って、端末と通信する。通信中、基地局は、基地局によってサポートされる第１アップリンクサブキャリア間隔を端末に指示する、または、端末は端末によってサポートされる第２アップリンクサブキャリア間隔を基地局に指示する。これにより、端末は、後続のアップリンク信号送信プロセスにおいて、適切なアップリンクサブキャリア間隔を使用してアップリンク信号を送信し、基地局は、端末によって送信されたアップリンク信号を正しく復調できる。
【０００８】
任意で、基地局が指示情報を決定する段階は、基地局が物理ランダムアクセスプリアンブル配列を少なくとも２つのグループに分類する段階であって、各グループは１種類のアップリンクサブキャリア間隔に対応し、指示情報は、少なくとも２つのグループにおける第１グループに対応する物理ランダムアクセスプリアンブル配列のグループ情報を含み、第１グループは、第１アップリンクサブキャリア間隔に対応するグループである、段階、または、基地局が、物理ランダムアクセスプリアンブル配列を少なくとも３つのグループに分類する段階であって、各グループは、１種類のアップリンクサブキャリア間隔およびアップリンク伝送モードの組み合わせに対応し、指示情報は、少なくとも３つのグループにおける第１グループに対応する物理ランダムアクセスプリアンブル配列のグループ情報を含み、第１グループは、第１アップリンクサブキャリア間隔およびアップリンク伝送モードの組み合わせに対応するグループであり、アップリンク伝送モードはシングルトーン伝送またはマルチトーン伝送を含む、段階を含む。
【０００９】
本発明のこの実施形態において提供されるアップリンクサブキャリア間隔指示方法によれば、基地局は、異なるランダムアクセスプリアンブル配列グループを使用することによって、基地局によってサポートされる、または、基地局によって使用されることになっている第１アップリンクサブキャリア間隔を暗黙的に指示し、指示情報に従って、端末と通信する。通信中、基地局は、基地局によってサポートされる第１アップリンクサブキャリア間隔を端末に指示する、または、端末は端末によってサポートされる第２アップリンクサブキャリア間隔を基地局に指示する。これにより、端末は、後続のアップリンク信号送信プロセスにおいて、適切なアップリンクサブキャリア間隔を使用してアップリンク信号を送信し、基地局は、端末によって送信されたアップリンク信号を正しく復調できる。
【００１０】
任意で、基地局が指示情報を決定する段階は、基地局が、ＰＲＡＣＨ信号フォーマットに基づいて、異なるフォーマットのＰＲＡＣＨ信号を少なくとも２つのグループに分類する段階であって、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、各グループは１種類のアップリンクサブキャリア間隔に対応し、指示情報は、少なくとも２つのグループにおける第１グループに対応するＰＲＡＣＨ信号フォーマットを含み、第１グループは、第１アップリンクサブキャリア間隔に対応するグループである、段階、または、基地局がＰＲＡＣＨ信号フォーマットに基づいて、異なるフォーマットのＰＲＡＣＨ信号を少なくとも３つのグループに分類する段階であって、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、各グループは、１種類のアップリンクサブキャリア間隔およびアップリンク伝送モードの組み合わせに対応し、指示情報は、少なくとも３つのグループにおける第１グループに対応するＰＲＡＣＨ信号フォーマットを含み、第１グループは、第１アップリンクサブキャリア間隔およびアップリンク伝送モードの組み合わせに対応するグループであり、アップリンク伝送モードはシングルトーン伝送またはマルチトーン伝送を含む、段階を含む。
【００１１】
本発明のこの実施形態において提供されるアップリンクサブキャリア間隔指示方法によれば、基地局は、ＰＲＡＣＨ信号フォーマットに基づいて実行されるグループ化に基づいて、基地局によってサポートされる、または、基地局によって使用されることになっている第１アップリンクサブキャリア間隔を暗黙的に指示し、指示情報に従って、端末と通信する。端末は、ランダムアクセス信号メッセージ（Ｍｓｇ．１）を送信した後に、端末によってサポートされる第２アップリンクサブキャリア間隔を使用することによって、第１アップリンクメッセージ（Ｍｓｇ．３）を基地局へ送信し得る。Ｍｓｇ．３は、端末によってサポートされる第２アップリンクサブキャリア間隔を基地局に明示的に指示する必要はなく、現在のＭｓｇ．３フォーマットをそのまま使用してよく、Ｍｓｇ．３フォーマットへの変更は回避される。加えて、このプロセスにおいて、同一セルによってサービスを提供される端末は、端末の要件に基づいて、異なるサブキャリア間隔を構成し得る。
【００１２】
任意で、基地局が指示情報を決定する段階は、基地局がＰＲＡＣＨチャネルリソースプールを少なくとも２つのリソースプールに分類する段階であって、各リソースプールは１種類のアップリンクサブキャリア間隔に対応し、指示情報は少なくとも２つのリソースプールにおける第１リソースプールの構成情報を含み、第１リソースプールは第１アップリンクサブキャリア間隔に対応するリソースプールである、段階、または、基地局がＰＲＡＣＨチャネルリソースプールを少なくとも３つのリソースプールに分類する段階であって、各リソースプールは１種類のアップリンクサブキャリア間隔およびアップリンク伝送モードの組み合わせに対応し、指示情報は、少なくとも３つのリソースプールにおける第１リソースプールの構成情報を含み、第１リソースプールは、第１アップリンクサブキャリア間隔およびアップリンク伝送モードの組み合わせに対応するリソースプールであり、アップリンク伝送モードはシングルトーン伝送またはマルチトーン伝送を含む、段階を含む。
【００１３】
本発明のこの実施形態において提供されるアップリンクサブキャリア間隔指示方法によれば、基地局は、ＰＲＡＣＨチャネルリソースプールのグループ化に基づいて、基地局によってサポートされる、または、基地局によって使用されることになっている第１アップリンクサブキャリア間隔を暗黙的に指示し、指示情報に従って、端末と通信する。通信中、端末は、ランダムアクセス信号メッセージ（Ｍｓｇ．１）を送信した後に、端末によってサポートされる第２アップリンクサブキャリア間隔を使用することによって、第１アップリンクメッセージ（Ｍｓｇ．３）を基地局へ送信し得て、Ｍｓｇ．３は、端末によってサポートされる第２アップリンクサブキャリア間隔を明示的に基地局に指示する必要はなく、現在のＭｓｇ．３フォーマットをそのまま使用してよく、Ｍｓｇ．３フォーマットへの変更が回避される。加えて、このプロセスにおいて、同一セルによってサービスを提供される端末は、端末の要件に基づいて、異なるサブキャリア間隔を構成し得る。加えて、この実施形態において、１つのＰＲＡＣＨチャネルリソースプールは複数のＰＲＡＣＨチャネルリソースプールとして多重化される。したがって、より多くの端末がＰＲＡＣＨチャネルリソースプールにアクセスでき、ランダムアクセス競合の確率が減少し、これにより、基地局によって送信される指示情報の信頼性がより高くなる。
【００１４】
任意で、基地局が指示情報を決定する段階は、基地局が、動作モードとアップリンクサブキャリア間隔との間の対応関係を構成する段階であって、指示情報は、第１アップリンクサブキャリア間隔に対応する動作モードを含む、段階、または、基地局が、動作モードと組み合わせ方式との間の対応関係を構成する段階であって、組み合わせ方式はアップリンクサブキャリア間隔およびアップリンク伝送モードの組み合わせであり、アップリンク伝送モードはシングルトーン伝送またはマルチトーン伝送を含み、指示情報は、第１アップリンクサブキャリア間隔およびアップリンク伝送モードの組み合わせに対応する動作モードを含む、段階を含む。
【００１５】
本発明のこの実施形態において提供されるアップリンクサブキャリア間隔指示方法によれば、システム情報ブロードキャストプロセスにおいて、基地局は、動作モードを使用することによって、基地局によってサポートされる、または、基地局によって使用されることになっている第１アップリンクサブキャリア間隔を暗黙的に指示する。通信中、端末はＭｓｇ．３において、端末によってサポートされる第２アップリンクサブキャリア間隔を明示的に基地局に指示する必要はない。したがって、Ｍｓｇ．３におけるビットが節約される。
【００１６】
任意で、基地局が指示情報に従って端末と通信することは、基地局が指示情報を端末へ送信することを含む。
【００１７】
本発明のこの実施形態において提供されるアップリンクサブキャリア間隔指示方法によれば、基地局は、基地局によってサポートされる第１アップリンクサブキャリア間隔を指示するために使用される指示情報を決定し、指示情報に従って、端末と通信する。通信中、基地局は、基地局によってサポートされる第１アップリンクサブキャリア間隔を端末に指示し、これにより、端末は後続のアップリンク信号送信プロセスにおいて、適切なアップリンクサブキャリア間隔を使用してアップリンク信号を送信し、基地局は、端末によって送信されたアップリンク信号を正しく復調できる。
【００１８】
任意で、基地局が、指示情報に従って、端末と通信する段階は、基地局が、指示情報に従って、基地局が少なくとも１つの第１アップリンクサブキャリア間隔をサポートすると決定する段階と、基地局が、端末によって送信された、第２アップリンクサブキャリア間隔を保持する、伝送スケジューリングメッセージを受信する段階であって、第２アップリンクサブキャリア間隔は、端末によってサポートされるアップリンクサブキャリア間隔であり、少なくとも１つの第１アップリンクサブキャリア間隔の１つである、段階とを含む。
【００１９】
本発明のこの実施形態において提供されるアップリンクサブキャリア間隔指示方法によれば、基地局は、指示情報に従って、基地局が少なくとも１つの第１アップリンクサブキャリア間隔をサポートすると決定する。基地局と通信するプロセスにおいて、端末はＭｓｇ．３において、端末によってサポートされる第２アップリンクサブキャリア間隔を明示的に指示する。このことは、基地局が管理および制御を実行することに適している。
【００２０】
任意で、基地局が、指示情報に従って、端末と通信する段階は、基地局が、指示情報に従って、基地局が少なくとも１つの第１アップリンクサブキャリア間隔をサポートすると決定する段階と、基地局が、端末によって送信された、第２アップリンクサブキャリア間隔を保持する、端末カテゴリメッセージを受信する段階であって、第２アップリンクサブキャリア間隔は、端末によってサポートされるアップリンクサブキャリア間隔であり、少なくとも１つの第１アップリンクサブキャリア間隔の１つである、段階とを含む。
【００２１】
本発明のこの実施形態において提供されるアップリンクサブキャリア間隔指示方法によれば、基地局は、指示情報に従って、基地局が少なくとも１つの第１アップリンクサブキャリア間隔をサポートすると決定する。また、端末は少なくとも１つの第１アップリンクサブキャリア間隔をサポートする。端末がアップリンクサブキャリア間隔を調整する必要があるとき、端末は、ランダムアクセスプロセスの後に、ＵＥカテゴリメッセージにおいて、端末によってサポートされる第２アップリンクサブキャリア間隔を基地局に指示し得る。このプロセスにおいて、端末はＭｓｇ．３において、端末によってサポートされる第２アップリンクサブキャリア間隔を明示的に基地局に指示する必要はない。したがって、Ｍｓｇ．３におけるビットが節約される。
【００２２】
任意で、基地局が、指示情報に従って、端末と通信する段階は、基地局が、指示情報に従って、基地局が少なくとも１つの第１アップリンクサブキャリア間隔をサポートすると決定する段階と、基地局が、第２アップリンクサブキャリア間隔を決定する段階であって、第２アップリンクサブキャリア間隔は、端末によってサポートされるアップリンクサブキャリア間隔であり、少なくとも１つの第１アップリンクサブキャリア間隔のうちの１つである、段階と、基地局が、第２アップリンクサブキャリア間隔を保持する無線リソース制御ＲＲＣメッセージを端末へ送信する段階とを含む。
【００２３】
本発明のこの実施形態において提供されるアップリンクサブキャリア間隔指示方法によれば、基地局は、端末のランダムアクセスプロセス後に、無線リソース制御（Ｒａｄｉｏ  Ｒｅｓｏｕｒｃｅ  Ｃｏｎｔｒｏｌ、ＲＲＣ）シグナリングを使用することによって、基地局によってサポートされる第１アップリンクサブキャリア間隔を端末に指示し得る。このプロセスにおいて、端末はＭｓｇ．３において、端末によってサポートされる第２アップリンクサブキャリア間隔を明示的に基地局に指示する必要はない。したがって、Ｍｓｇ．３におけるビットが節約される。
【００２４】
任意で、基地局が指示情報を決定する段階は、基地局が、デフォルト構成に基づいて、指示情報を決定する段階であって、デフォルト構成は、同期信号を少なくとも２つのグループに分類し、同期信号は、主同期信号および／または副同期信号を含み、各グループは１種類のアップリンクサブキャリア間隔に対応し、指示情報は、少なくとも２つのグループにおける第１グループに対応する同期信号を含み、第１グループは、第１アップリンクサブキャリア間隔に対応するグループである、段階を含む、または、基地局が指示情報を決定する段階は、基地局が、デフォルト構成に基づいて、指示情報を決定する段階であって、デフォルト構成は、同期信号を少なくとも３つのグループに分類し、同期信号は、主同期信号および／または副同期信号を含み、各グループは１種類のアップリンクサブキャリア間隔およびアップリンク伝送モードの組み合わせに対応し、指示情報は、少なくとも３つのグループにおける第１グループに対応する同期信号を含み、第１グループは、第１アップリンクサブキャリア間隔およびアップリンク伝送モードの組み合わせに対応するグループであり、アップリンク伝送モードはシングルトーン伝送またはマルチトーン伝送を含む、段階を含み、基地局が、指示情報に従って、端末と通信する段階は、基地局が、指示情報に従って、第１グループに対応する同期信号を端末へ送信する段階を含む。
【００２５】
本発明のこの実施形態において提供されるアップリンクサブキャリア間隔指示方法によれば、基地局は、同期信号を使用することによって、第１アップリンクサブキャリア間隔を暗黙的に指示する。このプロセスにおいて、端末はＭｓｇ．３において、端末によってサポートされる第２アップリンクサブキャリア間隔を明示的に基地局に指示する必要はない。したがって、Ｍｓｇ．３におけるビットが節約される。
【００２６】
任意で、基地局が指示情報を決定する段階は、基地局が、デフォルト構成に基づいて指示情報を決定する段階であって、デフォルト構成は、２つの連続する同期信号の間の時間間隔長に基づいて２つの連続する同期信号の間の異なる時間間隔を少なくとも２つのグループに分類し、同期信号は主同期信号および／または副同期信号を含み、各グループは１つの時間間隔長に対応し、指示情報は、少なくとも２つのグループにおける第１グループに対応する時間間隔を有する同期信号を含み、第１グループは、第１アップリンクサブキャリア間隔に対応するグループである、段階を含む、または、基地局が指示情報を決定する段階は、基地局が、デフォルト構成に基づいて指示情報を決定する段階であって、デフォルト構成は、２つの連続する同期信号の間の時間間隔長に基づいて、２つの連続する同期信号の間の異なる時間間隔を少なくとも３つのグループに分類し、同期信号は、主同期信号および／または副同期信号を含み、各グループは、１種類のアップリンクサブキャリア間隔およびアップリンク伝送モードの組み合わせに対応し、指示情報は、少なくとも３つのグループにおける第１グループに対応する時間間隔を有する同期信号を含み、第１グループは、第１アップリンクサブキャリア間隔およびアップリンク伝送モードの組み合わせに対応するグループであり、アップリンク伝送モードはシングルトーン伝送またはマルチトーン伝送を含む、段階を含み、基地局が、指示情報に従って、端末と通信する段階は、基地局が、指示情報に従って、第１グループに対応する同期信号を端末へ送信する段階を含む。
【００２７】
本発明のこの実施形態において提供されるアップリンクサブキャリア間隔指示方法によれば、基地局は、同期信号を使用することによって、第１アップリンクサブキャリア間隔を暗黙的に指示する。このプロセスにおいて、端末はＭｓｇ．３において、端末によってサポートされる第２アップリンクサブキャリア間隔を明示的に基地局に指示する必要はない。したがって、Ｍｓｇ．３におけるビットが節約される。
【００２８】
第２態様によれば、本発明の実施形態は、端末が基地局と通信する段階であって、当該通信では、基地局が指示情報に従って端末と通信し、指示情報は、第１アップリンクサブキャリア間隔を指示するために使用され、第１アップリンクサブキャリア間隔は、基地局によってサポートされるアップリンクサブキャリア間隔である、段階と、端末が、通信に基づいて処理を実行する段階とを備えるアップリンクサブキャリア間隔指示方法を提供する。
【００２９】
本発明のこの実施形態において提供される端末は基地局と通信し、通信に基づいて、対応する処理を実行する。通信中、端末は、第１アップリンクサブキャリア間隔を指示するために使用される、基地局によって送信された指示情報を受信する、言い換えれば、基地局から指示を受信する。または、端末は、端末によってサポートされる第２アップリンクサブキャリア間隔を基地局に指示し、その結果、端末は、端末によってサポートされる第２アップリンクサブキャリア間隔を基地局に指示し、端末は、後続のアップリンク信号送信プロセスにおいて、適切なアップリンクサブキャリア間隔を使用してアップリンク信号を送信し、これにより、基地局が、端末によって送信されたアップリンク信号を正しく復調できることを保証する。
【００３０】
任意で、端末が基地局と通信する段階は、端末が、基地局によって送信された指示情報を受信する段階であって、指示情報は、基地局が物理ランダムアクセスプリアンブル配列を少なくとも２つのグループに分類するときの、第１グループに対応する物理ランダムアクセスプリアンブル配列のグループ情報を含み、第１グループは、少なくとも２つのグループの各々が１種類のアップリンクサブキャリア間隔に対応するときの、第１アップリンクサブキャリア間隔に対応するグループである、または、指示情報は、基地局が物理ランダムアクセスプリアンブル配列を少なくとも３つのグループに分類するときの、第１グループに対応する物理ランダムアクセスプリアンブル配列のグループ情報を含み、第１グループは、少なくとも３つのグループの各々が、１種類のアップリンクサブキャリア間隔およびアップリンク伝送モードの組み合わせに対応するときの、第１アップリンクサブキャリア間隔およびアップリンク伝送モードの組み合わせに対応するグループであり、アップリンク伝送モードはシングルトーン伝送またはマルチトーン伝送を含む、段階を含む。
【００３１】
本発明のこの実施形態において提供されるアップリンクサブキャリア間隔指示方法によれば、基地局は、異なるランダムアクセスプリアンブル配列グループを使用することによって、基地局によってサポートされる、または、基地局によって使用されることになっている第１アップリンクサブキャリア間隔を暗黙的に指示し、指示情報に従って、端末と通信する。通信中、基地局は、基地局によってサポートされる第１アップリンクサブキャリア間隔を端末に指示する、または、端末は端末によってサポートされる第２アップリンクサブキャリア間隔を基地局に指示する。これにより、端末は、後続のアップリンク信号送信プロセスにおいて、適切なアップリンクサブキャリア間隔を使用してアップリンク信号を送信し、基地局は、端末によって送信されたアップリンク信号を正しく復調できる。
【００３２】
任意で、端末が基地局と通信する段階は、端末が、基地局によって送信された指示情報を受信する段階であって、指示情報は、基地局がＰＲＡＣＨ信号フォーマットに基づいて、異なるフォーマットのＰＲＡＣＨ信号を少なくとも２つのグループに分類するときの、第１グループに対応するＰＲＡＣＨ信号フォーマットを含み、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、第１グループは、少なくとも２つのグループの各々が１種類のアップリンクサブキャリア間隔に対応するときの、第１アップリンクサブキャリア間隔に対応するグループである、または、指示情報は、基地局がＰＲＡＣＨ信号フォーマットに基づいて、異なるフォーマットのＰＲＡＣＨ信号を少なくとも３つのグループに分類するときの、第１グループに対応するＰＲＡＣＨ信号フォーマットを含み、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、第１グループは、少なくとも３つのグループの各々が、１種類のアップリンクサブキャリア間隔およびアップリンク伝送モードの組み合わせに対応するときの、第１アップリンクサブキャリア間隔およびアップリンク伝送モードの組み合わせに対応するグループであり、アップリンク伝送モードはシングルトーン伝送またはマルチトーン伝送を含む、段階を含む。
【００３３】
本発明のこの実施形態において提供されるアップリンクサブキャリア間隔指示方法によれば、基地局は、ＰＲＡＣＨ信号フォーマットに基づいて実行されるグループ化に基づいて、基地局によってサポートされる、または、基地局によって使用されることになっている第１アップリンクサブキャリア間隔を暗黙的に指示し、指示情報に従って、端末と通信する。端末は、ランダムアクセス信号メッセージ（Ｍｓｇ．１）を送信した後に、端末によってサポートされる第２アップリンクサブキャリア間隔を使用することによって、第１アップリンクメッセージ（Ｍｓｇ．３）を基地局へ送信し得て、Ｍｓｇ．３は、端末によってサポートされる第２アップリンクサブキャリア間隔を明示的に基地局に指示する必要はなく、現在のＭｓｇ．３フォーマットをそのまま使用してよく、Ｍｓｇ．３フォーマットへの変更が回避される。加えて、このプロセスにおいて、同一セルによってサービスを提供される端末は、端末の要件に基づいて、異なるサブキャリア間隔を構成し得る。
【００３４】
任意で、端末が基地局と通信する段階は、端末が、基地局によって送信された指示情報を受信する段階であって、指示情報は、基地局がＰＲＡＣＨチャネルリソースプールを少なくとも２つのリソースプールに分類するときの、第１リソースプールの構成情報を含み、第１リソースプールは、少なくとも２つのリソースプールの各々が１種類のアップリンクサブキャリア間隔に対応するときの、第１アップリンクサブキャリア間隔に対応するリソースプールである、または、指示情報は、基地局がＰＲＡＣＨチャネルリソースプールを少なくとも３つのリソースプールに分類するときの、第１リソースプールの構成情報を含み、第１リソースプールは、少なくとも３つのリソースプールの各々が、１種類のアップリンクサブキャリア間隔およびアップリンク伝送モードの組み合わせに対応するときの、第１アップリンクサブキャリア間隔およびアップリンク伝送モードの組み合わせに対応するリソースプールであり、アップリンク伝送モードはシングルトーン伝送またはマルチトーン伝送を含む、段階を含む。
【００３５】
本発明のこの実施形態において提供されるアップリンクサブキャリア間隔指示方法によれば、基地局は、ＰＲＡＣＨチャネルリソースプールのグループ化に基づいて、基地局によってサポートされる、または、基地局によって使用されることになっている第１アップリンクサブキャリア間隔を暗黙的に指示し、指示情報に従って、端末と通信する。通信中、端末は、ランダムアクセス信号メッセージ（Ｍｓｇ．１）を送信した後に、端末によってサポートされる第２アップリンクサブキャリア間隔を使用することによって、第１アップリンクメッセージ（Ｍｓｇ．３）を基地局へ送信し得て、Ｍｓｇ．３は、端末によってサポートされる第２アップリンクサブキャリア間隔を明示的に基地局に指示する必要はなく、現在のＭｓｇ．３フォーマットをそのまま使用してよく、Ｍｓｇ．３フォーマットへの変更が回避される。加えて、このプロセスにおいて、同一セルによってサービスを提供される端末は、端末の要件に基づいて、異なるサブキャリア間隔を構成し得る。加えて、この実施形態において、１つのＰＲＡＣＨチャネルリソースプールは複数のＰＲＡＣＨチャネルリソースプールとして多重化される。したがって、より多くの端末がＰＲＡＣＨチャネルリソースプールにアクセスでき、ランダムアクセス競合の確率が減少し、これにより、基地局によって送信される指示情報の信頼性がより高くなる。
【００３６】
任意で、端末が基地局と通信する段階は、端末が、基地局によって送信された指示情報を受信する段階であって、指示情報は、基地局が動作モードとアップリンクサブキャリア間隔との間の対応関係を構成するときの、第１アップリンクサブキャリア間隔に対応する動作モードを含む、または、指示情報は、基地局が動作モードとアップリンクサブキャリア間隔およびアップリンク伝送モードの組み合わせ方式との間の対応関係を構成するときの、第１アップリンクサブキャリア間隔およびアップリンク伝送モードの組み合わせに対応する動作モードを含む、段階を含む。
【００３７】
本発明のこの実施形態において提供されるアップリンクサブキャリア間隔指示方法によれば、システム情報ブロードキャストプロセスにおいて、基地局は、動作モードを使用することによって、基地局によってサポートされる、または、基地局によって使用されることになっている第１アップリンクサブキャリア間隔を暗黙的に指示する。通信中、端末はＭｓｇ．３において、端末によってサポートされる第２アップリンクサブキャリア間隔を明示的に基地局に指示する必要はない。したがって、Ｍｓｇ．３におけるビットが節約される。
【００３８】
任意で、端末が通信に基づいて処理を実行する段階は、端末が指示情報に従って、基地局によってサポートされる第１アップリンクサブキャリア間隔を決定する段階と、端末が指示情報に従って、第１アップリンクサブキャリア間隔が、端末によってサポートされる少なくとも１つの第２アップリンクサブキャリア間隔に含まれるかどうかを決定し、含まれる場合、アップリンク信号を基地局へ送信する、または、含まれない場合、セルを再検索する、段階とを含む。
【００３９】
本発明のこの実施形態において提供されるアップリンクサブキャリア間隔指示方法によれば、基地局は、基地局によってサポートされる第１アップリンクサブキャリア間隔を指示するために使用される指示情報を決定し、指示情報に従って、端末と通信する。通信中、基地局は、基地局によってサポートされる第１アップリンクサブキャリア間隔を端末に指示し、これにより、端末は後続のアップリンク信号送信プロセスにおいて、適切なアップリンクサブキャリア間隔を使用してアップリンク信号を送信し、基地局は、端末によって送信されたアップリンク信号を正しく復調できる。
【００４０】
任意で、端末が通信に基づいて処理を実行する段階は、基地局が指示情報に従って、少なくとも１つの第１アップリンクサブキャリア間隔があると決定したとき、端末が伝送スケジューリングメッセージを基地局へ送信する段階であって、伝送スケジューリングメッセージは第２アップリンクサブキャリア間隔を保持し、第２アップリンクサブキャリア間隔は、端末によってサポートされるアップリンクサブキャリア間隔であり、少なくとも１つの第１アップリンクサブキャリア間隔のうちの１つである、段階を含む。
【００４１】
本発明のこの実施形態において提供されるアップリンクサブキャリア間隔指示方法によれば、基地局は、指示情報に従って、基地局が少なくとも１つの第１アップリンクサブキャリア間隔をサポートすると決定する。基地局と通信するプロセスにおいて、端末はＭｓｇ．３において、端末によってサポートされる第２アップリンクサブキャリア間隔を明示的に指示する。このことは、基地局が管理および制御を実行することに適している。
【００４２】
任意で、端末が通信に基づいて処理を実行する段階は、基地局が指示情報に従って、少なくとも１つの第１アップリンクサブキャリア間隔があると決定したとき、端末が端末カテゴリメッセージを基地局へ送信する段階であって、端末カテゴリメッセージは第２アップリンクサブキャリア間隔を保持し、第２アップリンクサブキャリア間隔は、端末によってサポートされるアップリンクサブキャリア間隔であり、少なくとも１つの第１アップリンクサブキャリア間隔のうちの１つである、段階を含む。
【００４３】
本発明のこの実施形態において提供されるアップリンクサブキャリア間隔指示方法によれば、基地局は、指示情報に従って、基地局が少なくとも１つの第１アップリンクサブキャリア間隔をサポートすると決定する。また、端末は少なくとも１つの第１アップリンクサブキャリア間隔をサポートする。端末がアップリンクサブキャリア間隔を調整する必要があるとき、端末は、ランダムアクセスプロセスの後に、ＵＥカテゴリメッセージにおいて、端末によってサポートされる第２アップリンクサブキャリア間隔を基地局に指示し得る。このプロセスにおいて、端末はＭｓｇ．３において、端末によってサポートされる第２アップリンクサブキャリア間隔を明示的に基地局に指示する必要はない。したがって、Ｍｓｇ．３におけるビットが節約される。
【００４４】
任意で、端末が通信に基づいて処理を実行する段階は、基地局が指示情報に従って、少なくとも１つの第１アップリンクサブキャリア間隔があると決定したとき、端末が、無線リソース制御ＲＲＣメッセージを受信する段階であって、ＲＲＣメッセージは基地局によって送信され、第２アップリンクサブキャリア間隔を保持し、第２アップリンクサブキャリア間隔は、端末によってサポートされるアップリンクサブキャリア間隔である、段階を含む。
【００４５】
本発明のこの実施形態において提供されるアップリンクサブキャリア間隔指示方法によれば、基地局は、端末のランダムアクセスプロセス後に、無線リソース制御（Ｒａｄｉｏ  Ｒｅｓｏｕｒｃｅ  Ｃｏｎｔｒｏｌ、ＲＲＣ）シグナリングを使用することによって、基地局によってサポートされる第１アップリンクサブキャリア間隔を端末に指示し得る。このプロセスにおいて、端末はＭｓｇ．３において、端末によってサポートされる第２アップリンクサブキャリア間隔を明示的に基地局に指示する必要はない。したがって、Ｍｓｇ．３におけるビットが節約される。
【００４６】
任意で、端末が基地局と通信する段階は、端末が、基地局によって指示情報に従って送信された同期信号を受信する段階であって、指示情報は、基地局がデフォルト構成に基づいて同期信号を少なくとも２つのグループに分類し、各グループが１種類のアップリンクサブキャリア間隔に対応するときの、第１グループに対応する同期信号を含み、第１グループは、第１アップリンクサブキャリア間隔に対応するグループである、または、指示情報は、基地局がデフォルト構成に基づいて同期信号を少なくとも３つのグループに分類し、各グループが１種類のアップリンクサブキャリア間隔およびアップリンク伝送モードの組み合わせに対応するときの、第１グループに対応する同期信号を含み、第１グループは、第１アップリンクサブキャリア間隔およびアップリンク伝送モードの組み合わせに対応するグループであり、アップリンク伝送モードはシングルトーン伝送またはマルチトーン伝送を含む、段階を含む。
【００４７】
本発明のこの実施形態において提供されるアップリンクサブキャリア間隔指示方法によれば、基地局は、同期信号を使用することによって、第１アップリンクサブキャリア間隔を暗黙的に指示する。このプロセスにおいて、端末はＭｓｇ．３において、端末によってサポートされる第２アップリンクサブキャリア間隔を明示的に基地局に指示する必要はない。したがって、Ｍｓｇ．３におけるビットが節約される。
【００４８】
任意で、端末が基地局と通信する段階は、端末が、基地局によって指示情報に従って送信された同期信号を受信する段階であって、指示情報は、基地局が、２つの連続する同期信号の間の時間間隔長に基づいて、２つの連続する同期信号の間の異なる時間間隔を少なくとも２つのグループに分類し、各グループが１つの時間間隔長に対応するときの、第１グループに対応する同期信号を含み、第１グループは、第１アップリンクサブキャリア間隔に対応するグループである、または、指示情報は、基地局が、２つの連続する同期信号の間の時間間隔長に基づいて、２つの連続する同期信号の間の異なる時間間隔を少なくとも３つのグループに分類し、各グループが１種類のアップリンクサブキャリア間隔およびアップリンク伝送モードの組み合わせに対応するときの、第１グループに対応する同期信号を含み、第１グループは、第１アップリンクサブキャリア間隔およびアップリンク伝送モードの組み合わせに対応するグループであり、アップリンク伝送モードはシングルトーン伝送またはマルチトーン伝送を含む、段階を含む。
【００４９】
本発明のこの実施形態において提供されるアップリンクサブキャリア間隔指示方法によれば、基地局は、同期信号を使用することによって、第１アップリンクサブキャリア間隔を暗黙的に指示する。このプロセスにおいて、端末はＭｓｇ．３において、端末によってサポートされる第２アップリンクサブキャリア間隔を明示的に基地局に指示する必要はない。したがって、Ｍｓｇ．３におけるビットが節約される。
【００５０】
第３態様によれば、本発明の実施形態は、第１アップリンクサブキャリア間隔を指示するために使用される指示情報を決定するように構成されているプロセッサであって、第１アップリンクサブキャリア間隔は、基地局によってサポートされるアップリンクサブキャリア間隔である、プロセッサと、プロセッサによって決定された指示情報に従って、端末と通信するように構成されている送受信器とを備える基地局を提供する。
【００５１】
任意で、プロセッサは、具体的には、物理ランダムアクセスプリアンブル配列を少なくとも２つのグループに分類するように構成され、各グループは、１種類のアップリンクサブキャリア間隔に対応し、指示情報は、少なくとも２つのグループにおける第１グループに対応する物理ランダムアクセスプリアンブル配列のグループ情報を含み、第１グループは、第１アップリンクサブキャリア間隔に対応するグループである、または、プロセッサは、具体的には、物理ランダムアクセスプリアンブル配列を少なくとも３つのグループに分類するように構成され、各グループは、１種類のアップリンクサブキャリア間隔およびアップリンク伝送モードの組み合わせに対応し、指示情報は、少なくとも３つのグループにおける第１グループに対応する物理ランダムアクセスプリアンブル配列のグループ情報を含み、第１グループは、第１アップリンクサブキャリア間隔およびアップリンク伝送モードの組み合わせに対応するグループであり、アップリンク伝送モードは、シングルトーン伝送またはマルチトーン伝送を含む。
【００５２】
任意で、プロセッサは具体的には、ＰＲＡＣＨ信号フォーマットに基づいて、異なるフォーマットのＰＲＡＣＨ信号を少なくとも２つのグループに分類するように構成され、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、各グループは、１種類のアップリンクサブキャリア間隔に対応し、指示情報は、少なくとも２つのグループにおける第１グループに対応するＰＲＡＣＨ信号フォーマットを含み、第１グループは、第１アップリンクサブキャリア間隔に対応するグループである、または、プロセッサは具体的には、ＰＲＡＣＨ信号フォーマットに基づいて、異なるフォーマットのＰＲＡＣＨ信号を少なくとも３つのグループに分類するように構成され、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、各グループは、１種類のアップリンクサブキャリア間隔およびアップリンク伝送モードの組み合わせに対応し、指示情報は、少なくとも３つのグループにおける第１グループに対応するＰＲＡＣＨ信号フォーマットを含み、第１グループは、第１アップリンクサブキャリア間隔およびアップリンク伝送モードの組み合わせに対応するグループであり、アップリンク伝送モードはシングルトーン伝送またはマルチトーン伝送を含む。
【００５３】
任意で、プロセッサは具体的には、ＰＲＡＣＨチャネルリソースプールを少なくとも２つのリソースプールに分類するように構成され、各リソースプールは、１種類のアップリンクサブキャリア間隔に対応し、指示情報は、少なくとも２つのリソースプールにおける第１リソースプールの構成情報を含み、第１リソースプールは、第１アップリンクサブキャリア間隔に対応するリソースプールである、または、プロセッサは具体的には、ＰＲＡＣＨチャネルリソースプールを少なくとも３つのリソースプールに分類するように構成され、各リソースプールは、１種類のアップリンクサブキャリア間隔およびアップリンク伝送モードの組み合わせに対応し、指示情報は、少なくとも３つのリソースプールにおける第１リソースプールの構成情報を含み、第１リソースプールは、第１アップリンクサブキャリア間隔およびアップリンク伝送モードの組み合わせに対応するリソースプールであり、アップリンク伝送モードは、シングルトーン伝送またはマルチトーン伝送を含む。
【００５４】
任意で、プロセッサは具体的には、動作モードとアップリンクサブキャリア間隔との間の対応関係を構成するように構成され、指示情報は、第１アップリンクサブキャリア間隔に対応する動作モードを含む、または、プロセッサは具体的には、動作モードと組み合わせ方式との間の対応関係を構成するように構成され、組み合わせ方式は、アップリンクサブキャリア間隔およびアップリンク伝送モードの組み合わせであり、アップリンク伝送モードはシングルトーン伝送またはマルチトーン伝送を含み、指示情報は、第１アップリンクサブキャリア間隔およびアップリンク伝送モードの組み合わせに対応する動作モードを含む。
【００５５】
任意で、送受信器は具体的には、指示情報を端末へ送信するように構成されている。
【００５６】
任意で、送受信器は具体的には、プロセッサが指示情報に従って、基地局が少なくとも１つの第１アップリンクサブキャリア間隔をサポートすると決定したとき、端末によって送信された、第２アップリンクサブキャリア間隔を保持する伝送スケジューリングメッセージを受信するように構成され、第２アップリンクサブキャリア間隔は、端末によってサポートされるアップリンクサブキャリア間隔であり、少なくとも１つの第１アップリンクサブキャリア間隔のうちの１つである。
【００５７】
任意で、送受信器は具体的には、プロセッサが指示情報に従って、基地局が少なくとも１つの第１アップリンクサブキャリア間隔をサポートすると決定したとき、端末によって送信された、第２アップリンクサブキャリア間隔を保持する端末カテゴリメッセージを受信するように構成され、第２アップリンクサブキャリア間隔は、端末によってサポートされるアップリンクサブキャリア間隔であり、少なくとも１つの第１アップリンクサブキャリア間隔のうちの１つである。
【００５８】
任意で、送受信器は具体的には、プロセッサが、指示情報に従って、基地局が少なくとも１つの第１アップリンクサブキャリア間隔をサポートすると決定し、プロセッサが第２アップリンクサブキャリア間隔を決定したとき、第２アップリンクサブキャリア間隔を保持する無線リソース制御ＲＲＣメッセージを端末へ送信するように構成され、第２アップリンクサブキャリア間隔は、端末によってサポートされるアップリンクサブキャリア間隔であり、少なくとも１つの第１アップリンクサブキャリア間隔のうちの１つである。
【００５９】
任意で、プロセッサは具体的には、デフォルト構成に基づいて、指示情報を決定するように構成され、デフォルト構成は、同期信号を少なくとも２つのグループに分類し、同期信号は、主同期信号および／または副同期信号を含み、各グループは、１種類のアップリンクサブキャリア間隔に対応し、指示情報は、少なくとも２つのグループにおける第１グループに対応する同期信号を含み、第１グループは第１アップリンクサブキャリア間隔に対応するグループである、または、プロセッサは具体的には、デフォルト構成に基づいて、指示情報を決定するように構成され、デフォルト構成は、同期信号を少なくとも３つのグループに分類し、同期信号は、主同期信号および／または副同期信号を含み、各グループは、１種類のアップリンクサブキャリア間隔およびアップリンク伝送モードの組み合わせに対応し、指示情報は、少なくとも３つのグループにおける第１グループに対応する同期信号を含み、第１グループは、第１アップリンクサブキャリア間隔およびアップリンク伝送モードの組み合わせに対応するグループであり、アップリンク伝送モードはシングルトーン伝送またはマルチトーン伝送を含み、送受信器は具体的には、指示情報に従って、第１グループに対応する同期信号を端末へ送信するように構成されている。
【００６０】
任意で、プロセッサは具体的には、デフォルト構成に基づいて、指示情報を決定するように構成され、デフォルト構成は、２つの連続する同期信号の間の時間間隔長に基づいて、２つの連続する同期信号の間の異なる時間間隔を少なくとも２つのグループに分類し、同期信号は主同期信号および／または副同期信号を含み、各グループは１つの時間間隔長に対応し、指示情報は、少なくとも２つのグループにおける第１グループに対応する時間間隔を有する同期信号を含み、第１グループは、第１アップリンクサブキャリア間隔に対応するグループである、または、プロセッサは具体的には、デフォルト構成に基づいて、指示情報を決定するように構成され、デフォルト構成は、２つの連続する同期信号の間の時間間隔長に基づいて、２つの連続する同期信号の間の異なる時間間隔を少なくとも３つのグループに分類し、同期信号は、主同期信号および／または副同期信号を含み、各グループは、１種類のアップリンクサブキャリア間隔およびアップリンク伝送モードの組み合わせに対応し、指示情報は、少なくとも３つのグループにおける第１グループに対応する時間間隔を有する同期信号を含み、第１グループは、第１アップリンクサブキャリア間隔およびアップリンク伝送モードの組み合わせに対応するグループであり、アップリンク伝送モードは、シングルトーン伝送またはマルチトーン伝送を含み、送受信器は具体的には、指示情報に従って、第１グループに対応する同期信号を端末へ送信するように構成されている。
【００６１】
第４態様によれば、本発明の実施形態は、端末を提供し、当該端末は、基地局と通信するように構成されている送受信器であって、当該通信では、基地局が指示情報に従って端末と通信し、指示情報は、第１アップリンクサブキャリア間隔を指示するために使用され、第１アップリンクサブキャリア間隔は、基地局によってサポートされるアップリンクサブキャリア間隔である、送受信器と、送受信器によって実行される通信に基づいて、処理を実行するように構成されているプロセッサとを備える。
【００６２】
任意で、送受信器は具体的には、基地局によって送信された指示情報を受信するように構成され、指示情報は、基地局が物理ランダムアクセスプリアンブル配列を少なくとも２つのグループに分類するときの、第１グループに対応する物理ランダムアクセスプリアンブル配列のグループ情報を含み、第１グループは、少なくとも２つのグループの各々が１種類のアップリンクサブキャリア間隔に対応するときの、第１アップリンクサブキャリア間隔に対応するグループである、または、指示情報は、基地局が物理ランダムアクセスプリアンブル配列を少なくとも３つのグループに分類するときの、第１グループに対応する物理ランダムアクセスプリアンブル配列のグループ情報を含み、第１グループは、少なくとも３つのグループの各々が、１種類のアップリンクサブキャリア間隔およびアップリンク伝送モードの組み合わせに対応するときの、第１アップリンクサブキャリア間隔およびアップリンク伝送モードの組み合わせに対応するグループであり、アップリンク伝送モードはシングルトーン伝送またはマルチトーン伝送を含む。
【００６３】
任意で、送受信器は具体的には、基地局によって送信された指示情報を受信するように構成され、指示情報は、基地局がＰＲＡＣＨ信号フォーマットに基づいて、異なるフォーマットのＰＲＡＣＨ信号を少なくとも２つのグループに分類するときの、第１グループに対応するＰＲＡＣＨ信号フォーマットを含み、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、第１グループは、少なくとも２つのグループの各々が１種類のアップリンクサブキャリア間隔に対応するときの、第１アップリンクサブキャリア間隔に対応するグループである、または、指示情報は、基地局がＰＲＡＣＨ信号フォーマットに基づいて、異なるフォーマットのＰＲＡＣＨ信号を少なくとも３つのグループに分類するときの、第１グループに対応するＰＲＡＣＨ信号フォーマットを含み、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、第１グループは、少なくとも３つのグループの各々が、１種類のアップリンクサブキャリア間隔およびアップリンク伝送モードの組み合わせに対応するときの、第１アップリンクサブキャリア間隔およびアップリンク伝送モードの組み合わせに対応するグループであり、アップリンク伝送モードはシングルトーン伝送またはマルチトーン伝送を含む。
【００６４】
任意で、送受信器は具体的には、基地局によって送信された指示情報を受信するように構成され、指示情報は、基地局がＰＲＡＣＨチャネルリソースプールを少なくとも２つのリソースプールに分類するときの、第１リソースプールの構成情報を含み、第１リソースプールは、少なくとも２つのリソースプールの各々が１種類のアップリンクサブキャリア間隔に対応するときの、第１アップリンクサブキャリア間隔に対応するリソースプールである、または、指示情報は、基地局がＰＲＡＣＨチャネルリソースプールを少なくとも３つのリソースプールに分類するときの、第１リソースプールの構成情報を含み、第１リソースプールは、少なくとも３つのリソースプールの各々が、１種類のアップリンクサブキャリア間隔およびアップリンク伝送モードの組み合わせに対応するときの、第１アップリンクサブキャリア間隔およびアップリンク伝送モードの組み合わせに対応するリソースプールであり、アップリンク伝送モードはシングルトーン伝送またはマルチトーン伝送を含む。
【００６５】
任意で、送受信器は具体的には、基地局によって送信された指示情報を受信するように構成され、指示情報は、基地局が動作モードとアップリンクサブキャリア間隔との間の対応関係を構成するときの、第１アップリンクサブキャリア間隔に対応する動作モードを含む、または、指示情報は、基地局が動作モードとアップリンクサブキャリア間隔およびアップリンク伝送モードの組み合わせ方式との間の対応関係を構成するときの、第１アップリンクサブキャリア間隔およびアップリンク伝送モードの組み合わせに対応する動作モードを含む。
【００６６】
任意で、プロセッサは具体的には、指示情報に従って、基地局によってサポートされる第１アップリンクサブキャリア間隔を決定し、指示情報に従って、第１アップリンクサブキャリア間隔が、端末によってサポートされる少なくとも１つの第２アップリンクサブキャリア間隔に含まれるかどうかを決定し、含まれる場合、アップリンク信号を基地局へ送信し、または、含まれない場合、セルを再検索するように構成されている。
【００６７】
任意で、プロセッサは具体的には、基地局が指示情報に従って、少なくとも１つの第１アップリンクサブキャリア間隔があると決定したとき、命令を送受信器へ送信し、送受信器に基地局へ伝送スケジューリングメッセージを送信させるように構成され、伝送スケジューリングメッセージは第２アップリンクサブキャリア間隔を保持し、第２アップリンクサブキャリア間隔は、端末によってサポートされるアップリンクサブキャリア間隔であり、少なくとも１つの第１アップリンクサブキャリア間隔のうちの１つである。
【００６８】
任意で、プロセッサは具体的には、基地局が指示情報に従って、少なくとも１つの第１アップリンクサブキャリア間隔があると決定したとき、命令を送受信器へ送信し、送受信器に基地局へ端末カテゴリメッセージを送信させるように構成され、端末カテゴリメッセージは第２アップリンクサブキャリア間隔を保持し、第２アップリンクサブキャリア間隔は、端末によってサポートされるアップリンクサブキャリア間隔であり、少なくとも１つの第１アップリンクサブキャリア間隔のうちの１つである。
【００６９】
任意で、プロセッサは具体的には、基地局が指示情報に従って少なくとも１つの第１アップリンクサブキャリア間隔があると決定したとき、命令を送受信器へ送信し、基地局によって送信された、第２アップリンクサブキャリア間隔を保持する無線リソース制御ＲＲＣメッセージを送受信器に受信させるように構成され、第２アップリンクサブキャリア間隔は、端末によってサポートされるアップリンクサブキャリア間隔であり、少なくとも１つの第１アップリンクサブキャリア間隔のうちの１つである。
【００７０】
任意で、送受信器は具体的には、基地局によって指示情報に従って送信された同期信号を受信するように構成され、指示情報は、基地局がデフォルト構成に基づいて、同期信号を少なくとも２つのグループに分類し、各グループが１種類のアップリンクサブキャリア間隔に対応するときの、第１グループに対応する同期信号を含み、第１グループは、第１アップリンクサブキャリア間隔に対応するグループである、または、指示情報は、基地局がデフォルト構成に基づいて、同期信号を少なくとも３つのグループに分類し、各グループが、１種類のアップリンクサブキャリア間隔およびアップリンク伝送モードの組み合わせに対応するときの、第１グループに対応する同期信号を含み、第１グループは、第１アップリンクサブキャリア間隔およびアップリンク伝送モードの組み合わせに対応するグループであり、アップリンク伝送モードはシングルトーン伝送またはマルチトーン伝送を含む。
【００７１】
任意で、送受信器は具体的には、基地局によって指示情報に従って送信された同期信号を受信するように構成され、指示情報は、基地局が、２つの連続する同期信号の間の時間間隔長に基づいて、２つの連続する同期信号の間の異なる時間間隔を少なくとも２つのグループに分類し、各グループが１つの時間間隔長に対応するときの、第１グループに対応する同期信号を含み、第１グループは、第１アップリンクサブキャリア間隔に対応するグループである、または、指示情報は、基地局が、２つの連続する同期信号の間の時間間隔長に基づいて、２つの連続する同期信号の間の異なる時間間隔を少なくとも３つのグループに分類し、各グループが１種類のアップリンクサブキャリア間隔およびアップリンク伝送モードの組み合わせに対応するときの、第１グループに対応する同期信号を含み、第１グループは、第１アップリンクサブキャリア間隔およびアップリンク伝送モードの組み合わせに対応するグループであり、アップリンク伝送モードはシングルトーン伝送またはマルチトーン伝送を含む。
【００７２】
本発明の実施形態において提供される、アップリンクサブキャリア間隔指示方法、基地局および端末によれば、基地局は、基地局によってサポートされる第１アップリンクサブキャリア間隔を指示するために使用される指示情報を決定し、指示情報に従って端末と通信する。通信中、基地局は、基地局によってサポートされる第１アップリンクサブキャリア間隔を端末に指示し、これにより、端末は次に、第１アップリンクサブキャリア間隔に基づいて、端末によってサポートされる第２アップリンクサブキャリア間隔を決定する。または、基地局は、端末によって送信された、第２アップリンクサブキャリア間隔を保持する情報を受信し、言い換えれば、端末から指示を受信し、これにより、端末によってサポートされる、または、アップリンク信号を送信するために端末によって使用されることになっている第２アップリンクサブキャリア間隔を認識する。このアップリンクサブキャリア間隔指示プロセスにおいて、基地局は、基地局によってサポートされる第１アップリンクサブキャリア間隔を端末に指示する、または、端末は端末によってサポートされる第２アップリンクサブキャリア間隔を基地局に指示する。これにより、端末は、後続のアップリンク信号送信プロセスにおいて、適切なアップリンクサブキャリア間隔を使用してアップリンク信号を送信し、基地局は、端末によって送信されたアップリンク信号を正しく復調できる。
【図面の簡単な説明】
【００７３】
【図１】現在のＬＴＥ／ＬＴＥ‐Ａにおける競合ベースのランダムアクセスプロセスを示す。
【００７４】
【図２】本発明の実施形態１に係るアップリンクサブキャリア間隔指示方法のシグナリング図である。
【００７５】
【図３】本発明の実施形態２に係るアップリンクサブキャリア間隔指示方法のシグナリング図である。
【００７６】
【図４】本発明の実施形態３に係るアップリンクサブキャリア間隔指示方法のシグナリング図である。
【００７７】
【図５Ａ】本発明の実施形態３に係るアップリンクサブキャリア間隔指示方法における、周波数分割多重化を用いたＰＲＡＣＨチャネルリソースプールの構成の概略図である。
【００７８】
【図５Ｂ】本発明実施形態３に係るアップリンクサブキャリア間隔指示方法における時分割多重化を用いたＰＲＡＣＨチャネルリソースプールの構成の概略図である。
【００７９】
【図６】本発明の実施形態４に係るアップリンクサブキャリア間隔指示方法のシグナリング図である。
【００８０】
【図７】本発明の実施形態５に係るアップリンクサブキャリア間隔指示方法のシグナリング図である。
【００８１】
【図８】本発明の実施形態８に係るアップリンクサブキャリア間隔指示方法のシグナリング図である。
【００８２】
【図９Ａ】本発明の実施形態８に係るアップリンクサブキャリア間隔指示方法におけるＮＢ‐ＰＳＳとＮＢ‐ＳＳＳとの間の間隔の概略図である。
【００８３】
【図９Ｂ】本発明の実施形態８に係るアップリンクサブキャリア間隔指示方法におけるＮＢ‐ＰＳＳとＮＢ‐ＳＳＳとの間の間隔の別の概略図である。
【００８４】
【図１０】本発明の実施形態１に係る基地局の概略構造図である。
【００８５】
【図１１】本発明の実施形態１に係る端末の概略構造図である。
【発明を実施するための形態】
【００８６】
現在、ＬＴＥ／ＬＴＥ‐Ａシステムでは、アップリンクデータ伝送およびダウンリンクデータ伝送の両方において１５ｋＨｚのサブキャリア間隔が使用されているので、サブキャリア間隔指示の問題は発生しない。加えて、ＬＴＥ／ＬＴＥ‐Ａシステムでは、異なるセル半径のために５つの物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）フォーマット、すなわち、フォーマット０からフォーマット４（Ｆｏｒｍａｔ０からＦｏｒｍａｔ４）が設計されている。フォーマット０から３のランダムアクセス信号には１．２５ｋＨｚのサブキャリア間隔が使用され、フォーマット４のランダムアクセス信号には７．５ｋＨｚのサブキャリア間隔が使用される。このことから分かるように、ランダムアクセス信号のためのサブキャリア間隔は、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）または物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）などのチャネル上で端末によって伝送される信号のためのサブキャリア間隔と異なるので、２つのサブキャリア間隔は関連していない。図１は、現在のＬＴＥ／ＬＴＥ‐Ａにおける競合ベースのランダムアクセスプロセスを示す。図１を参照すると、ランダムアクセスプロセスは以下のステップを含む。
【００８７】
ステップ１：ＵＥがランダムアクセスプリアンブル配列を基地局へ送信する。
【００８８】
このステップにおいて、ＵＥは１．２５ｋＨｚのサブキャリア間隔を使用し得るか、または、７．５ｋＨｚのサブキャリア間隔を使用し得る。
【００８９】
ステップ２：基地局がランダムアクセス応答メッセージをＵＥへ送信する。
【００９０】
ステップ３：端末がＬ２／Ｌ３情報を基地局へ送信する。
【００９１】
このステップにおいて、ＵＥは１５ｋＨｚのサブキャリア間隔を使用する。
【００９２】
ステップ４：基地局が早期競合解決メッセージを端末へ送信する。
【００９３】
ＬＴＥ／ＬＴＥ‐Ａシステムでは、アップリンクデータ伝送およびダウンリンクデータ伝送の両方において１５ｋＨｚサブキャリア間隔が使用される。したがって、ＵＥがステップ３において１５ｋＨｚサブキャリア間隔を使用するとき、基地局はアップリンク信号を解析できる。しかしながら、ＮＢ‐ＩｏＴシステムでは、端末がシングルトーン伝送を使用するとき、シングルトーン伝送において３．７５ｋＨｚサブキャリア間隔または１５ｋＨｚサブキャリア間隔が使用され得るので、ＵＥによって使用されるアップリンクサブキャリア間隔が、基地局によってサポートされるサブキャリア間隔と一致しない場合、基地局は端末のアップリンク信号を正しく復調できない。  これを念頭に、本発明の実施形態は、アップリンクサブキャリア間隔指示方法、基地局および端末を提供する。基地局および端末は、それぞれのサポートされるアップリンクサブキャリア間隔を互いに指示し、これにより、基地局は端末によって送信されたアップリンク信号を正しく復調できる。
【００９４】
本明細書において説明される技術は、ＮＢ‐ＩｏＴを様々な通信システム、例えば、現行の２Ｇおよび３Ｇ通信システム、ならびに、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、時分割多元接続（Ｔｉｍｅ  Ｄｉｖｉｓｉｏｎ  Ｍｕｌｔｉｐｌｅ  Ａｃｃｅｓｓ、ＴＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ（登録商標））システム、周波数分割多元接続（Ｆｒｅｑｕｅｎｃｙ  Ｄｉｖｉｓｉｏｎ  Ｍｕｌｔｉｐｌｅ  Ａｄｄｒｅｓｓｉｎｇ、ＦＤＭＡ）システム、直交周波数分割多元接続（Ｏｒｔｈｏｇｏｎａｌ  Ｆｒｅｑｕｅｎｃｙ‐Ｄｉｖｉｓｉｏｎ  Ｍｕｌｔｉｐｌｅ  Ａｃｃｅｓｓ、ＯＦＤＭＡ）システム、シングルキャリアＦＤＭＡ（ＳＣ‐ＦＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、Ｅ‐ＵＴＲＡシステム、および、この種類の別の通信システムなどの次世代通信システムに導入するために使用され得る。
【００９５】
本願に関連する端末は、無線端末であり得るか、または、有線端末であり得る。無線端末は、ユーザに音声および／またはデータ接続性を提供するデバイス、無線接続機能を有するハンドヘルドデバイス、または無線モデムに接続される別の処理デバイスであり得る。無線端末は、無線アクセスネットワーク（例えば、ＲＡＮ、Ｒａｄｉｏ  Ａｃｃｅｓｓ  Ｎｅｔｗｏｒｋ）を使用することで、１または複数のコアネットワークと通信し得る。無線端末は、モバイル電話（「セルラ」電話とも称される）などのモバイル端末であり得て、モバイル端末を有するコンピュータは、例えば、ポータブルで、ポケットサイズで、ハンドヘルド型で、コンピュータ内蔵または車載型のモバイル装置であり得る。モバイル端末は、音声および／またはデータを無線アクセスネットワークと交換する。例えば、無線端末は、パーソナル通信サービス（Ｐｅｒｓｏｎａｌ  Ｃｏｍｍｕｎｉｃａｔｉｏｎｓ  Ｓｅｒｖｉｃｅ、ＰＣＳ）電話、コードレス電話セット、セッション初期化プロトコル（ＳＩＰ）電話、無線ローカルループ（Ｗｉｒｅｌｅｓｓ  Ｌｏｃａｌ  Ｌｏｏｐ、ＷＬＬ）ステーション、またはパーソナルデジタルアシスタント（Ｐｅｒｓｏｎａｌ  Ｄｉｇｉｔａｌ  Ａｓｓｉｓｔａｎｔ、ＰＤＡ）などのデバイスであり得る。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）とも称され得る。
【００９６】
本願に関連する基地局は、アクセスネットワークにおける無線インタフェース上で、１または複数のセクタを使用することによって無線端末と通信するデバイスであり得る。基地局は、受信された無線フレームと、インターネットプロトコル（ＩＰ）パケットとを相互に変換するように構成され得て、無線端末と、アクセスネットワークの残りの部分との間のルータとして使用される。アクセスネットワークの残りの部分は、ＩＰネットワークを含み得る。基地局はさらに、無線インタフェースの属性管理を調整し得る。例えば、基地局は、ＧＳＭ（登録商標）またはＣＤＭＡにおけるベーストランシーバ基地局（Ｂａｓｅ  Ｔｒａｎｓｃｅｉｖｅｒ  Ｓｔａｔｉｏｎ、ＢＴＳ）であり得るか、または、ＷＣＤＭＡ（登録商標）におけるノードＢ（ＮｏｄｅＢ）であり得るか、または、ＬＴＥにおける進化型ノードＢ（ＮｏｄｅＢ、ｅＮＢまたはｅ‐ＮｏｄｅＢ、ｅｖｏｌｖｅｄ  ＮｏｄｅＢ）であり得る。これは本願において限定されない。
【００９７】
便宜上、説明を分かりやすくする目的で、ＮＢ‐ＩｏＴがＬＴＥ／ＬＴＥ‐Ａに導入され、基地局が具体的にはｅＮＢである例を使用することによって、本発明の技術的解決法を以下に詳細に説明する。詳細については図２を参照されたい。
【００９８】
図２は、本発明の実施形態１に係るアップリンクサブキャリア間隔指示方法のシグナリング図である。この実施形態は、基地局および端末がそれぞれのサポートされるアップリンクサブキャリア間隔を互いに指示する必要があるシナリオに適用可能である。具体的には、この実施形態は以下のステップを含む。
【００９９】
１０１．基地局が指示情報を決定する。
【０１００】
指示情報は第１アップリンクサブキャリア間隔を指示するために使用される。第１アップリンクサブキャリア間隔は、基地局によってサポートされるアップリンクサブキャリア間隔であり、１または複数の第１アップリンクサブキャリア間隔が存在し得る。
【０１０１】
サブキャリア間隔は、通信システムにおける基本パラメータであり、Ｈｚ単位で測定される。アップリンクデータ伝送プロセスにおいて、基地局によってサポートされるサブキャリア間隔が、端末によって使用されるアップリンクサブキャリア間隔と一致するときだけ、基地局は端末によって送信されたアップリンク信号を正しく復調できる。
【０１０２】
１０２．基地局が指示情報に従って、端末と通信する。
【０１０３】
このステップにおいて、基地局は決定された指示情報に基づいて端末と通信する。
【０１０４】
例えば、基地局が１種類のアップリンクサブキャリア間隔のみをサポートすること、言い換えれば、１種類の第１アップリンクサブキャリア間隔のみが存在することを指示情報が指示するとき、（図２において基地局から端末への１０２によって示されるように）基地局は端末と通信し、明示的または暗黙的に、基地局によってサポートされる第１アップリンクサブキャリア間隔を端末に指示する。基地局が、基地局によってサポートされる第１アップリンクサブキャリア間隔を端末に暗黙的に指示するとき、指示情報は第１アップリンクサブキャリア間隔の間接的な情報、例えば、第１アップリンクサブキャリア間隔に対応する物理ランダムアクセスプリアンブル配列のグループ情報であり、端末は指示情報を受信した後に、指示情報に従って、対応する第１アップリンクサブキャリア間隔を決定する。基地局が、基地局によってサポートされる第１アップリンクサブキャリア間隔を端末に明示的に指示するとき、指示情報は、第１アップリンクサブキャリア間隔の直接的な情報であり、具体的には、Ｈｚ単位で表される具体的なアップリンクサブキャリア間隔である。
【０１０５】
別の例として、基地局が少なくとも１つの第１アップリンクサブキャリア間隔をサポートすることを指示情報が指示するとき、例えば、基地局が、少なくとも１つの第１アップリンクサブキャリア間隔をサポートするようにデフォルトで構成されているとき、基地局は、基地局によってサポートされるアップリンクサブキャリア間隔を端末に指示する必要はないが、端末と通信するプロセスにおいて、（図２において、端末から基地局への１０２によって示されるように）端末によって送信される、第２アップリンクサブキャリア間隔を保持する伝送スケジューリングメッセージまたは同様のものを受信する。第２アップリンクサブキャリア間隔は、端末によってサポートされるアップリンクサブキャリア間隔であり、基地局によってサポートされる少なくとも１つの第１アップリンクサブキャリア間隔の１つである。
【０１０６】
１０３．端末が通信に基づいて処理を実行する。
【０１０７】
このステップにおいて、端末は、端末によってサポートされる第２アップリンクサブキャリア間隔と、基地局によってサポートされる第１アップリンクサブキャリア間隔とに基づいて対応する処理を実行する。
【０１０８】
例えば、基地局が１種類の第１アップリンクサブキャリア間隔のみをサポートすることを指示情報が指示し、基地局が指示情報を端末へ送信したとき、端末は、第２アップリンクサブキャリア間隔が第１アップリンクサブキャリア間隔と一致するかどうかを決定する。第２アップリンクサブキャリア間隔が第１アップリンクサブキャリア間隔と一致する場合、端末は、アップリンク信号または同様のものを送信し得る。第２アップリンクサブキャリア間隔が第１アップリンクサブキャリア間隔と一致しない場合、端末はセルを再検索する必要がある。
【０１０９】
別の例として、端末が２つの第２アップリンクサブキャリア間隔（３．７５ｋＨｚおよび１５ｋＨｚ）および１つの第１アップリンクサブキャリア間隔（１５ｋＨｚ）をサポートするとき、端末は、２つの第２アップリンクサブキャリア間隔から１５ｋＨｚの第２アップリンクサブキャリア間隔を決定し、この第２アップリンクサブキャリア間隔を使用することによってアップリンク信号を送信する。
【０１１０】
さらに別の例として、２つの第１アップリンクサブキャリア間隔（３．７５ｋＨｚおよび１５ｋＨｚ）があることを指示情報が指示し、端末が２つの第２アップリンクサブキャリア間隔（３．７５ｋＨｚおよび１５ｋＨｚ）もサポートすることを端末が決定するとき、端末は、２つの第２アップリンクサブキャリア間隔から、適切な第２アップリンクサブキャリア間隔を決定し、アップリンク信号を基地局へ送信する。決定プロセスにおいて、端末は、端末の機能、端末と基地局との間の通信における経路損失、端末のために基地局によって構成された第１アップリンクサブキャリア間隔、および同様のものに基づいて、２つの第２アップリンクサブキャリア間隔から、最適な第２アップリンクサブキャリア間隔を決定する。端末と基地局との間の通信における経路損失は、同期信号または参照信号を使用することによって測定され得る。概して、伝送電力が同一であれば、サブキャリア間隔が小さいほど、より長い伝送距離が保証される。したがって、経路損失が大きいとき、より小さいサブキャリア間隔が選択され得て、経路損失が小さいとき、より大きいサブキャリア間隔が選択され得る。
【０１１１】
本発明のこの実施形態において提供されるアップリンクサブキャリア間隔指示方法によれば、基地局は、基地局によってサポートされる第１アップリンクサブキャリア間隔を指示するために使用される指示情報を決定し、指示情報に従って、端末と通信する。通信中、基地局は、基地局によってサポートされる第１アップリンクサブキャリア間隔を端末に指示し、これにより、端末は次に、第１アップリンクサブキャリア間隔に基づいて、端末によってサポートされる第２アップリンクサブキャリア間隔を決定する。または、基地局は、端末によって送信された、第２アップリンクサブキャリア間隔を保持する情報を受信し、言い換えれば、端末から指示を受信し、これにより、端末によってサポートされる、または、アップリンク信号を送信するために端末によって使用されることになっている第２アップリンクサブキャリア間隔を認識する。このアップリンクサブキャリア間隔指示プロセスにおいて、基地局は、基地局によってサポートされる第１アップリンクサブキャリア間隔を端末に指示する、または、端末は端末によってサポートされる第２アップリンクサブキャリア間隔を基地局に指示する。これにより、端末は、後続のアップリンク信号送信プロセスにおいて、適切なアップリンクサブキャリア間隔を使用してアップリンク信号を送信し、基地局は、端末によって送信されたアップリンク信号を正しく復調できる。
【０１１２】
図３は、本発明の実施形態２に係るアップリンクサブキャリア間隔指示方法のシグナリング図である。この実施形態において、基地局は、異なるランダムアクセスプリアンブル配列グループを使用することによって、基地局によってサポートされる、または、基地局によって使用されることになっている第１アップリンクサブキャリア間隔を暗黙的に指示する。このプロセスにおいて、基地局は、物理ランダムアクセスプリアンブル配列を少なくとも２つのグループに分類し、各グループは、１種類のアップリンクサブキャリア間隔に対応する。この場合、指示情報は、少なくとも２つのグループにおける第１グループに対応する物理ランダムアクセスプリアンブル配列のグループ情報を含み、第１グループは、第１アップリンクサブキャリア間隔に対応するグループである。指示情報に従って端末と通信するプロセスにおいて、基地局はシステム情報ブロードキャストプロセスにおいて、指示情報、具体的には、第１アップリンクサブキャリア間隔に対応する物理ランダムアクセスプリアンブル配列のグループ情報を端末へ送信する。具体的には、この実施形態は以下のステップを含む。
【０１１３】
２０１．基地局が同期信号を端末へ送信する。
【０１１４】
同期信号は、主同期信号（Ｐｒｉｍａｒｙ  Ｓｙｎｃｈｒｏｎｉｚａｔｉｏｎ  Ｓｉｇｎａｌ、ＰＳＳ）および／または副同期信号（Ｓｅｃｏｎｄａｒｙ  Ｓｙｎｃｈｒｏｎｉｚａｔｉｏｎ  Ｓｉｇｎａｌ、ＳＳＳ）を含む。主同期信号は、例えば、ナローバンド主同期信号（ＮＢ‐ＰＳＳ）であり、副同期信号は、例えば、ナローバンド副同期信号（ＮＢ‐ＳＳＳ）である。
【０１１５】
２０２．端末は、同期信号に基づいて基地局と同期する。
【０１１６】
２０３．基地局が、グループ情報を保持するシステム情報ブロック（Ｓｙｓｔｅｍ  Ｉｎｆｏｒｍａｔｉｏｎ  Ｂｌｏｃｋ、ＳＩＢ）メッセージを端末へ送信する。
【０１１７】
概して、ランダムアクセスプロセスにおいて、端末は１組の物理ランダムアクセスプリアンブル配列から１つのＰＲＡＣＨ信号配列プリアンブル配列を選択し、選択されたＰＲＡＣＨ信号配列プリアンブル配列を基地局へ送信し得る。このステップにおいて、指示情報を決定するとき、基地局はこれらのＰＲＡＣＨ信号配列プリアンブル配列を複数のグループに予め分類し、各グループは、１種類のアップリンクサブキャリア間隔に対応する。例えば、合計でＮ個（Ｎ≧２、Ｎは正の整数）のＰＲＡＣＨ信号配列があり、Ｎ個のＰＲＡＣＨ信号配列はＧ１およびＧ２という２つのグループに分類されると想定する。Ｇ１は、配列番号が０からＮ／２−１である配列を含み、具体的には、Ｇ１＝｛０，１，...，Ｎ−１／２｝である。Ｇ２は、配列番号がＮ／２からＮ−１である配列を含み、具体的には、Ｇ２＝｛Ｎ／２，Ｎ／２＋１，...，Ｎ−１｝である。Ｇ１は、３．７５ｋＨｚアップリンクサブキャリア間隔をサポートする端末に割り当てられ得て、Ｇ２は、１５ｋＨｚアップリンクサブキャリア間隔をサポートする端末に割り当てられ得る。次に、第１アップリンクサブキャリア間隔に対応するグループ情報は、ＳＩＢメッセージに保持され、端末へ送信される。この場合、端末がグループ情報を受信した後に、端末が１つの第２アップリンクサブキャリア間隔をサポートする場合、端末は、第２アップリンクサブキャリア間隔が第１アップリンクサブキャリア間隔と一致するかどうかを決定する。第２アップリンクサブキャリア間隔が第１アップリンクサブキャリア間隔と一致する場合、ステップ２０４が実行され、第１グループから１つのＰＲＡＣＨプリアンブル配列を選択し、選択されたＰＲＡＣＨプリアンブル配列を基地局へ送信する。これに対応して、基地局がＰＲＡＣＨプリアンブル配列を検出したという条件で、端末によってサポートされる第２アップリンクサブキャリア間隔は、ＰＲＡＣＨ信号配列が属するグループに基づいて決定され得る。次に、基地局は、端末によってサポートされる第２アップリンクサブキャリア間隔に基づいて、端末に適切にアップリンクリソースを割り当て、端末のためにアップリンクリソースをスケジューリングする。そうでなければ、端末が１つの第２アップリンクサブキャリア間隔のみをサポートし、かつ、端末が指示情報に従って、第２アップリンクサブキャリア間隔が第１アップリンクサブキャリア間隔と一致しないと決定した場合、端末はセルを再検索する。加えて、端末が複数の第２アップリンクサブキャリア間隔をサポートする場合、端末は指示情報に従って、複数の第２アップリンクサブキャリア間隔から、第１アップリンクサブキャリア間隔と一致するアップリンクサブキャリア間隔を選択し、ＰＲＡＣＨ配列を選択する。
【０１１８】
本発明は、本発明のこの実施形態において、グループ情報がＳＩＢに保持され端末へブロードキャストされる例を使用することによって詳細に説明されているが、本発明はこれに限定されるものではないことに留意すべきである。別の実行可能な実装において、ＰＲＡＣＨ信号配列のグループ情報は、基地局および端末上で予め構成され得て、この場合、グループ情報はＳＩＢにおいてブロードキャストされる必要はない。
【０１１９】
２０４．端末がＰＲＡＣＨ配列を選択する。
【０１２０】
２０５．端末がＰＲＡＣＨチャネル上でメッセージ１を基地局へ送信する。
【０１２１】
このステップにおいて、端末はＰＲＡＣＨチャネル上でメッセージ１（Ｍｅｓｓａｇｅ１、Ｍｓｇ．１）を基地局へ送信する。メッセージ１は、ステップ２０４において選択されたＰＲＡＣＨ信号配列を保持する。このステップは、ＰＲＡＣＨチャネル上でランダムアクセスプリアンブル配列を送信することと同等である。
【０１２２】
２０６．基地局がメッセージ２を端末へ送信する。
【０１２３】
基地局が、端末によって送信されたＭｓｇ．１を成功裏に検出した場合、基地局はメッセージ２（Ｍｅｓｓａｇｅ２、Ｍｓｇ．２）を端末へ送信する。Ｍｓｇ．２はランダムアクセス応答メッセージであり、基地局によって端末に対して実行されたアップリンクスケジューリングについての情報を保持する。
【０１２４】
２０７．端末が第２アップリンクサブキャリア間隔を使用することによって、メッセージ３を基地局へ送信する。
【０１２５】
端末が、基地局によって送信されたＭｓｇ．２を成功裏に受信した場合、端末は、端末によって使用される第２アップリンクサブキャリア間隔を基地局が許可したとみなし、第２アップリンクサブキャリア間隔を使用することによって、第１伝送スケジューリングメッセージ、具体的には、メッセージ３（Ｍｅｓｓａｇｅ３、Ｍｓｇ．３）を基地局へ送信する。
【０１２６】
２０８．基地局がメッセージ４を端末へ送信する。
【０１２７】
基地局がＭｓｇ．３を成功裏に検出した場合、基地局は競合解決メッセージ、具体的には、メッセージ４（Ｍｅｓｓａｇｅ４、Ｍｓｇ．４）を端末へ送信する。端末がメッセージ４を成功裏に復調した場合、端末は後続の手順を継続する。そうでない場合、端末はステップ２０４に戻る。
【０１２８】
上記の実施形態において、基地局は、異なるランダムアクセスプリアンブル配列グループを使用することによって、基地局によってサポートされる、または、基地局によって使用されることになっている第１アップリンクサブキャリア間隔を暗黙的に指示する。しかしながら、本発明はこれに限定されるものではない。別の実行可能な実装において、基地局は、基地局によってサポートされる第１アップリンクサブキャリア間隔を別の方式で指示し得る。
【０１２９】
例えば、基地局は、ＰＲＡＣＨ信号のＣＰ長に基づいて、異なる巡回プリフィクス（Ｃｙｃｌｉｃ  Ｐｒｅｆｉｘ、ＣＰ）長を有するＰＲＡＣＨ信号を少なくとも２つのグループに分類し、各グループは、１種類のアップリンクサブキャリア間隔に対応し、指示情報は、少なくとも２つのグループにおける第１グループに対応するＰＲＡＣＨ信号のＣＰ長を含み、第１グループは、第１アップリンクサブキャリア間隔に対応するグループである。次に、指示情報に従って端末と通信するプロセスにおいて、基地局は、第１グループに対応するＰＲＡＣＨ信号のＣＰ長を端末へ送信する。具体的には、異なる巡回プリフィクス長は、異なるフォーマットに対応し、さらに、異なるアップリンクサブキャリア間隔に関連する。例えば、２つの巡回プリフィクス長ＣＰ１およびＣＰ２はそれぞれ、ＰＲＡＣＨ信号フォーマット１およびＰＲＡＣＨ信号フォーマット２に対応し、ＣＰ１＜ＣＰ２であり、ＣＰ１は１５ｋＨｚアップリンクサブキャリア間隔に対応し、ＣＰ２は３．７５ｋＨｚアップリンクサブキャリア間隔に対応する。
【０１３０】
別の例として、基地局は、ＰＲＡＣＨ信号のサブキャリア間隔（Ｓｕｂｃａｒｒｉｅｒ  Ｓｐａｃｉｎｇ、ＳＰ）に基づいて、異なるサブキャリア間隔を有するＰＲＡＣＨ信号を少なくとも２つのグループに分類し、各グループは、１種類のアップリンクサブキャリア間隔に対応し、指示情報は、少なくとも２つのグループにおける第１グループに対応するＰＲＡＣＨ信号のサブキャリア間隔を含み、第１グループは、第１アップリンクサブキャリア間隔に対応するグループである。次に、指示情報に従って端末と通信するプロセスにおいて、基地局は、第１グループに対応するＰＲＡＣＨ信号のサブキャリア間隔を端末へ送信する。具体的には、ＰＲＡＣＨチャネル上で伝送されるランダムアクセス信号のサブキャリア間隔は異なり、異なるＰＲＡＣＨ信号サブキャリア間隔は、異なるフォーマットに対応し、さらに、異なるアップリンクサブキャリア間隔に関連する。例えば、２つのＰＲＡＣＨ信号サブキャリア間隔ＳＰ１およびＳＰ２はそれぞれ、ＰＲＡＣＨ信号フォーマット１およびＰＲＡＣＨ信号フォーマット２に対応し、ＳＰ１は１５ｋＨｚアップリンクサブキャリア間隔に対応し、ＳＰ２は３．７５ｋＨｚアップリンクサブキャリア間隔に対応する。
【０１３１】
さらに別の例において、基地局は、ＰＲＡＣＨ信号の繰り返し周期に基づいて、異なる繰り返し周期を有するＰＲＡＣＨ信号を少なくとも２つのグループに分類し、各グループは、１種類のアップリンクサブキャリア間隔に対応し、指示情報は、少なくとも２つのグループにおける第１グループに対応するＰＲＡＣＨ信号の繰り返し周期を含み、第１グループは、第１アップリンクサブキャリア間隔に対応するグループである。次に、指示情報に従って端末と通信するプロセスにおいて、基地局は、第１グループに対応するＰＲＡＣＨ信号の繰り返し周期を端末へ送信する。具体的には、１つのＰＲＡＣＨ信号時間リソースにおいて、ランダムアクセスプリアンブル配列は、複数回繰り返され得て、異なる数の繰り返し回数は、異なる繰り返し周期（Ｒｅｐｅｔｉｔｉｏｎ  Ｐｅｒｉｏｄ、ＲＰ）に対応し、異なるＰＲＡＣＨ信号フォーマットはさらに、異なるアップリンクサブキャリア間隔に関連する。例えば、２つのＰＲＡＣＨ信号繰り返し周期ＲＰ１およびＲＰ２はそれぞれ、ＰＲＡＣＨ信号フォーマット１およびＰＲＡＣＨ信号フォーマット２に対応し、ＲＰ１は１５ｋＨｚアップリンクサブキャリア間隔に対応し、ＲＰ２は３．７５ｋＨｚアップリンクサブキャリア間隔に対応する。
【０１３２】
上記の実施形態において、本発明は、アップリンクサブキャリア間隔が具体的に１５ｋＨｚであるか、または３．７５ｋＨｚであるかが指示される例を使用することによって説明される。指示プロセスでは、ランダムアクセスプリアンブル配列が２つのグループに分類されるか、または、ＣＰ長、サブキャリア間隔、繰り返し周期もしくは同様のものに基づいて、ＰＲＡＣＨ信号フォーマットが２つのグループに分類されさえすればよい。１つのグループは、１５ｋＨｚアップリンクサブキャリア間隔に対応し、他のグループは、３．７５ｋＨｚアップリンクサブキャリア間隔に対応する。しかしながら、別の実装において、アップリンクサブキャリア間隔が具体的には１５ｋＨｚであるか、または、３．７５ｋＨｚであるかが指示されるだけでなく、アップリンク伝送モードがシングルトーン伝送であるか、または、マルチトーン伝送であるかも指示される必要がある。この場合、以下の３つの組み合わせがある。
組み合わせ１：シングルトーン伝送＋３．７５ｋＨｚアップリンクサブキャリア間隔
組み合わせ２：シングルトーン伝送＋１５ｋＨｚアップリンクサブキャリア間隔
組み合わせ３：マルチトーン伝送；１５ｋＨｚアップリンクサブキャリア間隔
【０１３３】
この場合、ランダムアクセスプリアンブル配列が、３つのグループのみに分類される必要があるか、または、ＰＲＡＣＨ信号フォーマットが、ＣＰ長、サブキャリア間隔、繰り返し周期、または同様のものに基づいて、３つのグループのみに分類される必要がある。１つのグループは、組み合わせ１に対応し、別のグループは、組み合わせ２に対応し、最後のグループは、組み合わせ３に対応する。
【０１３４】
例えば、基地局は物理ランダムアクセスプリアンブル配列を少なくとも３つのグループに分類し、各グループは、１種類のアップリンクサブキャリア間隔およびアップリンク伝送モードの組み合わせに対応し、指示情報は、少なくとも２つのグループにおける第１グループに対応する物理ランダムアクセスプリアンブル配列のグループ情報を含み、第１グループは、第１アップリンクサブキャリア間隔およびアップリンク伝送モードの組み合わせに対応するグループであり、アップリンク伝送モードはシングルトーン伝送またはマルチトーン伝送を含む。
【０１３５】
別の例において、基地局は、ＰＲＡＣＨ信号のＣＰ長に基づいて、異なる巡回プレフィックスＣＰ長を有するＰＲＡＣＨ信号を少なくとも３つのグループに分類し、各グループは、１種類のアップリンクサブキャリア間隔およびアップリンク伝送モードの組み合わせに対応し、指示情報は、少なくとも３つのグループにおける第１グループに対応するＰＲＡＣＨ信号のＣＰ長を含み、第１グループは、第１アップリンクサブキャリア間隔およびアップリンク伝送モードの組み合わせに対応するグループであり、アップリンク伝送モードはシングルトーン伝送またはマルチトーン伝送を含む。
【０１３６】
さらに別の例として、基地局は、ＰＲＡＣＨ信号のサブキャリア間隔に基づいて、異なるサブキャリア間隔を有するＰＲＡＣＨ信号を少なくとも３つのグループに分類し、各グループは、１種類のアップリンクサブキャリア間隔およびアップリンク伝送モードの組み合わせに対応し、指示情報は、少なくとも３つのグループにおける第１グループに対応するＰＲＡＣＨ信号のサブキャリア間隔を含み、第１グループは、第１アップリンクサブキャリア間隔およびアップリンク伝送モードの組み合わせに対応するグループであり、アップリンク伝送モードは、シングルトーン伝送またはマルチトーン伝送を含む。
【０１３７】
さらに別の例として、基地局は、ＰＲＡＣＨ信号の繰り返し周期に基づいて、異なる繰り返し周期を有するＰＲＡＣＨ信号を少なくとも３つのグループに分類し、各グループは、１種類のアップリンクサブキャリア間隔およびアップリンク伝送モードの組み合わせに対応し、指示情報は、少なくとも３つのグループにおける第１グループに対応するＰＲＡＣＨ信号の繰り返し周期を含み、第１グループは、第１アップリンクサブキャリア間隔およびアップリンク伝送モードの組み合わせに対応するグループであり、アップリンク伝送モードは、シングルトーン伝送またはマルチトーン伝送を含む。
【０１３８】
加えて、第１アップリンクサブキャリア間隔は、ＰＲＡＣＨ信号のＣＰ長、ＰＲＡＣＨ信号のサブキャリア間隔、または、ＰＲＡＣＨ信号の繰り返し周期を使用することによって単独で指示され得るだけでなく、ＰＲＡＣＨ信号のＣＰ長、ＰＲＡＣＨ信号のサブキャリア間隔、または、ＰＲＡＣＨ信号の繰り返し周期のうちの少なくとも２つを使用することによっても指示され得る。具体的には、基地局は、ＰＲＡＣＨ信号フォーマットに基づいて、異なるフォーマットのＰＲＡＣＨ信号を少なくとも３つのグループに分類し、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも２つのパラメータに基づいて決定される。各グループは、１種類のアップリンクサブキャリア間隔に対応し、指示情報は、少なくとも３つのグループにおける第１グループに対応するＰＲＡＣＨ信号フォーマットを含み、第１グループは、第１アップリンクサブキャリア間隔に対応するグループである、または、各グループは、１種類のアップリンクサブキャリア間隔およびアップリンク伝送モードの組み合わせに対応し、指示情報は、少なくとも３つのグループにおける第１グループに対応するＰＲＡＣＨ信号フォーマットを含み、第１グループは、第１アップリンクサブキャリア間隔およびアップリンク伝送モードの組み合わせに対応するグループであり、アップリンク伝送モードはシングルトーン伝送またはマルチトーン伝送を含む。
【０１３９】
この実施形態において、端末は、ランダムアクセス信号メッセージ（Ｍｓｇ．１）を送信した後に、端末によってサポートされる第２アップリンクサブキャリア間隔を使用することによって、第１アップリンクメッセージ（Ｍｓｇ．３）を基地局へ送信し得て、Ｍｓｇ．３は、端末によってサポートされる第２アップリンクサブキャリア間隔を明示的に基地局に指示する必要はなく、現在のＭｓｇ．３フォーマットをそのまま使用してよく、Ｍｓｇ．３フォーマットへの変更が回避される。加えて、このプロセスにおいて、同一セルによってサービスを提供される複数の端末は、端末の要件に基づいて、異なるサブキャリア間隔を構成し得る。
【０１４０】
図４は、本発明の実施形態３に係るアップリンクサブキャリア間隔指示方法のシグナリング図である。この実施形態において、基地局は、異なるＰＲＡＣＨチャネル上で伝送されるランダムアクセスプリアンブル配列を使用することによって、基地局によってサポートされる、または、基地局によって使用されることになっている第１アップリンクサブキャリア間隔を暗黙的に指示する。このプロセスにおいて、基地局は、ＰＲＡＣＨリソースプールを少なくとも２つのリソースプールに分類し、各リソースプールは、１種類のアップリンクサブキャリア間隔に対応する。この場合、指示情報は、少なくとも２つのリソースプールにおける第１リソースプールの構成情報を含み、第１リソースプールは、第１アップリンクサブキャリア間隔に対応するリソースプールである。基地局がシステム情報ブロードキャストプロセスにおいて、第１リソースプールの構成情報を端末へ送信する。具体的には、この実施形態は以下のステップを含む。
【０１４１】
３０１．基地局が同期信号を端末へ送信する。
【０１４２】
具体的には、図３におけるステップ２０１を参照されたい。ここでは詳細を再度説明しない。
【０１４３】
３０２．端末が同期信号に基づいて基地局と同期する。
【０１４４】
３０３．基地局が、リソースプール構成情報を保持するシステム情報ブロック（Ｓｙｓｔｅｍ  Ｉｎｆｏｒｍａｔｉｏｎ  Ｂｌｏｃｋ、ＳＩＢ）メッセージを端末へ送信する。
【０１４５】
具体的には、基地局は、周波数分割多重化、時分割多重化、または符号分割多重化を通して、利用可能なＰＲＡＣＨチャネルリソースを複数のＰＲＡＣＨチャネルリソースプールに分類する。異なるリソースプールは、異なるアップリンクサブキャリア間隔に関連する。端末は、基地局のリソース割り当て情報、端末の機能、別の条件、および同様のものに基づいて、使用されることになっているアップリンクサブキャリア間隔を決定する。次に、基地局は、対応するＰＲＡＣＨチャネルリソースプールにおいてランダムアクセス信号を送信し、基地局は、ランダムアクセス信号を検出した後に、端末を適切にスケジューリングできる。
【０１４６】
例えば、基地局は、３つのＰＲＡＣＨチャネルリソースプールを構成する。１つのリソースプールは、１５ｋＨｚアップリンクサブキャリア間隔をサポートする、シングルトーン伝送をアップリンク伝送モードとして使用する端末によって使用され、他の２つのＰＲＡＣＨリソースプールは、３．７５ｋＨｚアップリンクサブキャリア間隔およびシングルトーン伝送モードをサポートする端末によって使用される。この場合、リソースプールの構成情報を指示するために、３ビットの情報要素（Ｉｎｆｏｒｍａｔｉｏｎ  Ｅｌｅｍｅｎｔ、ＩＥ）が使用され得る。具体的には、表１、図５Ａおよび図５Ｂを参照されたい。表１は、ＰＲＡＣＨチャネルリソースプールとアップリンクサブキャリア間隔との間のマッピング関係を指示するＩＥの例を示す。図５Ａは、本発明の実施形態３に係るアップリンクサブキャリア間隔指示方法における、周波数分割多重化を用いたＰＲＡＣＨチャネルリソースプールの構成の概略図である。図５Ｂは、本発明の実施形態３に係るアップリンクサブキャリア間隔指示方法における、時分割多重化を用いたＰＲＡＣＨチャネルリソースプールの構成の概略図である。
【表１】
2019504574.tif 000003
【０１４７】
図５Ａを参照すると、共通ダウンリンクチャネル（Ｃｏｍｍｏｎ  ＤＬ  ｃｈａｎｎｅｌ）の物理ブロードキャストチャネル（Ｐｈｙｓｉｃａｌ  Ｂｒｏａｄｃａｓｔ  Ｃｈａｎｎｅｌ、ＰＢＣＨ）は、ＰＲＡＣＨチャネルの位置および使用モードを指示するためのブロードキャストメッセージを保持し、複数のＰＲＡＣＨチャネルは、周波数分割多重化を通して、Ｎｏ．１  ＰＲＡＣＨ信号チャネル、Ｎｏ．２  ＰＲＡＣＨチャネルおよびＮｏ．３  ＰＲＡＣＨチャネルに分類される。Ｎｏ．１  ＰＲＡＣＨチャネルおよびＮｏ．２  ＰＲＡＣＨチャネルは、３．７５ｋＨｚアップリンクサブキャリア間隔をサポートする端末によって使用され、Ｎｏ．３  ＰＲＡＣＨチャネルは、１５ｋＨｚアップリンクサブキャリア間隔をサポートする端末によって使用される。図５Ｂと図５Ａとの間の唯一の違いは、図５Ｂにおいては、リソースプールが周波数分割多重化を通して分類されることである。
【０１４８】
表１、図５Ａおよび図５Ｂを再度参照されたい。図５Ａは、同一の時間領域位置を占有し、表１におけるＩＥビット値（１  １  ０）に対応する、３つの周波数分割多重化ＰＲＡＣＨリソースプールの概略図である。図５Ｂは、同一の周波数領域位置を占有し、表１におけるＩＥビット値（１  １  ０）に対応する、３つの時分割多重化ＰＲＡＣＨチャネルリソースプールの概略図である。異なるＰＲＡＣＨチャネルリソースプールが、同一のランダムアクセスプリアンブル配列を使用し得る。基地局は、端末の報告に基づいて、リソースプールサイズおよびリソースプール数を構成または調整し得る。
【０１４９】
本発明は、本発明のこの実施形態において、ＰＲＡＣＨチャネルリソースプールの構成情報がＳＩＢに保持され端末へブロードキャストされる例を使用することによって詳細に説明されているが、本発明はこれに限定されるものではないことに留意すべきである。別の実行可能な実装において、ＰＲＡＣＨチャネルリソースプールの構成情報は、基地局および端末上で予め構成され得て、この場合、ＰＲＡＣＨチャネルリソースプールの構成情報は、ＳＩＢにおいてブロードキャストされる必要はない。
【０１５０】
３０４．端末がＰＲＡＣＨチャネルリソースプールを選択する。
【０１５１】
このステップにおいて、端末は、ＳＩＢメッセージ、端末の機能、および、別の条件に基づいて、端末によってサポートされる第２アップリンクサブキャリア間隔を決定し、ＰＲＡＣＨチャネルリソースプールを選択する。
【０１５２】
３０５．端末が選択されたＰＲＡＣＨチャネルリソースプール上で基地局へメッセージ１を送信する。
【０１５３】
このステップにおいて、端末はＰＲＡＣＨチャネル上でメッセージ１（Ｍｅｓｓａｇｅ１、Ｍｓｇ．１）を基地局へ送信する。
【０１５４】
３０６．基地局がメッセージ２を端末へ送信する。
【０１５５】
基地局が、端末によって送信されたＭｓｇ．１を成功裏に検出した場合、基地局はメッセージ２（Ｍｅｓｓａｇｅ２、Ｍｓｇ．２）を端末へ送信する。Ｍｓｇ．２はランダムアクセス応答メッセージであり、基地局によって端末に対して実行されたアップリンクスケジューリングについての情報を保持する。
【０１５６】
３０７：端末が第２アップリンクサブキャリア間隔を使用することによって、メッセージ３を基地局へ送信する。
【０１５７】
端末が、基地局によって送信されたＭｓｇ．２を成功裏に受信した場合、端末は、ステップ３０４において決定された、端末によって使用される第２アップリンクサブキャリア間隔を基地局が許可したとみなし、第２アップリンクサブキャリア間隔を使用することによって、第１伝送スケジューリングメッセージ、具体的には、メッセージ３（Ｍｅｓｓａｇｅ３、Ｍｓｇ．３）を基地局へ送信する。
【０１５８】
３０８．基地局がメッセージ４を端末へ送信する。
【０１５９】
基地局がＭｓｇ．３を成功裏に検出した場合、基地局は競合解決メッセージ、具体的には、メッセージ４（Ｍｅｓｓａｇｅ４、Ｍｓｇ．４）を端末へ送信する。端末がメッセージ４を成功裏に復調した場合、端末は後続の手順を継続する。そうでない場合、端末はステップ３０４に戻る。
【０１６０】
上記の実施形態において、本発明は、ＰＲＡＣＨリソースプールが少なくとも２つのリソースプールに分類され、各リソースプールは１種類のアップリンクサブキャリア間隔に対応する例を使用することによって詳細に説明されることに留意すべきである。しかしながら、本発明は、これに限定されるものではない。別の実行可能な実装において、各リソースプールは、１種類のアップリンクサブキャリア間隔およびアップリンク伝送モードの組み合わせに対応し得て、指示情報は、少なくとも２つのリソースプールにおける第１リソースプールの構成情報を含み、第１リソースプールは、第１アップリンクサブキャリア間隔およびアップリンク伝送モードの組み合わせに対応するリソースプールであり、アップリンク伝送モードは、シングルトーン伝送またはマルチトーン伝送を含む。指示情報に従って端末と通信する後続のプロセスにおいて、基地局は、第１アップリンクサブキャリア間隔およびアップリンク伝送モードの組み合わせに対応するリソースプールの構成情報を端末へ送信する。例えば、図５Ａおよび図５Ｂにおいて、Ｎｏ．１  ＰＲＡＣＨチャネルは、３．７５ｋＨｚアップリンクサブキャリア間隔およびシングルトーン伝送をサポートする端末によって使用され、Ｎｏ．２  ＰＲＡＣＨチャネルは、１５ｋＨｚアップリンクサブキャリア間隔およびシングルトーン伝送をサポートする端末によって使用され、Ｎｏ．３  ＰＲＡＣＨチャネルは、１５ｋＨｚアップリンクサブキャリア間隔およびマルチトーン伝送をサポートする端末によって使用される。この場合、表１における３ビットＩＥ値の意味は変更される。
【０１６１】
この実施形態において、端末は、ランダムアクセス信号メッセージ（Ｍｓｇ．１）を送信した後に、端末によってサポートされる第２アップリンクサブキャリア間隔を使用することによって、第１アップリンクメッセージ（Ｍｓｇ．３）を基地局へ送信し得て、Ｍｓｇ．３は、端末によってサポートされる第２アップリンクサブキャリア間隔を明示的に基地局に指示する必要はなく、現在のＭｓｇ．３フォーマットをそのまま使用してよく、Ｍｓｇ．３フォーマットへの変更が回避される。加えて、このプロセスにおいて、同一セルによってサービスを提供される端末は、端末の要件に基づいて、異なるサブキャリア間隔を構成し得る。加えて、この実施形態において、１つのＰＲＡＣＨチャネルリソースプールは複数のＰＲＡＣＨチャネルリソースプールとして多重化される。したがって、より多くの端末がＰＲＡＣＨチャネルリソースプールにアクセスでき、ランダムアクセス競合の確率が低下し、これにより、基地局によって送信される指示情報の信頼性がより高くなる。
【０１６２】
図６は、本発明の実施形態４に係るアップリンクサブキャリア間隔指示方法のシグナリング図である。この実施形態において、基地局は、指示情報に基づいて、基地局が少なくとも１つの第１アップリンクサブキャリア間隔をサポートすると決定する。基地局と通信するプロセスにおいて、端末はＭｓｇ．３において、端末によってサポートされる第２アップリンクサブキャリア間隔を明示的に指示する。具体的には、この実施形態は以下のステップを含む。
【０１６３】
４０１．基地局が同期信号を端末へ送信する。
【０１６４】
具体的には、図３におけるステップ２０１を参照されたい。ここでは詳細を再度説明しない。
【０１６５】
４０２．端末が同期信号に基づいて基地局と同期する。
【０１６６】
４０３．基地局が、第１アップリンクサブキャリア間隔の構成情報を保持するシステム情報ブロック（Ｓｙｓｔｅｍ  Ｉｎｆｏｒｍａｔｉｏｎ  Ｂｌｏｃｋ、ＳＩＢ）メッセージを端末へ送信する。
【０１６７】
基地局が少なくとも１種類の第１アップリンクサブキャリア間隔をサポートするとき、第１アップリンクサブキャリア間隔の構成情報を指示するために２ビットが使用され得る。具体的には、表２を参照されたい。表２は、ＳＩＢに保持される、第１アップリンクサブキャリア間隔である２ビットの構成情報のＩＥの例を示す。２種類の第１アップリンクサブキャリア間隔がある場合、言い換えれば、基地局がデフォルトで２種類のサブキャリア間隔の両方をサポートする場合、第１アップリンクサブキャリア間隔の構成情報は、ＳＩＢメッセージにおいて保持される必要はない。
【表２】
2019504574.tif 000004
【０１６８】
加えて、基地局が管理ポリシーに基づいて、３．７５ｋＨｚまたは１５ｋＨｚのいずれかを構成する場合、第１アップリンクサブキャリア間隔の構成情報を指示するために１ビットが使用され得る。具体的には、表３を参照されたい。表３は、ＳＩＢに保持される、第１アップリンクサブキャリア間隔である１ビットの構成情報のＩＥの例を示す。
【表３】
2019504574.tif 000005
【０１６９】
シングルトーン伝送モードおよびマルチトーン伝送モードが考慮されないとき、基地局がデフォルトの２種類の第１アップリンクサブキャリア間隔をサポートする場合、具体的には、基地局が３．７５ｋＨｚアップリンクサブキャリア間隔および１５ｋＨｚアップリンクサブキャリア間隔の両方をサポートする場合、第１アップリンクサブキャリア間隔の構成情報は、ＳＩＢメッセージにおいてブロードキャストされなくてよいことに留意すべきである。この場合、端末はメッセージ３において、第２アップリンクサブキャリア間隔を指示するために１ビットを使用し、これにより、端末が後続のアップリンク伝送において３．７５ｋＨｚアップリンクサブキャリア間隔をサポートするか、または、１５ｋＨｚアップリンクサブキャリア間隔をサポートするかを基地局に指示する。このプロセスにおいて、Ｍｓｇ．３がＰＵＳＣＨ上で伝送されるので、３．７５ｋＨｚまたは１５ｋＨｚなどのデフォルトのサブキャリア間隔が指定される必要がある。
【０１７０】
４０４．端末がＰＲＡＣＨチャネル上でメッセージ１を基地局へ送信する。
【０１７１】
４０５．基地局がメッセージ２を端末へ送信する。
【０１７２】
基地局が、端末によって送信されたＭｓｇ．１を成功裏に検出した場合、基地局はメッセージ２（Ｍｅｓｓａｇｅ２、Ｍｓｇ．２）を端末へ送信する。Ｍｓｇ．２はランダムアクセス応答メッセージであり、基地局によって端末に対して実行されたアップリンクスケジューリングについての情報を保持する。
【０１７３】
４０６．端末が第２アップリンクサブキャリア間隔を決定する。
【０１７４】
このステップにおいて、端末は、ＳＩＢメッセージ、端末の機能、および、別の条件に基づいて、端末によってサポートされる第２アップリンクサブキャリア間隔を決定する。
【０１７５】
４０７．端末が、第２アップリンクサブキャリア間隔の構成情報を保持するメッセージ３を基地局へ送信する。
【０１７６】
ステップ４０３と同様に、第２アップリンクサブキャリア間隔の構成情報は、ビットを使用することによっても指示され得る。具体的には、表４を参照されたい。表４は、Ｍｓｇ．３に保持される、第２アップリンクサブキャリア間隔である１ビットの構成情報のＩＥの例を示す。
【表４】
2019504574.tif 000006
【０１７７】
端末が、基地局によって送信されたＭｓｇ．２を成功裏に受信した場合、端末は、端末によって使用される第２アップリンクサブキャリア間隔を基地局が許可したとみなし、第２アップリンクサブキャリア間隔を使用することによって、第１伝送スケジューリングメッセージ、具体的には、メッセージ３（Ｍｅｓｓａｇｅ３、Ｍｓｇ．３）を基地局へ送信する。
【０１７８】
４０８．基地局がメッセージ４を端末へ送信する。
【０１７９】
基地局がＭｓｇ．３を成功裏に検出した場合、基地局は競合解決メッセージ、具体的には、メッセージ４（Ｍｅｓｓａｇｅ４、Ｍｓｇ．４）を端末へ送信する。端末がメッセージ４を成功裏に復調した場合、端末は後続の手順を継続する。そうでない場合、端末はステップ４０４に戻る。
【０１８０】
図７は、本発明の実施形態５に係るアップリンクサブキャリア間隔指示方法のシグナリング図である。この実施形態において、システム情報ブロードキャストプロセスにおいて、基地局は、動作モードを使用することによって、基地局によってサポートされる、または、基地局によって使用されることになっている第１アップリンクサブキャリア間隔を暗黙的に指示する。このプロセスにおいて、基地局は、動作モードとアップリンクサブキャリア間隔との間の対応関係を構成する。この場合、指示情報は第１アップリンクサブキャリア間隔に対応する動作モードを含む。指示情報に従って端末と通信する後続のプロセスにおいて、基地局は、基地局によってサポートされる動作モードを端末へ送信する。具体的には、この実施形態は以下のステップを含む。
【０１８１】
５０１．基地局が同期信号を端末へ送信する。
【０１８２】
具体的には、図３におけるステップ２０１を参照されたい。ここでは詳細を再度説明しない。
【０１８３】
５０２．端末が同期信号に基づいて基地局と同期する。
【０１８４】
５０３．基地局が、動作モード情報を保持するマスター情報ブロック（Ｍａｓｔｅｒ  Ｉｎｆｏｒｍａｔｉｏｎ  Ｂｌｏｃｋ、ＳＩＢ）メッセージを端末へ送信する。
【０１８５】
ＮＢ‐ＩｏＴワークグループは、３つの動作モードを定義している。
（１）インバンドモード（Ｉｎ‐ｂａｎｄ  ｍｏｄｅ）：ＮＢ‐ＩｏＴシステムがＬＴＥキャリア上のリソースを使用することを示す。
（２）ガードバンドモード（Ｇｕａｒｄ  ｂａｎｄ  ｍｏｄｅ）：ＮＢ‐ＩｏＴシステムがＬＴＥガードバンド上のリソースを使用することを示す。
（３）スタンドアロンモード（Ｓｔａｎｄａｌｏｎｅ  ｍｏｄｅ）：ＮＢ‐ＩｏＴシステムが非ＬＴＥキャリアリソースを使用することを示す。
【０１８６】
１５ｋＨｚアップリンクサブキャリア間隔がＬＴＥにおいて使用されるので、ＬＴＥアップリンク伝送上の干渉を低減するべく、基地局は、インバンドモードにおいて１５ｋＨｚアップリンクサブキャリア間隔を使用するように、ならびに、ガードバンドモードおよびスタンドアロンモードにおいて３．７５ｋＨｚアップリンクサブキャリア間隔を使用するように、端末、具体的にはＮＢ‐ＩｏＴ端末を構成し得る。具体的には、表５を参照されたい。表５は、動作モードおよびアップリンクサブキャリア間隔の構成方式を示す。
【表５】
2019504574.tif 000007
【０１８７】
アップリンクサブキャリア間隔が具体的には１５ｋＨｚであるか、または、３．７５ｋＨｚであるかが指示されるだけでなく、アップリンク伝送モードがシングルトーン伝送であるか、または、マルチトーン伝送であるかも指示される必要がある。この場合、基地局によってサポートされる第１アップリンクサブキャリア間隔は、動作モードを使用することによっても暗黙的に指示され得る。このプロセスにおいて、基地局は、動作モードと組み合わせ方式との間の対応関係を構成し、組み合わせ方式は、アップリンクサブキャリア間隔およびアップリンク伝送モードの組み合わせであり、アップリンク伝送モードは、シングルトーン伝送またはマルチトーン伝送を含み、指示情報は、第１アップリンクサブキャリア間隔およびアップリンク伝送モードの組み合わせに対応する動作モードを含む。具体的には、表６を参照されたい。表６は、動作モードおよびアップリンクサブキャリア間隔の別の構成方式を示す。
【表６】
2019504574.tif 000008
【０１８８】
このステップにおいて、ＭＩＢメッセージにおいて伝送される動作モードを指示するために２ビットＩＥが使用され得る。端末は、ＭＩＢメッセージを受信した後、基地局によって構成された第１アップリンクサブキャリア間隔を認識し得て、端末によってサポートされる第２アップリンクサブキャリア間隔を基地局に指示する必要はない。
【０１８９】
任意で、このステップにおいて、基地局が複数の動作モードをサポートする場合、基地局はＭＩＢメッセージにおいて、構成情報および動作モードを共にブロードキャストし得て、言い換えると、異なるバンド上で異なる動作モードを使用する。端末は、構成メッセージを受信した後、対応するバンド上で対応する第１アップリンクサブキャリア間隔を使用する。
【０１９０】
５０４．端末が、ＰＲＡＣＨチャネル上でメッセージ１を基地局へ送信する。
【０１９１】
５０５．基地局がメッセージ２を端末へ送信する。
【０１９２】
基地局が、端末によって送信されたＭｓｇ．１を成功裏に検出した場合、基地局はメッセージ２（Ｍｅｓｓａｇｅ２、Ｍｓｇ．２）を端末へ送信する。Ｍｓｇ．２はランダムアクセス応答メッセージであり、基地局によって端末に対して実行されたアップリンクスケジューリングについての情報を保持する。
【０１９３】
５０６：端末が第１アップリンクサブキャリア間隔を使用することによって、メッセージ３を基地局へ送信する。
【０１９４】
端末が、基地局によって送信されたＭｓｇ．２を成功裏に受信した場合、端末が第１アップリンクサブキャリア間隔を使用することによって、第１伝送スケジューリングメッセージ、具体的にはメッセージ３（Ｍｅｓｓａｇｅ３、Ｍｓｇ．３）を基地局へ送信したとみなされる。
【０１９５】
５０７．基地局がメッセージ４を端末へ送信する。
【０１９６】
基地局がＭｓｇ．３を成功裏に検出した場合、基地局は競合解決メッセージ、具体的には、メッセージ４（Ｍｅｓｓａｇｅ４、Ｍｓｇ．４）を端末へ送信する。端末がメッセージ４を成功裏に復調した場合、端末は後続の手順を継続する。そうでない場合、端末はステップ５０４に戻る。
【０１９７】
この実施形態において、端末はＭｓｇ．３において、端末によってサポートされる第２アップリンクサブキャリア間隔を明示的に基地局に指示する必要はない。したがって、Ｍｓｇ．３におけるビットが節約される。
【０１９８】
実施形態２、実施形態３、実施形態４および実施形態５において、システム情報ブロードキャストプロセスにおいて、基地局は、基地局によってサポートされる第１アップリンクサブキャリア間隔を端末に指示する。しかしながら、本発明はこれに限定されるものではない。別の実行可能な実装において、基地局は、端末のランダムアクセスプロセス後に、端末から指示を受信し得る。この場合、ランダムアクセスプロセス後に、端末は、端末によってサポートされる第２アップリンクサブキャリア間隔を基地局に指示する。詳細については、実施形態６を参照されたい。代替的に、基地局は、端末のランダムアクセスプロセス後に、基地局によってサポートされる第１アップリンクサブキャリア間隔を端末に指示し得る。詳細については、実施形態７を参照されたい。代替的に、基地局は、端末のランダムアクセスプロセスの前に、基地局によってサポートされる第１アップリンクサブキャリア間隔を端末に指示し得る。詳細については、実施形態８を参照されたい。
【０１９９】
本発明の実施形態に係る実施形態６におけるアップリンクサブキャリア間隔指示方法において、基地局は、指示情報に従って、基地局が少なくとも１つの第１アップリンクサブキャリア間隔をサポートすると決定し、端末によってサポートされる第２アップリンクサブキャリア間隔は、少なくとも１つの第１アップリンクサブキャリア間隔のうちの１つである。端末がアップリンクサブキャリア間隔を調整する必要があるとき、端末は、ランダムアクセスプロセスの後に、端末カテゴリ（ＵＥカテゴリ）メッセージにおいて、端末によってサポートされる第２アップリンクサブキャリア間隔を基地局に指示し得る。具体的には、端末は、ＵＥカテゴリメッセージにおいて、端末が次に３．７５ｋＨｚアップリンクサブキャリア間隔をサポートするか、または、１５ｋＨｚアップリンクサブキャリア間隔をサポートするかを指示する。これに対応して、基地局は、ランダムアクセスプロセス後に端末によって送信された、第２アップリンクサブキャリア間隔を保持する端末カテゴリ（ＵＥ  ｃａｔｅｇｏｒｙ）メッセージを受信する。この実施形態において、端末はＭｓｇ．３において、端末によってサポートされる第２アップリンクサブキャリア間隔を明示的に基地局に指示する必要はない。したがって、Ｍｓｇ．３におけるビットが節約される。
【０２００】
本発明の実施形態に係る実施形態７におけるアップリンクサブキャリア間隔指示方法において、基地局は、端末のランダムアクセスプロセス後に、無線リソース制御（Ｒａｄｉｏ  Ｒｅｓｏｕｒｃｅ  Ｃｏｎｔｒｏｌ、ＲＲＣ）シグナリングを使用することによって、基地局によってサポートされる第１アップリンクサブキャリア間隔を端末に指示し得る。具体的には、基地局は、指示情報に従って、基地局が少なくとも１つの第１アップリンクサブキャリア間隔をサポートすると決定し、端末によってサポートされる第２アップリンクサブキャリア間隔は、少なくとも１つの第１アップリンクサブキャリア間隔のうちの１つである。基地局および端末の両方が２種類のアップリンクサブキャリア間隔をサポートするとき、基地局は、端末によってサポートされる複数の第２アップリンクサブキャリア間隔のうちの１つである第２アップリンクサブキャリア間隔を決定し、基地局は、第２アップリンクサブキャリア間隔を保持する無線リソース制御（Ｒａｄｉｏ  Ｒｅｓｏｕｒｃｅ  Ｃｏｎｔｒｏｌ、ＲＲＣ）メッセージを端末へ送信する。このプロセスにおいて、ＲＲＣシグナリングは、狭帯域物理ダウンリンク共有チャネル（Ｎａｒｒｏｗｂａｎｄ‐Ｐｈｙｓｉｃａｌ  Ｄｏｗｎｌｉｎｋ  Ｓｈａｒｅｄ  Ｃｈａｎｎｅｌ、ＮＢ‐ＰＤＳＣＨ）上で伝送され、端末によって使用される第２アップリンクサブキャリア間隔を指示するために１ビットが使用され得る。この実施形態において、端末はＭｓｇ．３において、端末によってサポートされる第２アップリンクサブキャリア間隔を明示的に基地局に指示する必要はない。したがって、Ｍｓｇ．３におけるビットが節約される。
【０２０１】
図８は、本発明の実施形態８に係るアップリンクサブキャリア間隔指示方法のシグナリング図である。この実施形態において、基地局は、同期信号を使用することによって、第１アップリンクサブキャリア間隔を暗黙的に指示する。このプロセスにおいて、考えられる実装において、基地局は、同期信号を少なくとも２つのグループに分類し、各グループは、１種類のアップリンクサブキャリア間隔に対応する。この場合、指示情報は、少なくとも２つのグループにおける第１グループに対応する同期信号を含み、第１グループは、第１アップリンクサブキャリア間隔に対応するグループであり、同期信号は、主同期信号および／または副同期信号を含む。次に、指示情報に従って端末と通信するプロセスにおいて、基地局は、指示情報に従って、第１グループに対応する同期信号を端末へ送信する。別の考えられる実装において、基地局は、２つの連続する同期信号の間の時間間隔長に基づいて、２つの連続する同期信号の間の異なる時間間隔を２つのグループに分類し、各グループは、１種類のアップリンクサブキャリア間隔に対応する。この場合、指示情報は、少なくとも２つのグループにおける第１グループに対応する時間間隔を有する同期信号を含み、第１グループは、第１アップリンクサブキャリア間隔に対応するグループであり、同期信号は、主同期信号および／または副同期信号を含む。次に、指示情報に従って端末と通信するプロセスにおいて、基地局は、指示情報に従って、第１グループに対応する同期信号を端末へ送信する。具体的には、この実施形態は以下のステップを含む。
【０２０２】
６０１：基地局が同期信号を端末へ送信する。
【０２０３】
同期信号は、主同期信号（Ｐｒｉｍａｒｙ  Ｓｙｎｃｈｒｏｎｉｚａｔｉｏｎ  Ｓｉｇｎａｌ、ＰＳＳ）および／または副同期信号（Ｓｅｃｏｎｄａｒｙ  Ｓｙｎｃｈｒｏｎｉｚａｔｉｏｎ  Ｓｉｇｎａｌ、ＳＳＳ）を含む。主同期信号は、例えば、ナローバンド一次同期信号（ＮＢ‐ＰＳＳ）であり、副同期信号は、例えば、ナローバンド二次同期信号（ＮＢ‐ＳＳＳ）である。
【０２０４】
考えられる実装において、基地局は、１組のＮＢ‐ＰＳＳ配列および／またはＮＢ‐ＳＳＳ配列を使用することによって第１アップリンクサブキャリア間隔を指示し得る。
【０２０５】
具体的には、基地局は、ＮＢ‐ＰＳＳまたはＮＢ‐ＳＳＳを２つのグループ、例えば、グループ０およびグループ１に分類する。グループ０は、基地局が３．７５ｋＨｚの第１アップリンクサブキャリア間隔をサポートすることを指示し、グループ１は、基地局が１５ｋＨｚの第１アップリンクサブキャリア間隔をサポートすることを指示する。この場合、基地局がグループ０における同期信号を送信するとき、基地局が３．７５ｋＨｚの第１アップリンクサブキャリア間隔をサポートすることを端末に指示することと同等であり、基地局がグループ１における同期信号を送信するとき、基地局が１５ｋＨｚの第１アップリンクサブキャリア間隔をサポートすることを端末に指示することと同等である。
【０２０６】
別の考えられる実装において、基地局は、ＮＢ‐ＰＳＳ配列とＮＢ‐ＳＳＳ配列との間の間隔を使用することによって第１アップリンクサブキャリア間隔を指示し得る。具体的には、図９Ａおよび図９Ｂを参照すると、図９Ａは、本発明の実施形態８に係るアップリンクサブキャリア間隔指示方法におけるＮＢ‐ＰＳＳとＮＢ‐ＳＳＳとの間の間隔の概略図であり、図９Ｂは、本発明の実施形態８に係るアップリンクサブキャリア間隔指示方法におけるＮＢ‐ＰＳＳとＮＢ‐ＳＳＳとの間の間隔の別の概略図である。
【０２０７】
図９Ａを参照すると、距離０（Ｄｉｓｔａｎｃｅ０）は、基地局が３．７５ｋＨｚの第１アップリンクサブキャリア間隔をサポートすることを指示する。端末が距離０を検出したとき、端末は、指示情報に従って、基地局が３．７５ｋＨｚの第１アップリンクサブキャリア間隔をサポートすると決定し、端末は次に、３．７５ｋＨｚのサブキャリア間隔を使用して、Ｍｓｇ．３を送信する。そうでない場合、端末は１５ｋＨｚアップリンクサブキャリア間隔を使用する。
【０２０８】
図９Ｂを参照すると、距離１（Ｄｉｓｔａｎｃｅ１）は、基地局が３．７５ｋＨｚの第１アップリンクサブキャリア間隔をサポートすることを指示する。端末が距離１を検出したとき、端末は、指示情報に従って、基地局が３．７５ｋＨｚの第１アップリンクサブキャリア間隔をサポートすると決定し、端末は次に、３．７５ｋＨｚのサブキャリア間隔を使用して、Ｍｓｇ．３を送信する。そうでない場合、端末は１５ｋＨｚアップリンクサブキャリア間隔を使用する。
【０２０９】
実施形態９Ａおよび９Ｂにおいて、２つの連続する同期信号はＮＢ‐ＰＳＳおよびＮＢ‐ＳＳＳであることに留意すべきである。しかしながら、本発明はこれに限定されるものではない。別の実行可能な実装において、２つの連続する同期信号は、ＮＢ‐ＰＳＳであり得るか、または、ＮＢ‐ＳＳＳであり得る。
【０２１０】
６０２．端末が同期信号に基づいて基地局と同期する。
【０２１１】
６０３．基地局がシステム情報ブロック（Ｓｙｓｔｅｍ  Ｉｎｆｏｒｍａｔｉｏｎ  Ｂｌｏｃｋ、ＳＩＢ）メッセージを端末へ送信する。
【０２１２】
このステップにおいて、端末は、ＳＩＢメッセージを使用することによって、システム情報を端末へ送信およびブロードキャストする。
【０２１３】
６０４．端末がＰＲＡＣＨチャネル上でメッセージ１を基地局へ送信する。
【０２１４】
具体的には、図３におけるステップ２０５を参照されたい。ここでは詳細を再度説明しない。
【０２１５】
６０５．基地局がメッセージ２を端末へ送信する。
【０２１６】
具体的には、図３におけるステップ２０６を参照されたい。ここでは詳細を再度説明しない。
【０２１７】
６０６．端末が、同期信号に対応するアップリンクサブキャリア間隔を使用することによってメッセージ３を基地局へ送信する。
【０２１８】
６０７．基地局がメッセージ４を端末へ送信する。
【０２１９】
基地局がＭｓｇ．３を成功裏に検出した場合、基地局は競合解決メッセージ、具体的には、メッセージ４（Ｍｅｓｓａｇｅ４、Ｍｓｇ．４）を端末へ送信する。その後、端末は後続の手順を継続する。端末がＭｓｇ．３の検出に失敗した場合、端末はステップ２０４に戻る。
【０２２０】
この実施形態において、端末はＭｓｇ．３において、端末によってサポートされる第２アップリンクサブキャリア間隔を明示的に基地局に指示する必要はない。したがって、Ｍｓｇ．３におけるビットが節約される。
【０２２１】
上記の実施形態において、本発明は、同期信号が少なくとも２つのグループに分類され、各グループが１種類のアップリンクサブキャリア間隔に対応する例を使用することによって詳細に説明されることに留意すべきである。しかしながら、本発明はこれに限定されるものではない。別の実行可能な実装において、各グループは、１種類のアップリンクサブキャリア間隔およびアップリンク伝送モードの組み合わせに対応し得る。例えば、各グループが１種類のアップリンクサブキャリア間隔およびアップリンク伝送モードの組み合わせに対応するとき、第１グループは、第１アップリンクサブキャリア間隔およびアップリンク伝送モードの組み合わせに対応するグループであり、アップリンク伝送モードは、シングルトーン伝送またはマルチトーン伝送を含む。別の例として、各グループが１種類のアップリンクサブキャリア間隔およびアップリンク伝送モードの組み合わせに対応するとき、第１グループは、第１アップリンクサブキャリア間隔およびアップリンク伝送モードの組み合わせに対応するグループであり、アップリンク伝送モードは、シングルトーン伝送またはマルチトーン伝送を含む。
【０２２２】
図１０は、本発明の実施形態１に係る基地局の概略構造図である。この実施形態において提供される基地局は、本発明の任意の実施形態において提供される、基地局に適用される方法の段階を実装し得る。具体的な実装プロセスは、ここでは説明しない。具体的には、この実施形態において提供される基地局は、第１アップリンクサブキャリア間隔を指示するために使用される指示情報を決定するように構成されているプロセッサ１１であって、第１アップリンクサブキャリア間隔は基地局によってサポートされるアップリンクサブキャリア間隔である、プロセッサ１１と、プロセッサ１１によって決定された指示情報に従って端末と通信するように構成されている送受信器１２とを備える。
【０２２３】
本発明のこの実施形態において提供される基地局によれば、基地局は、基地局によってサポートされる第１アップリンクサブキャリア間隔を指示するために使用される指示情報を決定し、指示情報に従って端末と通信する。通信中、基地局は、基地局によってサポートされる第１アップリンクサブキャリア間隔を端末に指示し、これにより、端末は次に、第１アップリンクサブキャリア間隔に基づいて、端末によってサポートされる第２アップリンクサブキャリア間隔を決定する。または、基地局は、端末によって送信された、第２アップリンクサブキャリア間隔を保持する情報を受信し、言い換えれば、端末から指示を受信し、これにより、端末によってサポートされる、または、アップリンク信号を送信するために端末によって使用されることになっている第１アップリンクサブキャリア間隔を認識する、または、端末が、端末によってサポートされる第２アップリンクサブキャリア間隔を基地局に指示する。このアップリンクサブキャリア間隔指示プロセスにおいて、基地局は、基地局によってサポートされる第１アップリンクサブキャリア間隔を端末に指示する、または、端末は端末によってサポートされる第２アップリンクサブキャリア間隔を基地局に指示する。これにより、端末は、後続のアップリンク信号送信プロセスにおいて、適切なアップリンクサブキャリア間隔を使用してアップリンク信号を送信し、基地局は、端末によって送信されたアップリンク信号を正しく復調できる。
【０２２４】
任意で、本発明の一実施形態において、プロセッサ１１は、具体的には、物理ランダムアクセスプリアンブル配列を少なくとも２つのグループに分類するように構成され、各グループは、１種類のアップリンクサブキャリア間隔に対応し、指示情報は、少なくとも２つのグループにおける第１グループに対応する物理ランダムアクセスプリアンブル配列のグループ情報を含み、第１グループは、第１アップリンクサブキャリア間隔に対応するグループである、または、プロセッサ１１は、具体的には、物理ランダムアクセスプリアンブル配列を少なくとも３つのグループに分類するように構成され、各グループは、１種類のアップリンクサブキャリア間隔およびアップリンク伝送モードの組み合わせに対応し、指示情報は、少なくとも３つのグループにおける第１グループに対応する物理ランダムアクセスプリアンブル配列のグループ情報を含み、第１グループは、第１アップリンクサブキャリア間隔およびアップリンク伝送モードの組み合わせに対応するグループであり、アップリンク伝送モードは、シングルトーン伝送またはマルチトーン伝送を含む。
【０２２５】
任意で、本発明の一実施形態において、プロセッサ１１は具体的には、ＰＲＡＣＨ信号フォーマットに基づいて、異なるフォーマットのＰＲＡＣＨ信号を少なくとも２つのグループに分類するように構成され、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、各グループは、１種類のアップリンクサブキャリア間隔に対応し、指示情報は、少なくとも２つのグループにおける第１グループに対応するＰＲＡＣＨ信号フォーマットを含み、第１グループは、第１アップリンクサブキャリア間隔に対応するグループである、または、プロセッサ１１は具体的には、ＰＲＡＣＨ信号フォーマットに基づいて、異なるフォーマットのＰＲＡＣＨ信号を少なくとも３つのグループに分類するように構成され、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、各グループは、１種類のアップリンクサブキャリア間隔およびアップリンク伝送モードの組み合わせに対応し、指示情報は、少なくとも３つのグループにおける第１グループに対応するＰＲＡＣＨ信号フォーマットを含み、第１グループは、第１アップリンクサブキャリア間隔およびアップリンク伝送モードの組み合わせに対応するグループであり、アップリンク伝送モードはシングルトーン伝送またはマルチトーン伝送を含む。
【０２２６】
任意で、本発明の一実施形態において、プロセッサ１１は具体的には、ＰＲＡＣＨチャネルリソースプールを少なくとも２つのリソースプールに分類するように構成され、各リソースプールは、１種類のアップリンクサブキャリア間隔に対応し、指示情報は、少なくとも２つのリソースプールにおける第１リソースプールの構成情報を含み、第１リソースプールは、第１アップリンクサブキャリア間隔に対応するリソースプールである、または、プロセッサ１１は具体的には、ＰＲＡＣＨチャネルリソースプールを少なくとも３つのリソースプールに分類するように構成され、各リソースプールは、１種類のアップリンクサブキャリア間隔およびアップリンク伝送モードの組み合わせに対応し、指示情報は、少なくとも３つのリソースプールにおける第１リソースプールの構成情報を含み、第１リソースプールは、第１アップリンクサブキャリア間隔およびアップリンク伝送モードの組み合わせに対応するリソースプールであり、アップリンク伝送モードは、シングルトーン伝送またはマルチトーン伝送を含む。
【０２２７】
任意で、本発明の一実施形態において、プロセッサ１１は具体的には、動作モードとアップリンクサブキャリア間隔との間の対応関係を構成するように構成され、指示情報は、第１アップリンクサブキャリア間隔に対応する動作モードを含む、または、プロセッサ１１は具体的には、動作モードと組み合わせ方式との間の対応関係を構成するように構成され、組み合わせ方式は、アップリンクサブキャリア間隔およびアップリンク伝送モードの組み合わせであり、アップリンク伝送モードはシングルトーン伝送またはマルチトーン伝送を含み、指示情報は、第１アップリンクサブキャリア間隔およびアップリンク伝送モードの組み合わせに対応する動作モードを含む。
【０２２８】
任意で、本発明の一実施形態において、送受信器１２は具体的には、指示情報を端末へ送信するように構成されている。
【０２２９】
任意で、本発明の一実施形態において、送受信器１２は具体的には、プロセッサが指示情報に従って、基地局が少なくとも１つの第１アップリンクサブキャリア間隔をサポートすると決定したとき、端末によって送信された、第２アップリンクサブキャリア間隔を保持する伝送スケジューリングメッセージを受信するように構成され、第２アップリンクサブキャリア間隔は、端末によってサポートされるアップリンクサブキャリア間隔であり、少なくとも１つの第１アップリンクサブキャリア間隔のうちの１つである。
【０２３０】
任意で、本発明の一実施形態において、送受信器１２は具体的には、プロセッサが指示情報に従って、基地局が少なくとも１つの第１アップリンクサブキャリア間隔をサポートすると決定したとき、端末によって送信された、第２アップリンクサブキャリア間隔を保持する端末カテゴリメッセージを受信するように構成され、第２アップリンクサブキャリア間隔は、端末によってサポートされるアップリンクサブキャリア間隔であり、少なくとも１つの第１アップリンクサブキャリア間隔のうちの１つである。
【０２３１】
任意で、本発明の一実施形態において、送受信器１２は具体的には、プロセッサが、指示情報に従って、基地局が少なくとも１つの第１アップリンクサブキャリア間隔をサポートすると決定し、プロセッサが第２アップリンクサブキャリア間隔を決定したとき、第２アップリンクサブキャリア間隔を保持する無線リソース制御ＲＲＣメッセージを端末へ送信するように構成され、第２アップリンクサブキャリア間隔は、端末によってサポートされるアップリンクサブキャリア間隔であり、少なくとも１つの第１アップリンクサブキャリア間隔のうちの１つである。
【０２３２】
任意で、本発明の一実施形態において、プロセッサ１１は具体的には、デフォルト構成に基づいて、指示情報を決定するように構成され、デフォルト構成は、同期信号を少なくとも２つのグループに分類し、同期信号は、主同期信号および／または副同期信号を含み、各グループは、１種類のアップリンクサブキャリア間隔に対応し、指示情報は、少なくとも２つのグループにおける第１グループに対応する同期信号を含み、第１グループは第１アップリンクサブキャリア間隔に対応するグループである、または、プロセッサ１１は具体的には、デフォルト構成に基づいて、指示情報を決定するように構成され、デフォルト構成は、同期信号を少なくとも３つのグループに分類し、同期信号は、主同期信号および／または副同期信号を含み、各グループは、１種類のアップリンクサブキャリア間隔およびアップリンク伝送モードの組み合わせに対応し、指示情報は、少なくとも３つのグループにおける第１グループに対応する同期信号を含み、第１グループは、第１アップリンクサブキャリア間隔およびアップリンク伝送モードの組み合わせに対応するグループであり、アップリンク伝送モードはシングルトーン伝送またはマルチトーン伝送を含み、送受信器１２は具体的には、指示情報に従って、第１グループに対応する同期信号を端末へ送信するように構成されている。
【０２３３】
任意で、本発明の一実施形態において、プロセッサ１１は具体的には、デフォルト構成に基づいて、指示情報を決定するように構成され、デフォルト構成は、２つの連続する同期信号の間の時間間隔長に基づいて、２つの連続する同期信号の間の異なる時間間隔を少なくとも２つのグループに分類し、同期信号は主同期信号および／または副同期信号を含み、各グループは１つの時間間隔長に対応し、指示情報は、少なくとも２つのグループにおける第１グループに対応する時間間隔を有する同期信号を含み、第１グループは、第１アップリンクサブキャリア間隔に対応するグループである、または、プロセッサ１１は具体的には、デフォルト構成に基づいて、指示情報を決定するように構成され、デフォルト構成は、２つの連続する同期信号の間の時間間隔長に基づいて、２つの連続する同期信号の間の異なる時間間隔を少なくとも３つのグループに分類し、同期信号は、主同期信号および／または副同期信号を含み、各グループは、１種類のアップリンクサブキャリア間隔およびアップリンク伝送モードの組み合わせに対応し、指示情報は、少なくとも３つのグループにおける第１グループに対応する時間間隔を有する同期信号を含み、第１グループは、第１アップリンクサブキャリア間隔およびアップリンク伝送モードの組み合わせに対応するグループであり、アップリンク伝送モードは、シングルトーン伝送またはマルチトーン伝送を含み、送受信器１２は具体的には、指示情報に従って、第１グループに対応する同期信号を端末へ送信するように構成されている。
【０２３４】
図１１は、本発明の実施形態１に係る端末の概略構造図である。この実施形態において提供される端末は、本発明の任意の実施形態において提供される、端末に適用される方法の段階を実装し得る。具体的な実装プロセスは、ここでは説明しない。具体的には、この実施形態において提供される端末は、基地局と通信するように構成されている送受信器２１であって、当該通信では、基地局が指示情報に従って端末と通信し、指示情報は、第１アップリンクサブキャリア間隔を指示するために使用され、第１アップリンクサブキャリア間隔は、基地局によってサポートされるアップリンクサブキャリア間隔である、送受信器２１と、送受信器２１によって実行される通信に基づいて、処理を実行するように構成されているプロセッサ２２とを備える。
【０２３５】
本発明のこの実施形態において提供される端末は基地局と通信し、通信に基づいて、対応する処理を実行する。通信中、端末は、第１アップリンクサブキャリア間隔を指示するために使用される、基地局によって送信された指示情報を受信する、言い換えれば、基地局から指示を受信し、これにより、基地局は、基地局によってサポートされる第１アップリンクサブキャリア間隔を端末に指示する。または、端末は、端末によってサポートされる第２アップリンクサブキャリア間隔を基地局に指示し、その結果、端末は、端末によってサポートされる第２アップリンクサブキャリア間隔を基地局に指示し、端末は、後続のアップリンク信号送信プロセスにおいて、適切なアップリンクサブキャリア間隔を使用してアップリンク信号を送信し、これにより、基地局が、端末によって送信されたアップリンク信号を正しく復調できることを保証する。
【０２３６】
任意で、本発明の一実施形態において、送受信器２１は具体的には、基地局によって送信された指示情報を受信するように構成され、指示情報は、基地局が物理ランダムアクセスプリアンブル配列を少なくとも２つのグループに分類するときの、第１グループに対応する物理ランダムアクセスプリアンブル配列のグループ情報を含み、第１グループは、少なくとも２つのグループの各々が１種類のアップリンクサブキャリア間隔に対応するときの、第１アップリンクサブキャリア間隔に対応するグループである、または、指示情報は、基地局が物理ランダムアクセスプリアンブル配列を少なくとも３つのグループに分類するときの、第１グループに対応する物理ランダムアクセスプリアンブル配列のグループ情報を含み、第１グループは、少なくとも３つのグループの各々が、１種類のアップリンクサブキャリア間隔およびアップリンク伝送モードの組み合わせに対応するときの、第１アップリンクサブキャリア間隔およびアップリンク伝送モードの組み合わせに対応するグループであり、アップリンク伝送モードはシングルトーン伝送またはマルチトーン伝送を含む。
【０２３７】
任意で、本発明の一実施形態において、送受信器２１は具体的には、基地局によって送信された指示情報を受信するように構成され、指示情報は、基地局がＰＲＡＣＨ信号フォーマットに基づいて、異なるフォーマットのＰＲＡＣＨ信号を少なくとも２つのグループに分類するときの、第１グループに対応するＰＲＡＣＨ信号フォーマットを含み、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、第１グループは、少なくとも２つのグループの各々が１種類のアップリンクサブキャリア間隔に対応するときの、第１アップリンクサブキャリア間隔に対応するグループである、または、指示情報は、基地局がＰＲＡＣＨ信号フォーマットに基づいて、異なるフォーマットのＰＲＡＣＨ信号を少なくとも３つのグループに分類するときの、第１グループに対応するＰＲＡＣＨ信号フォーマットを含み、ＰＲＡＣＨ信号フォーマットは、ＰＲＡＣＨ信号の巡回プレフィックスＣＰ長、ＰＲＡＣＨ信号のサブキャリア間隔、および、ＰＲＡＣＨ信号の繰り返し周期のうちの少なくとも１つのパラメータに基づいて決定され、第１グループは、少なくとも３つのグループの各々が、１種類のアップリンクサブキャリア間隔およびアップリンク伝送モードの組み合わせに対応するときの、第１アップリンクサブキャリア間隔およびアップリンク伝送モードの組み合わせに対応するグループであり、アップリンク伝送モードはシングルトーン伝送またはマルチトーン伝送を含む。
【０２３８】
任意で、本発明の一実施形態において、送受信器２１は具体的には、基地局によって送信された指示情報を受信するように構成され、指示情報は、基地局がＰＲＡＣＨチャネルリソースプールを少なくとも２つのリソースプールに分類するときの、第１リソースプールの構成情報を含み、第１リソースプールは、少なくとも２つのリソースプールの各々が１種類のアップリンクサブキャリア間隔に対応するときの、第１アップリンクサブキャリア間隔に対応するリソースプールである、または、指示情報は、基地局がＰＲＡＣＨチャネルリソースプールを少なくとも３つのリソースプールに分類するときの、第１リソースプールの構成情報を含み、第１リソースプールは、少なくとも３つのリソースプールの各々が、１種類のアップリンクサブキャリア間隔およびアップリンク伝送モードの組み合わせに対応するときの、第１アップリンクサブキャリア間隔およびアップリンク伝送モードの組み合わせに対応するリソースプールであり、アップリンク伝送モードはシングルトーン伝送またはマルチトーン伝送を含む。
【０２３９】
任意で、本発明の一実施形態において、送受信器２１は具体的には、基地局によって送信された指示情報を受信するように構成され、指示情報は、基地局が動作モードとアップリンクサブキャリア間隔との間の対応関係を構成するときの、第１アップリンクサブキャリア間隔に対応する動作モードを含む、または、指示情報は、基地局が動作モードとアップリンクサブキャリア間隔およびアップリンク伝送モードの組み合わせ方式との間の対応関係を構成するときの、第１アップリンクサブキャリア間隔およびアップリンク伝送モードの組み合わせに対応する動作モードを含む。
【０２４０】
任意で、本発明の一実施形態において、プロセッサ２２は具体的には、指示情報に従って、基地局によってサポートされる第１アップリンクサブキャリア間隔を決定し、指示情報に従って、第１アップリンクサブキャリア間隔が、端末によってサポートされる少なくとも１つの第２アップリンクサブキャリア間隔に含まれるかどうかを決定し、含まれる場合、アップリンク信号を基地局へ送信し、または、含まれない場合、セルを再検索するように構成されている。
【０２４１】
任意で、本発明の一実施形態において、プロセッサ２２は具体的には、基地局が指示情報に従って、少なくとも１つの第１アップリンクサブキャリア間隔があると決定したとき、命令を送受信器へ送信し、送受信器に基地局へ伝送スケジューリングメッセージを送信させるように構成され、伝送スケジューリングメッセージは第２アップリンクサブキャリア間隔を保持し、第２アップリンクサブキャリア間隔は、端末によってサポートされるアップリンクサブキャリア間隔であり、少なくとも１つの第１アップリンクサブキャリア間隔のうちの１つである。
【０２４２】
任意で、本発明の一実施形態において、プロセッサ２２は具体的には、基地局が指示情報に従って、少なくとも１つの第１アップリンクサブキャリア間隔があると決定したとき、命令を送受信器へ送信し、送受信器に基地局へ端末カテゴリメッセージを送信させるように構成され、端末カテゴリメッセージは第２アップリンクサブキャリア間隔を保持し、第２アップリンクサブキャリア間隔は、端末によってサポートされるアップリンクサブキャリア間隔であり、少なくとも１つの第１アップリンクサブキャリア間隔のうちの１つである。
【０２４３】
任意で、本発明の一実施形態において、プロセッサ２２は具体的には、基地局が指示情報に従って少なくとも１つの第１アップリンクサブキャリア間隔があると決定したとき、命令を送受信器へ送信し、基地局によって送信された、第２アップリンクサブキャリア間隔を保持する無線リソース制御ＲＲＣメッセージを送受信器に受信させるように構成され、第２アップリンクサブキャリア間隔は、端末によってサポートされるアップリンクサブキャリア間隔であり、少なくとも１つの第１アップリンクサブキャリア間隔のうちの１つである。
【０２４４】
任意で、本発明の一実施形態において、送受信器２１は具体的には、基地局によって指示情報に従って送信された同期信号を受信するように構成され、指示情報は、基地局がデフォルト構成に基づいて、同期信号を少なくとも２つのグループに分類し、各グループが１種類のアップリンクサブキャリア間隔に対応するときの、第１グループに対応する同期信号を含み、第１グループは、第１アップリンクサブキャリア間隔に対応するグループである、または、指示情報は、基地局がデフォルト構成に基づいて、同期信号を少なくとも３つのグループに分類し、各グループが、１種類のアップリンクサブキャリア間隔およびアップリンク伝送モードの組み合わせに対応するときの、第１グループに対応する同期信号を含み、第１グループは、第１アップリンクサブキャリア間隔およびアップリンク伝送モードの組み合わせに対応するグループであり、アップリンク伝送モードはシングルトーン伝送またはマルチトーン伝送を含む。
【０２４５】
任意で、本発明の一実施形態において、送受信器２１は具体的には、基地局によって指示情報に従って送信された同期信号を受信するように構成され、指示情報は、基地局が、２つの連続する同期信号の間の時間間隔長に基づいて、２つの連続する同期信号の間の異なる時間間隔を少なくとも２つのグループに分類し、各グループが１つの時間間隔長に対応するときの、第１グループに対応する同期信号を含み、第１グループは、第１アップリンクサブキャリア間隔に対応するグループである、または、指示情報は、基地局が、２つの連続する同期信号の間の時間間隔長に基づいて、２つの連続する同期信号の間の異なる時間間隔を少なくとも３つのグループに分類し、各グループが１種類のアップリンクサブキャリア間隔およびアップリンク伝送モードの組み合わせに対応するときの、第１グループに対応する同期信号を含み、第１グループは、第１アップリンクサブキャリア間隔およびアップリンク伝送モードの組み合わせに対応するグループであり、アップリンク伝送モードはシングルトーン伝送またはマルチトーン伝送を含む。
【０２４６】
当業者は、方法の実施形態のすべてまたは一部の段階が、関連するハードウェアに命令するプログラムによって実装され得ることを理解し得る。プログラムは、コンピュータ可読記憶媒体内に記憶され得る。プログラムが動作するとき、方法の実施形態の段階が実行される。上記の記憶媒体は、ＲＯＭ、ＲＡＭ、磁気ディスクまたは光ディスクなどの、プログラムコードを記憶可能な任意の媒体を含む。
【０２４７】
最後に、上記の実施形態は、本発明の技術的解決法を説明することを意図されたものに過ぎず、本発明を限定するものではないことに留意すべきである。本発明は、上記の実施形態に関連して詳細に説明されたが、当業者であれば、当業者らが本発明の実施形態の技術的解決法の範囲から逸脱することなく、さらに、上記の実施形態において説明された技術的解決法に変更を加え得ること、または均等置換をこれらの技術的特徴の一部もしくはすべてになし得ることを理解しよう。
【図１】
2019504574.tif 000009
【図２】
2019504574.tif 000010
【図３】
2019504574.tif 000011
【図４】
2019504574.tif 000012
【図５Ａ】
2019504574.tif 000013
【図５Ｂ】
2019504574.tif 000014
【図６】
2019504574.tif 000015
【図７】
2019504574.tif 000016
【図８】
2019504574.tif 000017
【図９Ａ】
2019504574.tif 000018
【図９Ｂ】
2019504574.tif 000019
【図１０】
2019504574.tif 000020
【図１１】
2019504574.tif 000021
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
基地局が、第１アップリンクサブキャリア間隔を指示するために使用される指示情報を決定する段階であって、前記第１アップリンクサブキャリア間隔は、前記基地局によってサポートされるアップリンクサブキャリア間隔である、段階と、
前記基地局が前記指示情報に従って、端末と通信する段階と
を備える、アップリンクサブキャリア間隔を指示する方法。
【請求項２】
基地局が指示情報を決定する前記段階は、
前記基地局が物理ランダムアクセスプリアンブル配列を少なくとも２つのグループに分類する段階であって、各グループは１種類のアップリンクサブキャリア間隔に対応し、前記指示情報は、前記少なくとも２つのグループにおける第１グループに対応する物理ランダムアクセスプリアンブル配列のグループ情報を含み、前記第１グループは、前記第１アップリンクサブキャリア間隔に対応するグループである、段階、または、
前記基地局が、物理ランダムアクセスプリアンブル配列を少なくとも３つのグループに分類する段階であって、各グループは、１種類のアップリンクサブキャリア間隔およびアップリンク伝送モードの組み合わせに対応し、前記指示情報は、前記少なくとも３つのグループにおける第１グループに対応する物理ランダムアクセスプリアンブル配列のグループ情報を含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、段階
を含む、請求項１に記載の方法。
【請求項３】
基地局が指示情報を決定する前記段階は、
前記基地局が、ＰＲＡＣＨ信号フォーマットに基づいて、異なるフォーマットのＰＲＡＣＨ信号を少なくとも２つのグループに分類する段階であって、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、各グループは１種類のアップリンクサブキャリア間隔に対応し、前記指示情報は、前記少なくとも２つのグループにおける第１グループに対応するＰＲＡＣＨ信号フォーマットを含み、前記第１グループは、前記第１アップリンクサブキャリア間隔に対応するグループである、段階、または、
前記基地局がＰＲＡＣＨ信号フォーマットに基づいて、異なるフォーマットのＰＲＡＣＨ信号を少なくとも３つのグループに分類する段階であって、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、各グループは、１種類のアップリンクサブキャリア間隔およびアップリンク伝送モードの組み合わせに対応し、前記指示情報は、前記少なくとも３つのグループにおける第１グループに対応するＰＲＡＣＨ信号フォーマットを含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、段階
を含む、請求項１に記載の方法。
【請求項４】
基地局が指示情報を決定する前記段階は、
前記基地局がＰＲＡＣＨチャネルリソースプールを少なくとも２つのリソースプールに分類する段階であって、各リソースプールは１種類のアップリンクサブキャリア間隔に対応し、前記指示情報は前記少なくとも２つのリソースプールにおける第１リソースプールの構成情報を含み、前記第１リソースプールは前記第１アップリンクサブキャリア間隔に対応するリソースプールである、段階、または、
前記基地局がＰＲＡＣＨチャネルリソースプールを少なくとも３つのリソースプールに分類する段階であって、各リソースプールは１種類のアップリンクサブキャリア間隔およびアップリンク伝送モードの組み合わせに対応し、前記指示情報は、前記少なくとも３つのリソースプールにおける第１リソースプールの構成情報を含み、前記第１リソースプールは、前記第１アップリンクサブキャリア間隔およびアップリンク伝送モードの組み合わせに対応するリソースプールであり、前記アップリンク伝送モードはシングルトーン伝送またはマルチトーン伝送を含む、段階
を含む、請求項１に記載の方法。
【請求項５】
前記基地局が前記指示情報に従って、端末と通信する前記段階は、前記基地局が前記指示情報を前記端末へ送信する段階を含む、請求項２から４のいずれか一項に記載の方法。
【請求項６】
前記基地局が、前記指示情報に従って、端末と通信する前記段階は、
前記基地局が、前記指示情報に従って、前記基地局が少なくとも１つの第１アップリンクサブキャリア間隔をサポートすると決定する段階と、
前記基地局が、前記端末によって送信された、第２アップリンクサブキャリア間隔を保持する、端末カテゴリメッセージを受信する段階であって、前記第２アップリンクサブキャリア間隔は、前記端末によってサポートされるアップリンクサブキャリア間隔であり、前記少なくとも１つの第１アップリンクサブキャリア間隔の１つである、段階と
を含む、請求項１に記載の方法。
【請求項７】
前記基地局が、前記指示情報に従って、端末と通信する前記段階は、
前記基地局が、前記指示情報に従って、前記基地局が少なくとも１つの第１アップリンクサブキャリア間隔をサポートすると決定する段階と、
前記基地局が、第２アップリンクサブキャリア間隔を決定する段階であって、前記第２アップリンクサブキャリア間隔は、前記端末によってサポートされるアップリンクサブキャリア間隔であり、前記少なくとも１つの第１アップリンクサブキャリア間隔のうちの１つである、段階と、
前記基地局が、前記第２アップリンクサブキャリア間隔を保持する無線リソース制御ＲＲＣメッセージを前記端末へ送信する段階と
を含む、請求項１に記載の方法。
【請求項８】
基地局であって、
第１アップリンクサブキャリア間隔を指示するために使用される指示情報を決定するように構成されているプロセッサであって、前記第１アップリンクサブキャリア間隔は、前記基地局によってサポートされるアップリンクサブキャリア間隔である、プロセッサと、
前記プロセッサによって決定された前記指示情報に従って、端末と通信するように構成されている送受信器と
を備える基地局。
【請求項９】
前記プロセッサは、具体的には、物理ランダムアクセスプリアンブル配列を少なくとも２つのグループに分類するように構成され、各グループは、１種類のアップリンクサブキャリア間隔に対応し、前記指示情報は、前記少なくとも２つのグループにおける第１グループに対応する物理ランダムアクセスプリアンブル配列のグループ情報を含み、前記第１グループは、前記第１アップリンクサブキャリア間隔に対応するグループである、または、
前記プロセッサは、具体的には、物理ランダムアクセスプリアンブル配列を少なくとも３つのグループに分類するように構成され、各グループは、１種類のアップリンクサブキャリア間隔およびアップリンク伝送モードの組み合わせに対応し、前記指示情報は、前記少なくとも３つのグループにおける第１グループに対応する物理ランダムアクセスプリアンブル配列のグループ情報を含み、前記第１グループは、前記第１アップリンクサブキャリア間隔およびアップリンク伝送モードの組み合わせに対応するグループであり、前記アップリンク伝送モードは、シングルトーン伝送またはマルチトーン伝送を含む、
請求項８に記載の基地局。
【請求項１０】
前記プロセッサは具体的には、ＰＲＡＣＨ信号フォーマットに基づいて、異なるフォーマットのＰＲＡＣＨ信号を少なくとも２つのグループに分類するように構成され、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、各グループは、１種類のアップリンクサブキャリア間隔に対応し、前記指示情報は、前記少なくとも２つのグループにおける第１グループに対応するＰＲＡＣＨ信号フォーマットを含み、前記第１グループは、前記第１アップリンクサブキャリア間隔に対応するグループである、または、
前記プロセッサは具体的には、ＰＲＡＣＨ信号フォーマットに基づいて、異なるフォーマットのＰＲＡＣＨ信号を少なくとも３つのグループに分類するように構成され、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、各グループは、１種類のアップリンクサブキャリア間隔およびアップリンク伝送モードの組み合わせに対応し、前記指示情報は、前記少なくとも３つのグループにおける第１グループに対応するＰＲＡＣＨ信号フォーマットを含み、前記第１グループは、前記第１アップリンクサブキャリア間隔およびアップリンク伝送モードの組み合わせに対応するグループであり、前記アップリンク伝送モードはシングルトーン伝送またはマルチトーン伝送を含む、
請求項８に記載の基地局。
【請求項１１】
前記プロセッサは具体的には、ＰＲＡＣＨチャネルリソースプールを少なくとも２つのリソースプールに分類するように構成され、各リソースプールは、１種類のアップリンクサブキャリア間隔に対応し、前記指示情報は、前記少なくとも２つのリソースプールにおける第１リソースプールの構成情報を含み、前記第１リソースプールは、前記第１アップリンクサブキャリア間隔に対応するリソースプールである、または、
前記プロセッサは具体的には、ＰＲＡＣＨチャネルリソースプールを少なくとも３つのリソースプールに分類するように構成され、各リソースプールは、１種類のアップリンクサブキャリア間隔およびアップリンク伝送モードの組み合わせに対応し、前記指示情報は、前記少なくとも３つのリソースプールにおける第１リソースプールの構成情報を含み、前記第１リソースプールは、前記第１アップリンクサブキャリア間隔およびアップリンク伝送モードの組み合わせに対応するリソースプールであり、前記アップリンク伝送モードは、シングルトーン伝送またはマルチトーン伝送を含む、
請求項８に記載の基地局。
【請求項１２】
前記送受信器は具体的には、前記指示情報を前記端末へ送信するように構成されている、請求項９から１１のいずれか一項に記載の基地局。
【請求項１３】
前記送受信器は具体的には、前記プロセッサが前記指示情報に従って、前記基地局が少なくとも１つの第１アップリンクサブキャリア間隔をサポートすると決定したとき、前記端末によって送信された、第２アップリンクサブキャリア間隔を保持する端末カテゴリメッセージを受信するように構成され、前記第２アップリンクサブキャリア間隔は、前記端末によってサポートされるアップリンクサブキャリア間隔であり、前記少なくとも１つの第１アップリンクサブキャリア間隔のうちの１つである、請求項８に記載の基地局。
【請求項１４】
前記送受信器は具体的には、前記プロセッサが、前記指示情報に従って、前記基地局が少なくとも１つの第１アップリンクサブキャリア間隔をサポートすると決定し、前記プロセッサが第２アップリンクサブキャリア間隔を決定したとき、前記第２アップリンクサブキャリア間隔を保持する無線リソース制御ＲＲＣメッセージを前記端末へ送信するように構成され、前記第２アップリンクサブキャリア間隔は、前記端末によってサポートされるアップリンクサブキャリア間隔であり、前記少なくとも１つの第１アップリンクサブキャリア間隔のうちの１つである、請求項８に記載の基地局。
【請求項１５】
端末であって、
基地局と通信するように構成されている送受信器であって、前記通信では、前記基地局が指示情報に従って前記端末と通信し、前記指示情報は、第１アップリンクサブキャリア間隔を指示するために使用され、前記第１アップリンクサブキャリア間隔は、前記基地局によってサポートされるアップリンクサブキャリア間隔である、送受信器と、
前記送受信器によって実行される前記通信に基づいて、処理を実行するように構成されているプロセッサと
を備える端末。
【請求項１６】
前記送受信器は具体的には、前記基地局によって送信された前記指示情報を受信するように構成され、
前記指示情報は、前記基地局が物理ランダムアクセスプリアンブル配列を少なくとも２つのグループに分類するときの、第１グループに対応する物理ランダムアクセスプリアンブル配列のグループ情報を含み、前記第１グループは、前記少なくとも２つのグループの各々が１種類のアップリンクサブキャリア間隔に対応するときの、前記第１アップリンクサブキャリア間隔に対応するグループである、または、
前記指示情報は、前記基地局が物理ランダムアクセスプリアンブル配列を少なくとも３つのグループに分類するときの、第１グループに対応する物理ランダムアクセスプリアンブル配列のグループ情報を含み、前記第１グループは、前記少なくとも３つのグループの各々が、１種類のアップリンクサブキャリア間隔およびアップリンク伝送モードの組み合わせに対応するときの、前記第１アップリンクサブキャリア間隔およびアップリンク伝送モードの組み合わせに対応するグループであり、前記アップリンク伝送モードはシングルトーン伝送またはマルチトーン伝送を含む、
請求項１５に記載の端末。
【請求項１７】
前記送受信器は具体的には、前記基地局によって送信された前記指示情報を受信するように構成され、
前記指示情報は、前記基地局がＰＲＡＣＨ信号フォーマットに基づいて、異なるフォーマットのＰＲＡＣＨ信号を少なくとも２つのグループに分類するときの、第１グループに対応するＰＲＡＣＨ信号フォーマットを含み、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、前記第１グループは、前記少なくとも２つのグループの各々が１種類のアップリンクサブキャリア間隔に対応するときの、前記第１アップリンクサブキャリア間隔に対応するグループである、または、
前記指示情報は、前記基地局がＰＲＡＣＨ信号フォーマットに基づいて、異なるフォーマットのＰＲＡＣＨ信号を少なくとも３つのグループに分類するときの、第１グループに対応するＰＲＡＣＨ信号フォーマットを含み、前記ＰＲＡＣＨ信号フォーマットは、前記ＰＲＡＣＨ信号の巡回プレフィックスＣＰ長、前記ＰＲＡＣＨ信号のサブキャリア間隔、および、前記ＰＲＡＣＨ信号の繰り返し周期のうちの少なくとも１つのパラメータに基づいて決定され、前記第１グループは、前記少なくとも３つのグループの各々が、１種類のアップリンクサブキャリア間隔およびアップリンク伝送モードの組み合わせに対応するときの、前記第１アップリンクサブキャリア間隔およびアップリンク伝送モードの組み合わせに対応するグループであり、前記アップリンク伝送モードはシングルトーン伝送またはマルチトーン伝送を含む、
請求項１５に記載の端末。
【請求項１８】
前記送受信器は具体的には、前記基地局によって送信された前記指示情報を受信するように構成され、
前記指示情報は、前記基地局がＰＲＡＣＨチャネルリソースプールを少なくとも２つのリソースプールに分類するときの、第１リソースプールの構成情報を含み、前記第１リソースプールは、前記少なくとも２つのリソースプールの各々が１種類のアップリンクサブキャリア間隔に対応するときの、前記第１アップリンクサブキャリア間隔に対応するリソースプールである、または、
前記指示情報は、前記基地局がＰＲＡＣＨチャネルリソースプールを少なくとも３つのリソースプールに分類するときの、第１リソースプールの構成情報を含み、前記第１リソースプールは、前記少なくとも３つのリソースプールの各々が、１種類のアップリンクサブキャリア間隔およびアップリンク伝送モードの組み合わせに対応するときの、前記第１アップリンクサブキャリア間隔およびアップリンク伝送モードの組み合わせに対応するリソースプールであり、前記アップリンク伝送モードはシングルトーン伝送またはマルチトーン伝送を含む、
請求項１５に記載の端末。
【請求項１９】
前記プロセッサは具体的には、前記指示情報に従って、前記基地局によってサポートされる前記第１アップリンクサブキャリア間隔を決定し、前記指示情報に従って、前記第１アップリンクサブキャリア間隔が、前記端末によってサポートされる少なくとも１つの第２アップリンクサブキャリア間隔に含まれるかどうかを決定し、含まれる場合、アップリンク信号を前記基地局へ送信し、または、含まれない場合、セルを再検索するように構成されている、請求項１６から１８のいずれか一項に記載の端末。
【請求項２０】
前記プロセッサは具体的には、前記基地局が前記指示情報に従って、少なくとも１つの第１アップリンクサブキャリア間隔があると決定したとき、命令を前記送受信器へ送信し、前記基地局によって送信された、第２アップリンクサブキャリア間隔を保持する無線リソース制御ＲＲＣメッセージを前記送受信器に受信させるように構成され、前記第２アップリンクサブキャリア間隔は、前記端末によってサポートされる、前記少なくとも１つの第１アップリンクサブキャリア間隔のうちの１つのアップリンクサブキャリア間隔である、請求項１５に記載の端末。
【手続補正２】
【補正対象書類名】明細書
【補正対象項目名】０１８４
【補正方法】変更
【補正の内容】
【０１８４】
５０３．基地局が、動作モード情報を保持するマスター情報ブロック（Ｍａｓｔｅｒ  Ｉｎｆｏｒｍａｔｉｏｎ  Ｂｌｏｃｋ、ＭＩＢ）メッセージを端末へ送信する。
【手続補正３】
【補正対象書類名】明細書
【補正対象項目名】０２４７
【補正方法】変更
【補正の内容】
【０２４７】
最後に、上記の実施形態は、本発明の技術的解決法を説明することを意図されたものに過ぎず、本発明を限定するものではないことに留意すべきである。本発明は、上記の実施形態に関連して詳細に説明されたが、当業者であれば、当業者らが本発明の実施形態の技術的解決法の範囲から逸脱することなく、さらに、上記の実施形態において説明された技術的解決法に変更を加え得ること、または均等置換をこれらの技術的特徴の一部もしくはすべてになし得ることを理解しよう。
（項目１）
基地局が、第１アップリンクサブキャリア間隔を指示するために使用される指示情報を決定する段階であって、上記第１アップリンクサブキャリア間隔は、上記基地局によってサポートされるアップリンクサブキャリア間隔である、段階と、
上記基地局が上記指示情報に従って、端末と通信する段階と
を備える、アップリンクサブキャリア間隔を指示する方法。
（項目２）
基地局が指示情報を決定する上記段階は、
上記基地局が物理ランダムアクセスプリアンブル配列を少なくとも２つのグループに分類する段階であって、各グループは１種類のアップリンクサブキャリア間隔に対応し、上記指示情報は、上記少なくとも２つのグループにおける第１グループに対応する物理ランダムアクセスプリアンブル配列のグループ情報を含み、上記第１グループは、上記第１アップリンクサブキャリア間隔に対応するグループである、段階、または、
上記基地局が、物理ランダムアクセスプリアンブル配列を少なくとも３つのグループに分類する段階であって、各グループは、１種類のアップリンクサブキャリア間隔およびアップリンク伝送モードの組み合わせに対応し、上記指示情報は、上記少なくとも３つのグループにおける第１グループに対応する物理ランダムアクセスプリアンブル配列のグループ情報を含み、上記第１グループは、上記第１アップリンクサブキャリア間隔およびアップリンク伝送モードの組み合わせに対応するグループであり、上記アップリンク伝送モードはシングルトーン伝送またはマルチトーン伝送を含む、段階
を含む、項目１に記載の方法。
（項目３）
基地局が指示情報を決定する上記段階は、
上記基地局が、ＰＲＡＣＨ信号フォーマットに基づいて、異なるフォーマットのＰＲＡＣＨ信号を少なくとも２つのグループに分類する段階であって、上記ＰＲＡＣＨ信号フォーマットは、上記ＰＲＡＣＨ信号の巡回プレフィックスＣＰ長、上記ＰＲＡＣＨ信号のサブキャリア間隔、および、上記ＰＲＡＣＨ信号の繰り返し周期のうちの少なくとも１つのパラメータに基づいて決定され、各グループは１種類のアップリンクサブキャリア間隔に対応し、上記指示情報は、上記少なくとも２つのグループにおける第１グループに対応するＰＲＡＣＨ信号フォーマットを含み、上記第１グループは、上記第１アップリンクサブキャリア間隔に対応するグループである、段階、または、
上記基地局がＰＲＡＣＨ信号フォーマットに基づいて、異なるフォーマットのＰＲＡＣＨ信号を少なくとも３つのグループに分類する段階であって、上記ＰＲＡＣＨ信号フォーマットは、上記ＰＲＡＣＨ信号の巡回プレフィックスＣＰ長、上記ＰＲＡＣＨ信号のサブキャリア間隔、および、上記ＰＲＡＣＨ信号の繰り返し周期のうちの少なくとも１つのパラメータに基づいて決定され、各グループは、１種類のアップリンクサブキャリア間隔およびアップリンク伝送モードの組み合わせに対応し、上記指示情報は、上記少なくとも３つのグループにおける第１グループに対応するＰＲＡＣＨ信号フォーマットを含み、上記第１グループは、上記第１アップリンクサブキャリア間隔およびアップリンク伝送モードの組み合わせに対応するグループであり、上記アップリンク伝送モードはシングルトーン伝送またはマルチトーン伝送を含む、段階
を含む、項目１に記載の方法。
（項目４）
基地局が指示情報を決定する上記段階は、
上記基地局がＰＲＡＣＨチャネルリソースプールを少なくとも２つのリソースプールに分類する段階であって、各リソースプールは１種類のアップリンクサブキャリア間隔に対応し、上記指示情報は上記少なくとも２つのリソースプールにおける第１リソースプールの構成情報を含み、上記第１リソースプールは上記第１アップリンクサブキャリア間隔に対応するリソースプールである、段階、または、
上記基地局がＰＲＡＣＨチャネルリソースプールを少なくとも３つのリソースプールに分類する段階であって、各リソースプールは１種類のアップリンクサブキャリア間隔およびアップリンク伝送モードの組み合わせに対応し、上記指示情報は、上記少なくとも３つのリソースプールにおける第１リソースプールの構成情報を含み、上記第１リソースプールは、上記第１アップリンクサブキャリア間隔およびアップリンク伝送モードの組み合わせに対応するリソースプールであり、上記アップリンク伝送モードはシングルトーン伝送またはマルチトーン伝送を含む、段階
を含む、項目１に記載の方法。
（項目５）
基地局が指示情報を決定する上記段階は、
上記基地局が、動作モードとアップリンクサブキャリア間隔との間の対応関係を構成する段階であって、上記指示情報は、上記第１アップリンクサブキャリア間隔に対応する動作モードを含む、段階、または、
上記基地局が、動作モードと組み合わせ方式との間の対応関係を構成する段階であって、上記組み合わせ方式はアップリンクサブキャリア間隔およびアップリンク伝送モードの組み合わせであり、上記アップリンク伝送モードはシングルトーン伝送またはマルチトーン伝送を含み、上記指示情報は、上記第１アップリンクサブキャリア間隔およびアップリンク伝送モードの組み合わせに対応する動作モードを含む、段階
を含む、項目１に記載の方法。
（項目６）
上記基地局が上記指示情報に従って、端末と通信する上記段階は、上記基地局が上記指示情報を上記端末へ送信する段階を含む、項目２から５のいずれか一項に記載の方法。
（項目７）
上記基地局が、上記指示情報に従って、端末と通信する上記段階は、
上記基地局が、上記指示情報に従って、上記基地局が少なくとも１つの第１アップリンクサブキャリア間隔をサポートすると決定する段階と、
上記基地局が、上記端末によって送信された、第２アップリンクサブキャリア間隔を保持する、伝送スケジューリングメッセージを受信する段階であって、上記第２アップリンクサブキャリア間隔は、上記端末によってサポートされるアップリンクサブキャリア間隔であり、上記少なくとも１つの第１アップリンクサブキャリア間隔の１つである、段階と
を含む、項目１に記載の方法。
（項目８）
上記基地局が、上記指示情報に従って、端末と通信する上記段階は、
上記基地局が、上記指示情報に従って、上記基地局が少なくとも１つの第１アップリンクサブキャリア間隔をサポートすると決定する段階と、
上記基地局が、上記端末によって送信された、第２アップリンクサブキャリア間隔を保持する、端末カテゴリメッセージを受信する段階であって、上記第２アップリンクサブキャリア間隔は、上記端末によってサポートされるアップリンクサブキャリア間隔であり、上記少なくとも１つの第１アップリンクサブキャリア間隔の１つである、段階と
を含む、項目１に記載の方法。
（項目９）
上記基地局が、上記指示情報に従って、端末と通信する上記段階は、
上記基地局が、上記指示情報に従って、上記基地局が少なくとも１つの第１アップリンクサブキャリア間隔をサポートすると決定する段階と、
上記基地局が、第２アップリンクサブキャリア間隔を決定する段階であって、上記第２アップリンクサブキャリア間隔は、上記端末によってサポートされるアップリンクサブキャリア間隔であり、上記少なくとも１つの第１アップリンクサブキャリア間隔のうちの１つである、段階と、
上記基地局が、上記第２アップリンクサブキャリア間隔を保持する無線リソース制御ＲＲＣメッセージを上記端末へ送信する段階と
を含む、項目１に記載の方法。
（項目１０）
基地局が指示情報を決定する上記段階は、上記基地局が、デフォルト構成に基づいて、上記指示情報を決定する段階であって、上記デフォルト構成は、同期信号を少なくとも２つのグループに分類し、上記同期信号は、主同期信号および／または副同期信号を含み、各グループは１種類のアップリンクサブキャリア間隔に対応し、上記指示情報は、上記少なくとも２つのグループにおける第１グループに対応する同期信号を含み、上記第１グループは、上記第１アップリンクサブキャリア間隔に対応するグループである、段階を含む、または、
基地局が指示情報を決定する上記段階は、上記基地局が、デフォルト構成に基づいて、上記指示情報を決定する段階であって、上記デフォルト構成は、同期信号を少なくとも３つのグループに分類し、上記同期信号は、主同期信号および／または副同期信号を含み、各グループは１種類のアップリンクサブキャリア間隔およびアップリンク伝送モードの組み合わせに対応し、上記指示情報は、上記少なくとも３つのグループにおける第１グループに対応する同期信号を含み、上記第１グループは、上記第１アップリンクサブキャリア間隔およびアップリンク伝送モードの組み合わせに対応するグループであり、上記アップリンク伝送モードはシングルトーン伝送またはマルチトーン伝送を含む、段階を含み、
上記基地局が、上記指示情報に従って、端末と通信する上記段階は、上記基地局が、上記指示情報に従って、上記第１グループに対応する上記同期信号を上記端末へ送信する段階を含む、
項目１に記載の方法。
（項目１１）
基地局が指示情報を決定する上記段階は、上記基地局が、デフォルト構成に基づいて上記指示情報を決定する段階であって、上記デフォルト構成は、２つの連続する同期信号の間の時間間隔長に基づいて２つの連続する同期信号の間の異なる時間間隔を少なくとも２つのグループに分類し、上記同期信号は主同期信号および／または副同期信号を含み、各グループは１つの時間間隔長に対応し、上記指示情報は、上記少なくとも２つのグループにおける第１グループに対応する時間間隔を有する同期信号を含み、上記第１グループは、上記第１アップリンクサブキャリア間隔に対応するグループである、段階を含む、または、
基地局が指示情報を決定する上記段階は、上記基地局が、デフォルト構成に基づいて上記指示情報を決定する段階であって、上記デフォルト構成は、２つの連続する同期信号の間の時間間隔長に基づいて、２つの連続する同期信号の間の異なる時間間隔を少なくとも３つのグループに分類し、上記同期信号は、主同期信号および／または副同期信号を含み、各グループは、１種類のアップリンクサブキャリア間隔およびアップリンク伝送モードの組み合わせに対応し、上記指示情報は、上記少なくとも３つのグループにおける第１グループに対応する時間間隔を有する同期信号を含み、上記第１グループは、上記第１アップリンクサブキャリア間隔およびアップリンク伝送モードの組み合わせに対応するグループであり、上記アップリンク伝送モードはシングルトーン伝送またはマルチトーン伝送を含む、段階を含み、
上記基地局が、上記指示情報に従って、端末と通信する上記段階は、上記基地局が、上記指示情報に従って、上記第１グループに対応する上記同期信号を上記端末へ送信する段階を含む、
項目１に記載の方法。
（項目１２）
端末が基地局と通信する段階であって、上記通信では、上記基地局が指示情報に従って上記端末と通信し、上記指示情報は、第１アップリンクサブキャリア間隔を指示するために使用され、上記第１アップリンクサブキャリア間隔は、上記基地局によってサポートされるアップリンクサブキャリア間隔である、段階と、
上記端末が、上記通信に基づいて処理を実行する段階と
を備える、アップリンクサブキャリア間隔を指示する方法。
（項目１３）
端末が基地局と通信する上記段階は、
上記端末が、上記基地局によって送信された上記指示情報を受信する段階であって、
上記指示情報は、上記基地局が物理ランダムアクセスプリアンブル配列を少なくとも２つのグループに分類するときの、第１グループに対応する物理ランダムアクセスプリアンブル配列のグループ情報を含み、上記第１グループは、上記少なくとも２つのグループの各々が１種類のアップリンクサブキャリア間隔に対応するときの、上記第１アップリンクサブキャリア間隔に対応するグループである、または、
上記指示情報は、上記基地局が物理ランダムアクセスプリアンブル配列を少なくとも３つのグループに分類するときの、第１グループに対応する物理ランダムアクセスプリアンブル配列のグループ情報を含み、上記第１グループは、上記少なくとも３つのグループの各々が、１種類のアップリンクサブキャリア間隔およびアップリンク伝送モードの組み合わせに対応するときの、上記第１アップリンクサブキャリア間隔およびアップリンク伝送モードの組み合わせに対応するグループであり、上記アップリンク伝送モードはシングルトーン伝送またはマルチトーン伝送を含む、
段階を含む、項目１２に記載の方法。
（項目１４）
端末が基地局と通信する上記段階は、
上記端末が、上記基地局によって送信された上記指示情報を受信する段階であって、
上記指示情報は、上記基地局がＰＲＡＣＨ信号フォーマットに基づいて、異なるフォーマットのＰＲＡＣＨ信号を少なくとも２つのグループに分類するときの、第１グループに対応するＰＲＡＣＨ信号フォーマットを含み、上記ＰＲＡＣＨ信号フォーマットは、上記ＰＲＡＣＨ信号の巡回プレフィックスＣＰ長、上記ＰＲＡＣＨ信号のサブキャリア間隔、および、上記ＰＲＡＣＨ信号の繰り返し周期のうちの少なくとも１つのパラメータに基づいて決定され、上記第１グループは、上記少なくとも２つのグループの各々が１種類のアップリンクサブキャリア間隔に対応するときの、上記第１アップリンクサブキャリア間隔に対応するグループである、または、
上記指示情報は、上記基地局がＰＲＡＣＨ信号フォーマットに基づいて、異なるフォーマットのＰＲＡＣＨ信号を少なくとも３つのグループに分類するときの、第１グループに対応するＰＲＡＣＨ信号フォーマットを含み、上記ＰＲＡＣＨ信号フォーマットは、上記ＰＲＡＣＨ信号の巡回プレフィックスＣＰ長、上記ＰＲＡＣＨ信号のサブキャリア間隔、および、上記ＰＲＡＣＨ信号の繰り返し周期のうちの少なくとも１つのパラメータに基づいて決定され、上記第１グループは、上記少なくとも３つのグループの各々が、１種類のアップリンクサブキャリア間隔およびアップリンク伝送モードの組み合わせに対応するときの、上記第１アップリンクサブキャリア間隔およびアップリンク伝送モードの組み合わせに対応するグループであり、上記アップリンク伝送モードはシングルトーン伝送またはマルチトーン伝送を含む、
段階を含む、項目１２に記載の方法。
（項目１５）
端末が基地局と通信する上記段階は、
上記端末が、上記基地局によって送信された上記指示情報を受信する段階であって、
上記指示情報は、上記基地局がＰＲＡＣＨチャネルリソースプールを少なくとも２つのリソースプールに分類するときの、第１リソースプールの構成情報を含み、上記第１リソースプールは、上記少なくとも２つのリソースプールの各々が１種類のアップリンクサブキャリア間隔に対応するときの、上記第１アップリンクサブキャリア間隔に対応するリソースプールである、または、
上記指示情報は、上記基地局がＰＲＡＣＨチャネルリソースプールを少なくとも３つのリソースプールに分類するときの、第１リソースプールの構成情報を含み、上記第１リソースプールは、上記少なくとも３つのリソースプールの各々が、１種類のアップリンクサブキャリア間隔およびアップリンク伝送モードの組み合わせに対応するときの、上記第１アップリンクサブキャリア間隔およびアップリンク伝送モードの組み合わせに対応するリソースプールであり、上記アップリンク伝送モードはシングルトーン伝送またはマルチトーン伝送を含む、
段階を含む、項目１２に記載の方法。
（項目１６）
端末が基地局と通信する上記段階は、
上記端末が、上記基地局によって送信された上記指示情報を受信する段階であって、
上記指示情報は、上記基地局が動作モードとアップリンクサブキャリア間隔との間の対応関係を構成するときの、上記第１アップリンクサブキャリア間隔に対応する動作モードを含む、または、
上記指示情報は、上記基地局が動作モードとアップリンクサブキャリア間隔およびアップリンク伝送モードの組み合わせ方式との間の対応関係を構成するときの、上記第１アップリンクサブキャリア間隔およびアップリンク伝送モードの組み合わせに対応する動作モードを含む、
段階を含む、項目１２に記載の方法。
（項目１７）
上記端末が上記通信に基づいて処理を実行する上記段階は、
上記端末が上記指示情報に従って、上記基地局によってサポートされる上記第１アップリンクサブキャリア間隔を決定する段階と、
上記端末が上記指示情報に従って、上記第１アップリンクサブキャリア間隔が、上記端末によってサポートされる少なくとも１つの第２アップリンクサブキャリア間隔に含まれるかどうかを決定し、含まれる場合、アップリンク信号を上記基地局へ送信する、または、含まれない場合、セルを再検索する、段階と
を含む、項目１３から１６のいずれか一項に記載の方法。
（項目１８）
上記端末が上記通信に基づいて処理を実行する上記段階は、
上記基地局が上記指示情報に従って、少なくとも１つの第１アップリンクサブキャリア間隔があると決定したとき、上記端末が伝送スケジューリングメッセージを上記基地局へ送信する段階であって、上記伝送スケジューリングメッセージは第２アップリンクサブキャリア間隔を保持し、上記第２アップリンクサブキャリア間隔は、上記端末によってサポートされるアップリンクサブキャリア間隔であり、上記少なくとも１つの第１アップリンクサブキャリア間隔のうちの１つである、段階
を含む、項目１２に記載の方法。
（項目１９）
上記端末が、上記通信に基づいて、処理を実行する上記段階は、
上記基地局が上記指示情報に従って、少なくとも１つの第１アップリンクサブキャリア間隔があると決定したとき、上記端末が端末カテゴリメッセージを上記基地局へ送信する段階であって、上記端末カテゴリメッセージは第２アップリンクサブキャリア間隔を保持し、上記第２アップリンクサブキャリア間隔は、上記端末によってサポートされるアップリンクサブキャリア間隔であり、上記少なくとも１つの第１アップリンクサブキャリア間隔のうちの１つである、段階
を含む、項目１２に記載の方法。
（項目２０）
上記端末が上記通信に基づいて処理を実行する上記段階は、
上記基地局が上記指示情報に従って、少なくとも１つの第１アップリンクサブキャリア間隔があると決定したとき、上記端末が、無線リソース制御ＲＲＣメッセージを受信する段階であって、上記ＲＲＣメッセージは上記基地局によって送信され、第２アップリンクサブキャリア間隔を保持し、上記第２アップリンクサブキャリア間隔は、上記端末によってサポートされるアップリンクサブキャリア間隔である、段階
を含む、項目１２に記載の方法。
（項目２１）
端末が基地局と通信する上記段階は、
上記端末が、上記基地局によって上記指示情報に従って送信された同期信号を受信する段階であって、
上記指示情報は、上記基地局がデフォルト構成に基づいて同期信号を少なくとも２つのグループに分類し、各グループが１種類のアップリンクサブキャリア間隔に対応するときの、第１グループに対応する同期信号を含み、上記第１グループは、上記第１アップリンクサブキャリア間隔に対応するグループである、または、
上記指示情報は、上記基地局がデフォルト構成に基づいて同期信号を少なくとも３つのグループに分類し、各グループが１種類のアップリンクサブキャリア間隔およびアップリンク伝送モードの組み合わせに対応するときの、第１グループに対応する同期信号を含み、上記第１グループは、上記第１アップリンクサブキャリア間隔およびアップリンク伝送モードの組み合わせに対応するグループであり、上記アップリンク伝送モードはシングルトーン伝送またはマルチトーン伝送を含む、
段階を含む、項目１２に記載の方法。
（項目２２）
端末が基地局と通信する上記段階は、
上記端末が、上記基地局によって上記指示情報に従って送信された同期信号を受信する段階であって、
上記指示情報は、上記基地局が、２つの連続する同期信号の間の時間間隔長に基づいて、２つの連続する同期信号の間の異なる時間間隔を少なくとも２つのグループに分類し、各グループが１つの時間間隔長に対応するときの、第１グループに対応する同期信号を含み、上記第１グループは、上記第１アップリンクサブキャリア間隔に対応するグループである、または、
上記指示情報は、上記基地局が、２つの連続する同期信号の間の時間間隔長に基づいて、２つの連続する同期信号の間の異なる時間間隔を少なくとも３つのグループに分類し、各グループが１種類のアップリンクサブキャリア間隔およびアップリンク伝送モードの組み合わせに対応するときの、第１グループに対応する同期信号を含み、上記第１グループは、上記第１アップリンクサブキャリア間隔およびアップリンク伝送モードの組み合わせに対応するグループであり、上記アップリンク伝送モードはシングルトーン伝送またはマルチトーン伝送を含む、
段階を含む、項目１２に記載の方法。
（項目２３）
基地局であって、
第１アップリンクサブキャリア間隔を指示するために使用される指示情報を決定するように構成されているプロセッサであって、上記第１アップリンクサブキャリア間隔は、上記基地局によってサポートされるアップリンクサブキャリア間隔である、プロセッサと、
上記プロセッサによって決定された上記指示情報に従って、端末と通信するように構成されている送受信器と
を備える基地局。
（項目２４）
上記プロセッサは、具体的には、物理ランダムアクセスプリアンブル配列を少なくとも２つのグループに分類するように構成され、各グループは、１種類のアップリンクサブキャリア間隔に対応し、上記指示情報は、上記少なくとも２つのグループにおける第１グループに対応する物理ランダムアクセスプリアンブル配列のグループ情報を含み、上記第１グループは、上記第１アップリンクサブキャリア間隔に対応するグループである、または、
上記プロセッサは、具体的には、物理ランダムアクセスプリアンブル配列を少なくとも３つのグループに分類するように構成され、各グループは、１種類のアップリンクサブキャリア間隔およびアップリンク伝送モードの組み合わせに対応し、上記指示情報は、上記少なくとも３つのグループにおける第１グループに対応する物理ランダムアクセスプリアンブル配列のグループ情報を含み、上記第１グループは、上記第１アップリンクサブキャリア間隔およびアップリンク伝送モードの組み合わせに対応するグループであり、上記アップリンク伝送モードは、シングルトーン伝送またはマルチトーン伝送を含む、
項目２３に記載の基地局。
（項目２５）
上記プロセッサは具体的には、ＰＲＡＣＨ信号フォーマットに基づいて、異なるフォーマットのＰＲＡＣＨ信号を少なくとも２つのグループに分類するように構成され、上記ＰＲＡＣＨ信号フォーマットは、上記ＰＲＡＣＨ信号の巡回プレフィックスＣＰ長、上記ＰＲＡＣＨ信号のサブキャリア間隔、および、上記ＰＲＡＣＨ信号の繰り返し周期のうちの少なくとも１つのパラメータに基づいて決定され、各グループは、１種類のアップリンクサブキャリア間隔に対応し、上記指示情報は、上記少なくとも２つのグループにおける第１グループに対応するＰＲＡＣＨ信号フォーマットを含み、上記第１グループは、上記第１アップリンクサブキャリア間隔に対応するグループである、または、
上記プロセッサは具体的には、ＰＲＡＣＨ信号フォーマットに基づいて、異なるフォーマットのＰＲＡＣＨ信号を少なくとも３つのグループに分類するように構成され、上記ＰＲＡＣＨ信号フォーマットは、上記ＰＲＡＣＨ信号の巡回プレフィックスＣＰ長、上記ＰＲＡＣＨ信号のサブキャリア間隔、および、上記ＰＲＡＣＨ信号の繰り返し周期のうちの少なくとも１つのパラメータに基づいて決定され、各グループは、１種類のアップリンクサブキャリア間隔およびアップリンク伝送モードの組み合わせに対応し、上記指示情報は、上記少なくとも３つのグループにおける第１グループに対応するＰＲＡＣＨ信号フォーマットを含み、上記第１グループは、上記第１アップリンクサブキャリア間隔およびアップリンク伝送モードの組み合わせに対応するグループであり、上記アップリンク伝送モードはシングルトーン伝送またはマルチトーン伝送を含む、
項目２３に記載の基地局。
（項目２６）
上記プロセッサは具体的には、ＰＲＡＣＨチャネルリソースプールを少なくとも２つのリソースプールに分類するように構成され、各リソースプールは、１種類のアップリンクサブキャリア間隔に対応し、上記指示情報は、上記少なくとも２つのリソースプールにおける第１リソースプールの構成情報を含み、上記第１リソースプールは、上記第１アップリンクサブキャリア間隔に対応するリソースプールである、または、
上記プロセッサは具体的には、ＰＲＡＣＨチャネルリソースプールを少なくとも３つのリソースプールに分類するように構成され、各リソースプールは、１種類のアップリンクサブキャリア間隔およびアップリンク伝送モードの組み合わせに対応し、上記指示情報は、上記少なくとも３つのリソースプールにおける第１リソースプールの構成情報を含み、上記第１リソースプールは、上記第１アップリンクサブキャリア間隔およびアップリンク伝送モードの組み合わせに対応するリソースプールであり、上記アップリンク伝送モードは、シングルトーン伝送またはマルチトーン伝送を含む、
項目２３に記載の基地局。
（項目２７）
上記プロセッサは具体的には、動作モードとアップリンクサブキャリア間隔との間の対応関係を構成するように構成され、上記指示情報は、上記第１アップリンクサブキャリア間隔に対応する動作モードを含む、または、
上記プロセッサは具体的には、動作モードと組み合わせ方式との間の対応関係を構成するように構成され、上記組み合わせ方式は、アップリンクサブキャリア間隔およびアップリンク伝送モードの組み合わせであり、上記アップリンク伝送モードはシングルトーン伝送またはマルチトーン伝送を含み、上記指示情報は、上記第１アップリンクサブキャリア間隔およびアップリンク伝送モードの組み合わせに対応する動作モードを含む、
項目２３に記載の基地局。
（項目２８）
上記送受信器は具体的には、上記指示情報を上記端末へ送信するように構成されている、項目２４から２７のいずれか一項に記載の基地局。
（項目２９）
上記送受信器は具体的には、上記プロセッサが上記指示情報に従って、上記基地局が少なくとも１つの第１アップリンクサブキャリア間隔をサポートすると決定したとき、上記端末によって送信された、第２アップリンクサブキャリア間隔を保持する伝送スケジューリングメッセージを受信するように構成され、上記第２アップリンクサブキャリア間隔は、上記端末によってサポートされるアップリンクサブキャリア間隔であり、上記少なくとも１つの第１アップリンクサブキャリア間隔のうちの１つである、項目２３に記載の基地局。
（項目３０）
上記送受信器は具体的には、上記プロセッサが上記指示情報に従って、上記基地局が少なくとも１つの第１アップリンクサブキャリア間隔をサポートすると決定したとき、上記端末によって送信された、第２アップリンクサブキャリア間隔を保持する端末カテゴリメッセージを受信するように構成され、上記第２アップリンクサブキャリア間隔は、上記端末によってサポートされるアップリンクサブキャリア間隔であり、上記少なくとも１つの第１アップリンクサブキャリア間隔のうちの１つである、項目２３に記載の基地局。
（項目３１）
上記送受信器は具体的には、上記プロセッサが、上記指示情報に従って、上記基地局が少なくとも１つの第１アップリンクサブキャリア間隔をサポートすると決定し、上記プロセッサが第２アップリンクサブキャリア間隔を決定したとき、上記第２アップリンクサブキャリア間隔を保持する無線リソース制御ＲＲＣメッセージを上記端末へ送信するように構成され、上記第２アップリンクサブキャリア間隔は、上記端末によってサポートされるアップリンクサブキャリア間隔であり、上記少なくとも１つの第１アップリンクサブキャリア間隔のうちの１つである、項目２３に記載の基地局。
（項目３２）
上記プロセッサは具体的には、デフォルト構成に基づいて、上記指示情報を決定するように構成され、上記デフォルト構成は、同期信号を少なくとも２つのグループに分類し、上記同期信号は、主同期信号および／または副同期信号を含み、各グループは、１種類のアップリンクサブキャリア間隔に対応し、上記指示情報は、上記少なくとも２つのグループにおける第１グループに対応する同期信号を含み、上記第１グループは上記第１アップリンクサブキャリア間隔に対応するグループである、または、
上記プロセッサは具体的には、デフォルト構成に基づいて、上記指示情報を決定するように構成され、上記デフォルト構成は、同期信号を少なくとも３つのグループに分類し、上記同期信号は、主同期信号および／または副同期信号を含み、各グループは、１種類のアップリンクサブキャリア間隔およびアップリンク伝送モードの組み合わせに対応し、上記指示情報は、上記少なくとも３つのグループにおける第１グループに対応する同期信号を含み、上記第１グループは、上記第１アップリンクサブキャリア間隔およびアップリンク伝送モードの組み合わせに対応するグループであり、上記アップリンク伝送モードはシングルトーン伝送またはマルチトーン伝送を含み、
上記送受信器は具体的には、上記指示情報に従って、上記第１グループに対応する上記同期信号を上記端末へ送信するように構成されている、
項目２３に記載の基地局。
（項目３３）
上記プロセッサは具体的には、デフォルト構成に基づいて、上記指示情報を決定するように構成され、上記デフォルト構成は、２つの連続する同期信号の間の時間間隔長に基づいて、２つの連続する同期信号の間の異なる時間間隔を少なくとも２つのグループに分類し、上記同期信号は主同期信号および／または副同期信号を含み、各グループは１つの時間間隔長に対応し、上記指示情報は、上記少なくとも２つのグループにおける第１グループに対応する時間間隔を有する同期信号を含み、上記第１グループは、上記第１アップリンクサブキャリア間隔に対応するグループである、または、
上記プロセッサは具体的には、デフォルト構成に基づいて、上記指示情報を決定するように構成され、上記デフォルト構成は、２つの連続する同期信号の間の時間間隔長に基づいて、２つの連続する同期信号の間の異なる時間間隔を少なくとも３つのグループに分類し、上記同期信号は、主同期信号および／または副同期信号を含み、各グループは、１種類のアップリンクサブキャリア間隔およびアップリンク伝送モードの組み合わせに対応し、上記指示情報は、上記少なくとも３つのグループにおける第１グループに対応する時間間隔を有する同期信号を含み、上記第１グループは、上記第１アップリンクサブキャリア間隔およびアップリンク伝送モードの組み合わせに対応するグループであり、上記アップリンク伝送モードは、シングルトーン伝送またはマルチトーン伝送を含み、
上記送受信器は具体的には、上記指示情報に従って、上記第１グループに対応する上記同期信号を上記端末へ送信するように構成されている、
項目２３に記載の基地局。
（項目３４）
端末であって、
基地局と通信するように構成されている送受信器であって、上記通信では、上記基地局が指示情報に従って上記端末と通信し、上記指示情報は、第１アップリンクサブキャリア間隔を指示するために使用され、上記第１アップリンクサブキャリア間隔は、上記基地局によってサポートされるアップリンクサブキャリア間隔である、送受信器と、
上記送受信器によって実行される上記通信に基づいて、処理を実行するように構成されているプロセッサと
を備える端末。
（項目３５）
上記送受信器は具体的には、上記基地局によって送信された上記指示情報を受信するように構成され、
上記指示情報は、上記基地局が物理ランダムアクセスプリアンブル配列を少なくとも２つのグループに分類するときの、第１グループに対応する物理ランダムアクセスプリアンブル配列のグループ情報を含み、上記第１グループは、上記少なくとも２つのグループの各々が１種類のアップリンクサブキャリア間隔に対応するときの、上記第１アップリンクサブキャリア間隔に対応するグループである、または、
上記指示情報は、上記基地局が物理ランダムアクセスプリアンブル配列を少なくとも３つのグループに分類するときの、第１グループに対応する物理ランダムアクセスプリアンブル配列のグループ情報を含み、上記第１グループは、上記少なくとも３つのグループの各々が、１種類のアップリンクサブキャリア間隔およびアップリンク伝送モードの組み合わせに対応するときの、上記第１アップリンクサブキャリア間隔およびアップリンク伝送モードの組み合わせに対応するグループであり、上記アップリンク伝送モードはシングルトーン伝送またはマルチトーン伝送を含む、
項目３４に記載の端末。
（項目３６）
上記送受信器は具体的には、上記基地局によって送信された上記指示情報を受信するように構成され、
上記指示情報は、上記基地局がＰＲＡＣＨ信号フォーマットに基づいて、異なるフォーマットのＰＲＡＣＨ信号を少なくとも２つのグループに分類するときの、第１グループに対応するＰＲＡＣＨ信号フォーマットを含み、上記ＰＲＡＣＨ信号フォーマットは、上記ＰＲＡＣＨ信号の巡回プレフィックスＣＰ長、上記ＰＲＡＣＨ信号のサブキャリア間隔、および、上記ＰＲＡＣＨ信号の繰り返し周期のうちの少なくとも１つのパラメータに基づいて決定され、上記第１グループは、上記少なくとも２つのグループの各々が１種類のアップリンクサブキャリア間隔に対応するときの、上記第１アップリンクサブキャリア間隔に対応するグループである、または、
上記指示情報は、上記基地局がＰＲＡＣＨ信号フォーマットに基づいて、異なるフォーマットのＰＲＡＣＨ信号を少なくとも３つのグループに分類するときの、第１グループに対応するＰＲＡＣＨ信号フォーマットを含み、上記ＰＲＡＣＨ信号フォーマットは、上記ＰＲＡＣＨ信号の巡回プレフィックスＣＰ長、上記ＰＲＡＣＨ信号のサブキャリア間隔、および、上記ＰＲＡＣＨ信号の繰り返し周期のうちの少なくとも１つのパラメータに基づいて決定され、上記第１グループは、上記少なくとも３つのグループの各々が、１種類のアップリンクサブキャリア間隔およびアップリンク伝送モードの組み合わせに対応するときの、上記第１アップリンクサブキャリア間隔およびアップリンク伝送モードの組み合わせに対応するグループであり、上記アップリンク伝送モードはシングルトーン伝送またはマルチトーン伝送を含む、
項目３４に記載の端末。
（項目３７）
上記送受信器は具体的には、上記基地局によって送信された上記指示情報を受信するように構成され、
上記指示情報は、上記基地局がＰＲＡＣＨチャネルリソースプールを少なくとも２つのリソースプールに分類するときの、第１リソースプールの構成情報を含み、上記第１リソースプールは、上記少なくとも２つのリソースプールの各々が１種類のアップリンクサブキャリア間隔に対応するときの、上記第１アップリンクサブキャリア間隔に対応するリソースプールである、または、
上記指示情報は、上記基地局がＰＲＡＣＨチャネルリソースプールを少なくとも３つのリソースプールに分類するときの、第１リソースプールの構成情報を含み、上記第１リソースプールは、上記少なくとも３つのリソースプールの各々が、１種類のアップリンクサブキャリア間隔およびアップリンク伝送モードの組み合わせに対応するときの、上記第１アップリンクサブキャリア間隔およびアップリンク伝送モードの組み合わせに対応するリソースプールであり、上記アップリンク伝送モードはシングルトーン伝送またはマルチトーン伝送を含む、
項目３４に記載の端末。
（項目３８）
上記送受信器は具体的には、上記基地局によって送信された上記指示情報を受信するように構成され、
上記指示情報は、上記基地局が動作モードとアップリンクサブキャリア間隔との間の対応関係を構成するときの、上記第１アップリンクサブキャリア間隔に対応する動作モードを含む、または、
上記指示情報は、上記基地局が動作モードとアップリンクサブキャリア間隔およびアップリンク伝送モードの組み合わせ方式との間の対応関係を構成するときの、上記第１アップリンクサブキャリア間隔およびアップリンク伝送モードの組み合わせに対応する動作モードを含む、
項目３４に記載の端末。
（項目３９）
上記プロセッサは具体的には、上記指示情報に従って、上記基地局によってサポートされる上記第１アップリンクサブキャリア間隔を決定し、上記指示情報に従って、上記第１アップリンクサブキャリア間隔が、上記端末によってサポートされる少なくとも１つの第２アップリンクサブキャリア間隔に含まれるかどうかを決定し、含まれる場合、アップリンク信号を上記基地局へ送信し、または、含まれない場合、セルを再検索するように構成されている、項目３５から３８のいずれか一項に記載の端末。
（項目４０）
上記プロセッサは具体的には、上記基地局が上記指示情報に従って、少なくとも１つの第１アップリンクサブキャリア間隔があると決定したとき、命令を上記送受信器へ送信し、上記送受信器に上記基地局へ伝送スケジューリングメッセージを送信させるように構成され、上記伝送スケジューリングメッセージは第２アップリンクサブキャリア間隔を保持し、上記第２アップリンクサブキャリア間隔は、上記端末によってサポートされるアップリンクサブキャリア間隔であり、上記少なくとも１つの第１アップリンクサブキャリア間隔のうちの１つである、項目３４に記載の端末。
（項目４１）
上記プロセッサは具体的には、上記基地局が上記指示情報に従って、少なくとも１つの第１アップリンクサブキャリア間隔があると決定したとき、命令を上記送受信器へ送信し、上記送受信器に上記基地局へ端末カテゴリメッセージを送信させるように構成され、上記端末カテゴリメッセージは第２アップリンクサブキャリア間隔を保持し、上記第２アップリンクサブキャリア間隔は、上記端末によってサポートされるアップリンクサブキャリア間隔であり、上記少なくとも１つの第１アップリンクサブキャリア間隔のうちの１つである、項目３４に記載の端末。
（項目４２）
上記プロセッサは具体的には、上記基地局が上記指示情報に従って、少なくとも１つの第１アップリンクサブキャリア間隔があると決定したとき、命令を上記送受信器へ送信し、上記基地局によって送信された、第２アップリンクサブキャリア間隔を保持する無線リソース制御ＲＲＣメッセージを上記送受信器に受信させるように構成され、上記第２アップリンクサブキャリア間隔は、上記端末によってサポートされる、上記少なくとも１つの第１アップリンクサブキャリア間隔のうちの１つのアップリンクサブキャリア間隔である、項目３４に記載の端末。
（項目４３）
上記送受信器は具体的には、上記基地局によって上記指示情報に従って送信された同期信号を受信するように構成され、上記指示情報は、上記基地局がデフォルト構成に基づいて、同期信号を少なくとも２つのグループに分類し、各グループが１種類のアップリンクサブキャリア間隔に対応するときの、第１グループに対応する同期信号を含み、上記第１グループは、上記第１アップリンクサブキャリア間隔に対応するグループである、または、
上記指示情報は、上記基地局がデフォルト構成に基づいて、同期信号を少なくとも３つのグループに分類し、各グループが、１種類のアップリンクサブキャリア間隔およびアップリンク伝送モードの組み合わせに対応するときの、第１グループに対応する同期信号を含み、上記第１グループは、上記第１アップリンクサブキャリア間隔およびアップリンク伝送モードの組み合わせに対応するグループであり、上記アップリンク伝送モードはシングルトーン伝送またはマルチトーン伝送を含む、
項目３４に記載の端末。
（項目４４）
上記送受信器は具体的には、上記基地局によって上記指示情報に従って送信された同期信号を受信するように構成され、
上記指示情報は、上記基地局が、２つの連続する同期信号の間の時間間隔長に基づいて、２つの連続する同期信号の間の異なる時間間隔を少なくとも２つのグループに分類し、各グループが１つの時間間隔長に対応するときの、第１グループに対応する同期信号を含み、上記第１グループは、上記第１アップリンクサブキャリア間隔に対応するグループである、または、
上記指示情報は、上記基地局が、２つの連続する同期信号の間の時間間隔長に基づいて、２つの連続する同期信号の間の異なる時間間隔を少なくとも３つのグループに分類し、各グループが１種類のアップリンクサブキャリア間隔およびアップリンク伝送モードの組み合わせに対応するときの、第１グループに対応する同期信号を含み、上記第１グループは、上記第１アップリンクサブキャリア間隔およびアップリンク伝送モードの組み合わせに対応するグループであり、上記アップリンク伝送モードはシングルトーン伝送またはマルチトーン伝送を含む、
項目３４に記載の端末。
【国際調査報告】
2019504574.tif 000022
2019504574.tif 000023
2019504574.tif 000024
2019504574.tif 000025